(57)【要約】  プラズマディスプレイパネルを駆動する際に、１階調目を表示する時の輝度を適度に調整することによって、低階調表現力を向上させることを目的とする。  そのため、１フィールドは、初期化期間、アドレス期間及び維持期間を有する複数のサブフィールドＳＦ１，ＳＦ２‥で構成されている。ＳＦ１のアドレス期間には、維持電極の電位を電位ＶeLに保持し、ＳＦ２以降のアドレス期間には、維持電極の電位を電位（Ｖe＋Ｖe2）に保持する。電位ＶeLは、グランド電位より高く電位（Ｖe＋Ｖe2）よりも低く設定されている。
2008035648.tif 000002
【特許請求の範囲】
【請求項１】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルを駆動する方法であって、
１ＴＶフィールドが、放電セルを初期化放電する初期化期間、点灯すべき放電セルをアドレス放電するアドレス期間、前記アドレス放電した放電セルを維持放電する維持期間を有する複数のサブフィールドで構成され、
前記複数のサブフィールドは、輝度重みが最小のサブフィールドを含む第１サブフィールド群と、それ以外の第２サブフィールド群からなり、前記複数のサブフィールドのうち少なくとも１つのサブフィールドは、初期化期間において、第１電極の電位が電圧勾配１０Ｖ／μｓ以下でランプ状に上昇する電位上昇期間を有する全セル初期化期間を有し、
前記第１サブフィールド群の中で少なくとも前記輝度重み最小のサブフィールドでは、前記第２サブフィールド群と比べて、アドレス期間のアドレス放電の強度が小さく、かつ、維持放電させるときに前記アドレス電極に正極性の電圧を印加するプラズマディスプレイパネルの駆動方法。
【請求項２】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルを駆動する方法であって、
１ＴＶフィールドが、放電セルを初期化放電する初期化期間、点灯すべき放電セルをアドレス放電するアドレス期間、前記アドレス放電した放電セルを維持放電する維持期間を有する複数のサブフィールドで構成され、
前記複数のサブフィールドは、輝度重みが最小のサブフィールドを含む第１サブフィールド群と、それ以外の第２サブフィールド群からなり、
前記第１サブフィールド群の中で少なくとも前記輝度重み最小のサブフィールドでは、前記第２サブフィールド群と比べて、アドレス期間のアドレス放電の強度が小さく、
かつ、前記複数のサブフィールドのうち少なくとも１つのサブフィールドは、初期化期間において、第１電極の電位が電圧勾配１０Ｖ／μｓ以下でランプ状に上昇する電位上昇期間を有する全セル初期化期間を有し、当該全セル初期化期間の電位上昇期間の少なくとも一部期間において、アドレス電極に正極性の電圧を印加するプラズマディスプレイパネルの駆動方法。
【請求項３】
前記第１サブフィールド群の中で少なくとも前記輝度重み最小のサブフィールドでは、
維持放電させるときに前記アドレス電極に正極性の電圧を印加する請求項２記載のプラズマディスプレイパネルの駆動方法。
【請求項４】
前記第２サブフィールド群のアドレス期間には、前記維持電極を正極性の第１電位に保持し、
前記第１サブフィールド群の中で少なくとも前記輝度重み最小のサブフィールドのアドレス期間には、前記維持電極の電位をグランド電位よりも高く且つ前記第１電位よりも低い第２電位に保持する請求項１〜３のいずれか記載のプラズマディスプレイパネルの駆動方法。
【請求項５】
前記全セル初期化期間の電位上昇期間において、維持電極に負極性の電圧を印加する請求項１〜３のいずれか記載のプラズマディスプレイパネルの駆動方法。
【請求項６】
前記全セル初期化期間の電位上昇期間においてアドレス電極に印加する電位を、アドレス期間にアドレス電極に印加する電位よりも大きくする請求項１〜３のいずれか記載のプラズマディスプレイパネルの駆動方法。
【請求項７】
前記輝度重み最小のサブフィールドに続くサブフィールドの初期化期間は、
全セル初期化期間である請求項１〜３のいずれか記載のプラズマディスプレイパネルの駆動方法。
【請求項８】
前記輝度重み最小のサブフィールドの次のサブフィールドの初期化期間において、第１電極の電位を電圧勾配１０Ｖ／μｓ以下でランプ状に下降させる電位下降期間を含む選択的初期化期間を有し、当該選択的初期化期間の後に前記全セル初期化期間を有する請求項１〜３のいずれか記載のプラズマディスプレイパネルの駆動方法。
【請求項９】
１ＴＶフィールドごとに画像データの平均輝度レベルを検出し、
検出した平均輝度レベルに基づいて、前記第２電位の大きさを調整する請求項８記載のプラズマディスプレイパネルの駆動方法。
【請求項１０】
前記第１サブフィールド群の中で少なくとも前記輝度重み最小のサブフィールドと、前記第２サブフィールド群とでは、
前記維持期間に維持放電させるときに、走査電極に印加する電圧が異なる請求項１〜３のいずれか記載のプラズマディスプレイパネルの駆動方法。
【請求項１１】
前記第１サブフィールド群の中で少なくとも前記輝度重み最小のサブフィールドと、前記第２サブフィールド群とでは、
アドレス期間に前記アドレス電極に対して印加するアドレスパルスの電位またはパルス幅が異なる請求項１〜３のいずれか記載のプラズマディスプレイパネルの駆動方法。
【請求項１２】
前記第１サブフィールド群の中で少なくとも前記輝度重み最小のサブフィールドと、前記第２サブフィールド群とでは、
前記アドレス期間に前記走査電極に対して印加する走査パルスの電位が異なる請求項１〜３のいずれか記載のプラズマディスプレイパネルの駆動方法。
【請求項１３】
前記第１サブフィールド群の中で少なくとも前記輝度重み最小のサブフィールドと、前記第２サブフィールド群とでは、前記初期化期間における前記走査電極の最低電位が異なる請求項１〜３のいずれか記載のプラズマディスプレイパネルの駆動方法。
【請求項１４】
前記第１サブフィールド群の中で少なくとも前記輝度重み最小のサブフィールドと、前記第２サブフィールド群とでは、前記初期化期間における前記維持電極の電位が異なる請求項１〜３のいずれか記載のプラズマディスプレイパネルの駆動方法。
【請求項１５】
前記第１サブフィールド群の中で少なくとも前記輝度重み最小のサブフィールドでは、維持期間に、前記維持電極に負極性の電圧を印加する請求項１〜３のいずれか記載のプラズマディスプレイパネルの駆動方法。
【請求項１６】
前記第１サブフィールド群の中で少なくとも前記輝度重み最小のサブフィールドにおいて維持期間にアドレス電極に印加する電位を、当該サブフィールドのアドレス期間においてアドレス電極に印加する電位よりも大きくする請求項１〜３のいずれか記載のプラズマディスプレイパネルの駆動方法。
【請求項１７】
前記第１サブフィールド群では、
維持期間に、前記走査電極に印加する最初の維持パルスのみ電位を上昇させる請求項１〜３のいずれか記載のプラズマディスプレイパネルの駆動方法。
【請求項１８】
前記第１サブフィールド群の中で前記輝度重み最小のサブフィールドでは、
維持期間に、前記走査電極の電位をランプ状に上昇させた後に急峻に上昇させる波形を含む請求項１〜３のいずれか記載のプラズマディスプレイパネルの駆動方法。
【請求項１９】
前記第１サブフィールド群の中で前記輝度重み最小のサブフィールドでは、
維持期間に、前記走査電極の電位を上昇させた後に下降させるパルス状の波形を１回のみ含む請求項1〜３のいずれか記載のプラズマディスプレイパネルの駆動方法。
【請求項２０】
前記第１サブフィールド群中の各サブフィールドで、維持期間の最終の維持パルスを印加するときに、
輝度重みが低いサブフィールドの方が、輝度重みが高いサブフィールドと比べて、
維持放電をより遅く停止させる請求項１〜３のいずれか記載のプラズマディスプレイパネルの駆動方法。
【請求項２１】
前記第１サブフィールド群の中で輝度重みが２番目に小さいサブフィールドの次に配置される初期化期間の最低電位は、前記第１サブフィールド群のそれ以外の初期化期間の最低電位よりも高い請求項１〜３のいずれか記載のプラズマディスプレイパネルの駆動方法。
【請求項２２】
各放電セルにおいて、前記輝度重み最小のサブフィールドで点灯した後、続くサブフィールドが不点灯になり、その後に再び点灯する点灯パターンを用いることなく駆動する請求項１〜３のいずれか記載のプラズマディスプレイパネルの駆動方法。
【請求項２３】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルと、
１ＴＶフィールドが、初期化期間、アドレス期間、維持期間を有する複数のサブフィールドで構成される方式で前記プラズマディスプレイパネルを駆動して画像を表示する駆動部とを備えるプラズマディスプレイ装置において、
前記複数のサブフィールドは、輝度重みが最小のサブフィールドを含む第１サブフィールド群と、それ以外の第２サブフィールド群からなり、前記複数のサブフィールドのうち少なくとも１つのサブフィールドは、初期化期間において、第１電極の電位が電圧勾配１０Ｖ／μｓ以下でランプ状に上昇する電位上昇期間を有する全セル初期化期間を有し、
前記駆動部は、
前記第１サブフィールド群の中で少なくとも前記輝度重み最小のサブフィールドでは、前記第２サブフィールド群と比べて、アドレス期間のアドレス放電の強度が小さくなるよう駆動し、かつ、維持放電させるときに前記アドレス電極に正極性の電圧を印加するプラズマディスプレイ装置。
【請求項２４】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルと、
１ＴＶフィールドが、初期化期間、アドレス期間、維持期間を有する複数のサブフィールドで構成される方式で前記プラズマディスプレイパネルを駆動して画像を表示する駆動部とを備えるプラズマディスプレイ装置において、
前記複数のサブフィールドは、輝度重みが最小のサブフィールドを含む第１サブフィールド群と、それ以外の第２サブフィールド群からなり、
前記複数のサブフィールドのうち少なくとも１つのサブフィールドは、初期化期間において、第１電極の電位が電圧勾配１０Ｖ／μｓ以下でランプ状に上昇する電位上昇期間を有する全セル初期化期間を有し、
前記駆動部は、
前記第１サブフィールド群の中で少なくとも前記輝度重み最小のサブフィールドでは、前記第２サブフィールド群と比べて、アドレス期間のアドレス放電の強度が小さくなるよう駆動し、
前記全セル初期化期間の電位上昇期間の少なくとも一部期間において、アドレス電極に正極性の電圧を印加するプラズマディスプレイ装置。
【請求項２５】
前記駆動部は、
前記第１サブフィールド群の中で少なくとも前記輝度重み最小のサブフィールドでは、
維持放電させるときに前記アドレス電極に正極性の電圧を印加する請求項２４記載のプラズマディスプレイ装置。
【請求項２６】
前記駆動部は、
前記第２サブフィールド群のアドレス期間には、前記維持電極を正極性の第１電位に保持し、
前記第１サブフィールド群の中で少なくとも前記輝度重み最小のサブフィールドのアドレス期間には、前記維持電極の電位をグランド電位よりも高く且つ前記第１電位よりも低い第２電位に保持する請求項２３〜２５のいずれか記載のプラズマディスプレイ装置。
【請求項２７】
前記駆動部は、
前記全セル初期化期間の電位上昇期間において、維持電極に負極性の電圧を印加する請求項２３〜２５のいずれか記載のプラズマディスプレイ装置。
【請求項２８】
前記駆動部は、
前記全セル初期化期間の電位上昇期間においてアドレス電極に印加する電位を、アドレス期間にアドレス電極に印加する電位よりも大きくする請求項２３〜２５のいずれか記載のプラズマディスプレイ装置。
【請求項２９】
前記輝度重み最小のサブフィールドに続くサブフィールドの初期化期間は、
全セル初期化期間である請求項２３〜２５のいずれか記載のプラズマディスプレイ装置。
【請求項３０】
前記輝度重み最小のサブフィールドの次のサブフィールドの初期化期間において、第１電極の電位を電圧勾配１０Ｖ／μｓ以下でランプ状に下降させる電位下降期間を含む選択的初期化期間を有し、その選択的初期化期間の後に前記全セル初期化期間を有する請求項２３〜２５のいずれか記載のプラズマディスプレイ装置。
【請求項３１】
前記駆動部は、
１ＴＶフィールドごとに画像データの平均輝度レベルを検出し、
検出した平均輝度レベルに基づいて、前記第２電位の大きさを調整する請求項３０記載のプラズマディスプレイ装置。
【請求項３２】
前記駆動部は、
前記第１サブフィールド群の中で少なくとも前記輝度重み最小のサブフィールドと、前記第２サブフィールド群とで、
前記維持期間に維持放電させるときに、走査電極に異なる電圧を印加する請求項２３〜２５のいずれか記載のプラズマディスプレイ装置。
【請求項３３】
前記駆動部は、
前記第１サブフィールド群の中で少なくとも前記輝度重み最小のサブフィールドと、前記第２サブフィールド群とで、
アドレス期間に前記アドレス電極に対して、電位またはパルス幅が異なるアドレスパルスを印加する請求項２３〜２５のいずれか記載のプラズマディスプレイ装置。
【請求項３４】
前記駆動部は、
前記第１サブフィールド群の中で少なくとも前記輝度重み最小のサブフィールドと、前記第２サブフィールド群とで、
前記アドレス期間に前記走査電極に対して、電位が異なる走査パルスを印加する請求項２３〜２５のいずれか記載のプラズマディスプレイ装置。
【請求項３５】
前記駆動部が前記初期化期間に前記走査電極に印加する最低電位は、
前期第１サブフィールド群の中で少なくとも前記輝度重み最小のサブフィールドと、前記第２サブフィールド群とで異なる請求項２３〜２５のいずれか記載のプラズマディスプレイ装置。
【請求項３６】
前記駆動部が前記初期化期間における前記維持電極の電位は、
前記第１サブフィールド群の中で少なくとも前記輝度重み最小のサブフィールドと、前記第２サブフィールド群とで異なる請求項２３〜２５のいずれか記載のプラズマディスプレイ装置。
【請求項３７】
前記駆動部は、
前記第１サブフィールド群の中で少なくとも前記輝度重み最小のサブフィールドでは、維持期間に、前記維持電極に負極性の電圧を印加する請求項２３〜２５のいずれか記載のプラズマディスプレイ装置。
【請求項３８】
前記駆動部は、
前記第１サブフィールド群の中で少なくとも前記輝度重み最小のサブフィールドにおいてアドレス電極に印加する電位を、当該サブフィールドのアドレス期間においてアドレス電極に印加する電位よりも大きくする請求項２３〜２５のいずれか記載のプラズマディスプレイ装置。
【請求項３９】
前記駆動部は、
前記第１サブフィールド群で、維持期間に、前記走査電極に印加する最初の維持パルスのみ電位を上昇させる請求項２３〜２５のいずれか記載のプラズマディスプレイ装置。
【請求項４０】
前記駆動部は、
前記第１サブフィールド群の中で前記輝度重み最小のサブフィールドで、
維持期間に、前記走査電極の電位をランプ状に上昇させた後に急峻に上昇させる波形を印加する請求項２３〜２５のいずれか記載のプラズマディスプレイ装置。
【請求項４１】
前記駆動部は、
前記第１サブフィールド群の中で前記輝度重み最小のサブフィールドでは、維持期間に、前記走査電極の電位を上昇させた後に下降させるパルス状の波形を１回のみ印加する請求項２３〜２５のいずれか記載のプラズマディスプレイ装置。
【請求項４２】
前記駆動部は、
前記第１サブフィールド群中の各サブフィールドで、維持期間の最終の維持パルスを印加するときに、輝度重みが低いサブフィールドの方が、輝度重みが高いサブフィールドと比べて、維持放電をより遅く停止させる請求項２３〜２５のいずれか記載のプラズマディスプレイ装置。
【請求項４３】
前記駆動部が、前記第１サブフィールド群の中で輝度重みが２番目に小さいサブフィールドの次に配置される初期化期間に印加する最低電位は、前記第１サブフィールド群のそれ以外の初期化期間の最低電位よりも高い請求項２３〜２５のいずれか記載のプラズマディスプレイ装置。
【請求項４４】
前記駆動部は
各放電セルにおいて、前記輝度重み最小のサブフィールドで点灯した後、続くサブフィールドが不点灯になり、その後に再び点灯する点灯パターンを用いることなく駆動する請求項２３〜２５のいずれか記載のプラズマディスプレイ装置。
【発明の詳細な説明】
【技術分野】
【０００１】
本発明は、プラズマディスプレイパネルの駆動方法、プラズマディスプレイパネル装置に関する。
【背景技術】
【０００２】
プラズマディスプレイパネル（以下、ＰＤＰ）装置は、画像を表示する領域に走査電極、維持電極、アドレス電極が配されたＰＤＰに対して、走査電極駆動回路、維持電極駆動回路、アドレス電極駆動回路が接続され、これらの駆動回路が各電極に電圧を印加することによって、各放電セル内でガス放電を発生させ、それに伴って発生される紫外線でＲＧＢ各色の蛍光体を励起発光させてカラー表示を行うようになっている。【０００３】
元来ＰＤＰでは、基本的に各放電セルは点灯又は消灯しか表示できないので、階調表示するために、点灯時間を時分割するサブフィールド法、すなわち、１フィールド期間を複数のサブフィールドに分割した上で、発光させるサブフィールドの組み合わせによってＲＧＢ各色セルの階調表示を行う駆動方式が用いられている。
例えば、図４３に１ＴＶフィールドのサブフィールド構成を示している。この図では、１ＴＶフィールドが８個のサブフィールド（以下、ＳＦ）で構成され、相対輝度比が、昇順に１，２，４，８，１６，３２，６４，１２８のようにバイナリで重み付けされており、この８ビットの重み付けの組み合わせによって合計２５６階調（０階調〜２５５階調）を表現することができる。【０００４】
図４４は、従来例にかかるＰＤＰ駆動波形を示す図であって、ＳＦ１とＳＦ２について示している。
各ＳＦには、初期化期間、アドレス期間および維持期間が設けられている。
初期化期間には、放電セルで初期化放電を行い、それ以前の個々の放電セルに対する壁電荷の履歴を消すとともに、続くアドレス動作のために必要な壁電荷を形成する。なお、初期化には２種類あり、走査電極に上昇するランプ波形を加えて全ての放電セルで一斉に初期化放電する全セル初期化と、初期化前のＳＦで点灯した放電セルのみを選択的に初期化放電する選択的初期化がある。  続く、アドレス期間では、走査電極に順次走査パルスを印加するとともに、表示すべき画像信号に対応したアドレス電極に対して選択的にアドレスパルスを印加する。これによって、走査電極とアドレス電極との間で選択的にアドレス放電が発生し、これをきっかけに走査電極と維持電極との間にもアドレス放電が広がって、続く維持動作のために必要な壁電荷が形成される。【０００５】
続く維持期間では、走査電極と維持電極との間に維持パルスを所定回数だけ印加し、アドレス放電によって壁電荷形成を行った放電セルで選択的に維持放電させて発光させる。
各ＳＦで放電維持期間に印加する維持パルス数は、上記の重み付けにほぼ比例した数で且つ充分な明るさを確保できる数、例えば、３，７，１５，３１，６３，１２７，２５５，５１１に設定される。【０００６】
ところで、一般的にディスプレイは、低階調になるほど相対輝度比が小さくなるよう表示することが、低階調を滑らかに表示するのに有効とされているが、ＰＤＰ装置においては、低階調における相対輝度比を小さくするのが難しく、低階調を滑らかに表示し難いという問題がある。
ＣＲＴでは、上記合計２５６階調のうち、０階調の輝度と１階調目の輝度差は０ｃｄ／ｍ2に近く、滑らかな階調表示が可能となっている（「０階調」，「１階調」，「２階調」などは、２５６階調中の階調を示す）。それに対してＰＤＰ装置では、１階調目の輝度が高いため、０階調と１階調の輝度差は２ｃｄ／ｍ2以上もあり、ＣＲＴのように滑らかな輝度変化を表現することが困難である。また、ＰＤＰはもともと輝度が低いので、誤差拡散処理（ディザ法）により擬似的に階調表示しようとしても、画面に誤差拡散ノイズのザラツキ感が目立ってしまい、誤差拡散効果が得られず、かえって画質が劣化しやすい。【０００７】
このような問題に対して、特許文献１，２には、維持期間の放電に着目し、１階調目では維持放電を抑えることによって輝度を落とす技術が開示されている。
すなわち、特許文献１には、１階調目表示時の維持パルス数が従来３回であったのを、１階調目の維持パルスを２階調目以降よりも太幅にして１回に低減することによって、１階調目の輝度を低減する駆動方法が提案されている。【０００８】
また、特許文献２には、１回の維持パルスを斜めランプにして維持放電を弱体化することによって、１階調目の輝度を低減する駆動方法が提案されている。これは、一般的に維持パルスを急峻に立ち上げるよりも滑らかに立ち上げる方が、維持放電が微放電になることを利用している。
さらに特許文献３では、１階調目表示時には維持放電をなくすことによって輝度を落とす方法が提案されている。すなわち、１階調目の輝度はアドレス放電のみで確保し、２階調目以降では維持放電で輝度を出すようにしている。１階調目では走査電極とアドレス電極のみのアドレス放電を行うことによって、１階調目の輝度が０．３６ｃｄ／ｍ2であり、２階調目の輝度が０．９７ｃｄ／ｍ2と記載されている。【０００９】
このような駆動方法によれば、１階調目を表示する輝度を従来よりも低減することができ、低階調の表現力を向上するのに有効であり、現在、特許文献１の技術に基づいた製品化もなされている。
【特許文献１】特開２００２-０１４６５２号公報
【特許文献２】特開２００５-１０７４９５号公報
【特許文献３】特開２００５-１５７０６４号公報
【発明の開示】
【発明が解決しようとする課題】
【００１０】
ＰＤＰにおいて、低階調の表現力をさらに向上させるために、階調表示の輝度を低減するだけでなく、２階調目の輝度とのバランスも重要であって、例えば２階調目の輝度を１．５ｃｄ／ｍ2とすると、１階調目の輝度は、その半分程度（０．７ｃｄ／ｍ2程度）であることが望ましい。
しかし、特許文献１の技術では、１階調目でアドレス放電をしただけでも、この目標輝度（約０．７ｃｄ／ｍ2）を超えてしまうので、目標輝度を達成することは難しい。また、特許文献２，３の技術でも、１階調目の輝度を適度に調整することは難しい。【００１１】
このような課題に対して、アドレス放電の強度を弱めて１階調目の輝度を低減することが考えられる。しかし、アドレス放電の強度を弱めると、維持放電の放電遅れが大きくなって十分に維持放電しなくなり、次の全セル初期化期間で強放電して初期化放電ミスが発生し、続くアドレス期間で誤放電が発生して画面のチラツキやザラツキが発生して画質が損われる問題があることがわかった。【００１２】
本発明は、上記課題を鑑みてなされたものであって、ＰＤＰを駆動するときに、初期化放電ミスの発生を抑えながら、１階調目を表示する時の輝度を適度に調整することによって、低階調表現力を向上させることを目的とする。
【課題を解決するための手段】
【００１３】
上記目的を実現するため本発明では、ＰＤＰを駆動する際に、１ＴＶフィールドを、放電セルを初期化放電する初期化期間、点灯すべき放電セルをアドレス放電するアドレス期間、アドレス放電した放電セルを維持放電する維持期間を有する複数のサブフィールドで構成し、複数のサブフィールドのうち少なくとも１つのサブフィールドに、初期化期間において、第１電極の電位が電圧勾配１０Ｖ／μｓ以下でランプ状に上昇する電位上昇期間を有する全セル初期化期間を設け、次の特徴を備える。【００１４】
特徴Ａ：この複数のサブフィールドを、輝度重みが最小のサブフィールドを含む第１サブフィールド群と、それ以外の第２サブフィールド群に分けて、第１サブフィールド群の少なくとも輝度重み最小のサブフィールドにおいて、第２サブフィールド群と比べて、アドレス期間のアドレス放電の強度を小さくする。
特徴Ａを備えると共に、下記特徴Ｂ、特徴Ｃのいずれかあるいは両方を備える。【００１５】
特徴Ｂ：第１サブフィールド群の少なくとも輝度重み最小のサブフィールドにおいて、維持放電させるときにアドレス電極に正極性の電圧を印加する。
特徴Ｃ：全セル初期化期間の電位上昇期間の少なくとも一部期間において、アドレス電極に正極性の電圧を印加する。
ここで、アドレス電極に印加する正極性の電圧としては、１５Ｖ以上１５０Ｖ以下が好ましい。【００１６】
上記「輝度重みが最小のブフィールドを含む第１サブフィールド群」には、（１）１ＴＶフィールドを構成する複数のサブフィールドの中で、「輝度重みが最小のサブフィールド」だけが含まれていても良いし、（２）１ＴＶフィールドを構成する複数のサブフィールドの中で、「輝度重みが最小のサブフィールド」とともに、それ以外のサブフィールドを含んでもよい。【００１７】
ただし、後者（２）の場合も、第１サブフィールド群に含ませるサブフィールドは、輝度重みの比較的小さいサブフィールドから選ぶべきであって、２番目〜４番目に輝度重みの小さいサブフィールドから選択することが好ましい。
上記の特徴Ａを得るには、第２サブフィールド群のアドレス期間には、維持電極を正極性の第１電位に保持し、第１サブフィールド群の中で少なくとも輝度重み最小のサブフィールドのアドレス期間には、維持電極の電位をグランド電位よりも高く且つ第１電位よりも低い第２電位に保持すればよい。【００１８】
上記本発明において、さらに以下の特徴を付加することが好ましい。
全セル初期化期間の電位上昇期間に、維持電極に負極性の電圧を印加する。
全セル初期化期間の電位上昇期間においてアドレス電極に印加する電位を、アドレス期間にアドレス電極に印加する電位よりも大きくする。
輝度重み最小のサブフィールドに続くサブフィールドの初期化期間を、全セル初期化期間とする。【００１９】
輝度重み最小のサブフィールドの次のサブフィールドの初期化期間において、第１電極の電位を電圧勾配１０Ｖ／μｓ以下でランプ状に下降させる電位下降期間を含む選択的初期化期間を設け、当該選択的初期化期間の後に全セル初期化期間を設ける。
１ＴＶフィールドごとに画像データの平均輝度レベルを検出し、検出した平均輝度レベルに基づいて、第２電位の大きさを調整する。【００２０】
第１サブフィールド群の中で少なくとも輝度重み最小のサブフィールドと、第２サブフィールド群とで、以下に挙げる内容で互いに異なる波形を印加することも好ましい。
維持期間に維持放電させるときに、走査電極に印加する電圧が異なるようにする。
アドレス期間にアドレス電極に対して印加するアドレスパルスの電位またはパルス幅が異なるようにする。【００２１】
アドレス期間に走査電極に対して印加する走査パルスの電位が異なるようにする。
初期化期間における走査電極の最低電位が異なるようにする。
初期化期間における維持電極の電位が異なるようにする。
維持放電を安定させるために、第１サブフィールド群の中で少なくとも輝度重み最小のサブフィールドで、維持期間に、維持電極に負極性の電圧を印加したり、第１サブフィールド群の中で少なくとも輝度重み最小のサブフィールドにおいてアドレス電極に印加する電位を、当該サブフィールドのアドレス期間においてアドレス電極に印加する電位よりも大きくしたり、第１サブフィールド群の維持期間に、走査電極に印加する最初の維持パルスのみ電位を上昇させてもよい。【００２２】
低階調の輝度を調整するため、第１サブフィールド群の中で輝度重み最小のサブフィールドの維持期間に、走査電極の電位をランプ状に上昇させた後に電圧勾配１００Ｖ／μｓ以上で急峻に上昇させる波形を用いたり、第１サブフィールド群の中で輝度重み最小のサブフィールドの維持期間に、走査電極の電位を上昇させた後に下降させるパルス状の波形を１回のみ含むようにしてもよい。【００２３】
第１サブフィールド群中の各サブフィールドで、維持期間の最終の維持パルスを印加するときに、輝度重みが低いサブフィールドの方が、輝度重みが高いサブフィールドと比べて、維持放電をより遅く停止させてもよい。
第１サブフィールド群の中で輝度重みが２番目に小さいサブフィールドの次に配置される初期化期間の最低電位を、第１サブフィールド群のそれ以外の初期化期間の最低電位よりも高くすることも好ましい。【００２４】
また、各放電セルで、輝度重み最小のサブフィールドで点灯した後、続くサブフィールドが不点灯になり、その後に再び点灯することがないような点灯パターンとすることが好ましい。
【発明の効果】
【００２５】
本発明では、１ＴＶフィールドに含まれる複数のサブフィールドを、輝度重みが最小のサブフィールドを含む第１サブフィールド群と、それ以外の第２サブフィールド群とで構成し、第１サブフィールド群の中で少なくとも輝度重み最小のサブフィールドにおいて、第２サブフィールド群と比べて、アドレス期間のアドレス放電の強度を小さくした（特徴Ａを備える）ので、当該サブフィールドにおける発光輝度を抑えて、低階調（１階調目）の輝度に適した大きさに設定することができる。【００２６】
一方、上記のようにアドレス期間のアドレス放電の強度を小さくすると、一般的には、維持期間に放電遅れが大きくなって十分に維持放電しなくなる傾向にあり、それによって、その後の全セル初期化期間で初期化放電ミスが生じやすくなるが、本発明では、「課題を解決するための手段」の欄で述べた特徴Ｂあるいは特徴Ｃを持つので、全セル初期化期間で安定した初期化放電を行うことができる。【００２７】
すなわち、維持期間にアドレス電極に正極性の電圧を印加する（特徴Ｂを備える）と、前面パネルの保護層表面から電子が引き出されやすくなるので、維持期間に安定した維持放電がなされ、その後の全セル初期化期間でも安定した初期化がなされる。
また、維持期間に維持放電がなされないと、その後の全セル初期化期間で初期化放電ミスが生じやすくなるのは、走査電極とアドレス電極との間から初期化放電が開始することが要因と考えられるが、全セル初期化期間の電位上昇期間の少なくとも一部期間において、アドレス電極に正極性の電圧を印加する（特徴Ｃを備える）と、走査電極とアドレス電極との間から初期化放電が開始されるのが抑えられるので、前のＳＦで十分に維持放電していなくても、安定した初期化放電を行うことができる。【００２８】
上記特徴Ｂ、特徴Ｃのいずれか一方でも、初期化ミスが抑えられ、安定した階調表示を行ないながら、優れた低階調表示性能が得られる効果はあるが、両方行う（特徴Ｂと特徴Ｃの相乗効果を奏するので、より安定した低階調表示性能が得られる。
上記特徴Ａを実現するには、第２サブフィールド群のアドレス期間には、維持電極を正極性の第１電位に保持し、第１サブフィールド群の中で少なくとも輝度重み最小のサブフィールドのアドレス期間には、維持電極の電位をグランド電位よりも高く且つ第１電位よりも低い第２電位に保持すればよい。そうすれば、第２サブフィールド群では、アドレス期間に維持電極の電位を第１電位に保持することによってアドレス放電を十分に広げて安定した書き込みを行ない、且つ、第１サブフィールド群では、走査電極とアドレス電極との間のアドレス放電の広がりを、適度な大きさに抑えて、低階調（１階調目）の輝度を２階調目の半分程度にすることができるので、優れた低階調表示性能が得られる。【００２９】
本発明において、以下に挙げる特徴を付加すれば、第２サブフィールド群において安定した書き込みを行ないながら、低階調（１階調目）の輝度を適度な大きさに調整する上で更なる効果が得られる。
全セル初期化期間の上昇波形部分において、維持電極に負極性の電圧を印加すれば、前面パネルの保護層表面からの電子引き出し効果が高まるので、初期化ミスの発生をさらに低減できる。【００３０】
全セル初期化期間の電位上昇期間において、アドレス電極に印加する電位を、アドレス期間にアドレス電極に印加する電位よりも大きくすることによっても、前面パネルの保護層表面からの電子引き出し効果が高まるので初期化ミスの発生をさらに低減できる。
輝度重み最小のサブフィールドに続くサブフィールドの初期化期間で全セル初期化を行えば、輝度重み最小のサブフィールドで放電セル間で壁電荷のばらつきが生じても、その直後に全セル初期化で全ての放電セルを均一的に初期化できる。【００３１】
ここで、輝度重み最小のサブフィールドの次のサブフィールドの初期化期間において、第１電極の電位を電圧勾配１０Ｖ／μｓ以下でランプ状に下降させる電位下降期間を含む選択的初期化期間を設け、当該選択的初期化期間の後に全セル初期化期間を配置すれば、当該全セル初期化期間においてより安定した全セル初期化放電を実現できる。
上記本発明において、１ＴＶフィールドごとに画像データの平均輝度レベルを検出し、  検出した平均輝度レベルに基づいて、第２電位の大きさを調整すれば、画面の明るさに応じて必要な画像特性が得られる。【００３２】
第１サブフィールド群の中で少なくとも輝度重み最小のサブフィールドと、第２サブフィールド群とで、維持期間に維持放電させるときに、走査電極に印加する電圧を異ならせることによって、維持放電の強度を個別に調整することもできる。この場合、走査電極に印加する電圧を高めに設定したサブフィールドで、維持放電をより安定に行なうことができる。【００３３】
第１サブフィールド群の中で少なくとも輝度重み最小のサブフィールドと第２サブフィールドとで、アドレス期間にアドレス電極に印加するアドレスパルスの電位またはパルス幅を異ならせることによって、アドレス放電の広がりを個別に調整することができる。この場合、アドレスパルスの電位を高く設定するほど、またパルス幅を広く設定するほど、アドレス放電が強くなり、アドレス放電に伴う発光輝度が高くなる。【００３４】
また、第１サブフィールド群の中で少なくとも輝度重み最小のサブフィールドと第２サブフィールドとで、アドレス期間に走査電極に対して印加する走査パルスの電位を異ならせることによっても、アドレス放電の広がりを個別に調整することができる。この場合、走査パルスの電位を低くするほど、アドレス放電が強くなり、アドレス放電に伴う発光輝度が高くなる。【００３５】
第１サブフィールド群の中で少なくとも輝度重み最小のサブフィールドと、第２サブフィールド群とで、初期化期間における走査電極の最低電位を異ならせることによっても、アドレス放電の広がりを個別に調整することができる。
また、第１サブフィールド群の中で少なくとも輝度重み最小のサブフィールドと、第２サブフィールド群とで、初期化期間における維持電極の電位を異ならせることによって、アドレス放電の広がりを個別に調整することができる。【００３６】
第１サブフィールド群の中で少なくとも輝度重み最小のサブフィールドで、維持期間に維持電極に負極性の電圧を印加すれば、維持放電をより安定して行うことができる。
第１サブフィールド群の中で少なくとも輝度重み最小のサブフィールドにおいて、維持期間にアドレス電極に印加する電位を、当該サブフィールドのアドレス期間においてアドレス電極に印加する電位よりも大きくすることも、維持放電をより安定して行う上で好ましい。【００３７】
第１サブフィールド群において、維持期間に、走査電極に印加する最初の維持パルスのみ電位を上昇させることも、維持放電を安定して発生させる上で有効である。
第１サブフィールド群の中で輝度重み最小のサブフィールドの維持期間に、走査電極の電位をランプ状に上昇させた後に急峻に上昇させる波形を用いれば、ランプ状の部分で維持期間の時間幅が大きくなるものの、維持放電の発光強度を下げ、低階調の輝度を適度な大きさに調整することができる。【００３８】
第１サブフィールド群の中で輝度重み最小のサブフィールドの維持期間に、走査電極の電位を上昇させた後に下降させるパルス状の波形を１回のみ含むようにすれば、パルスの立下りとともに維持放電が消去されるので、低階調の輝度を低く調整できる。
輝度重みが小さいサブフィールドでは、印加する維持パルス数が少ないので比較的壁電荷の蓄積が少なく、そのため消去動作がされにくいが、第１サブフィールド群中の各サブフィールドで、維持期間の最終の維持パルスを印加するときに、輝度重みが低いサブフィールドで、輝度重みが高いサブフィールドと比べて、維持放電をより遅く停止させれば、消去動作を行なう時間が長くなるので、確実に消去動作ができる。
第１サブフィールド群の中で輝度重みが２番目に小さいサブフィールドの次に配置される初期化期間の最低電位を、第１サブフィールド群のそれ以外の初期化期間の最低電位よりも高くすれば、緑色放電セルの点灯不良を軽減するのに有効である。【００３９】
各放電セルで、輝度重み最小のサブフィールドで点灯した後、続くサブフィールドが不点灯になり、その後に再び点灯するような点灯パターンがないようにすれば、点灯不良による色抜けを防止するのに有効である。
【図面の簡単な説明】
【００４０】
【図１】本発明の一実施形態にかかるＰＤＰの構成を示す図である。
【図２】ＰＤＰ１を駆動する駆動部の構成を示す図である。
【図３】実施例１にかかる各駆動回路がＰＤＰの各電極に印加する駆動電圧波形である。
【図４】実施例１にかかる走査電極駆動回路を示す図である。
【図５】走査電極駆動回路に用いるレベル変化回路を示す図である。
【図６】走査電極駆動回路に用いるレベル変化回路を示す図である。
【図７】実施例１にかかる走査電極駆動回路を示す図である。
【図８】実施例１にかかる維持電極駆動回路を示す図である。
【図９】上記維持電極駆動回路に用いるレベル変化回路を示す図である。
【図１０】上記維持電極駆動回路に用いるレベル変化回路を示す図である。
【図１１】上記維持電極駆動回路に用いるレベル変化回路を示す図である。
【図１２】上記維持電極駆動回路に用いるレベル変化回路を示す図である。
【図１３】上記維持電極駆動回路に用いるレベル変化回路を示す図である。
【図１４】上記維持電極駆動回路に用いるレベル変化回路を示す図である。
【図１５】上記維持電極駆動回路に用いるレベル変化回路を示す図である。
【図１６】上記維持電極駆動回路に用いるレベル変化回路を示す図である。
【図１７】上記維持電極駆動回路に用いるレベル変化回路を示す図である。
【図１８】上記維持電極駆動回路に用いるレベル変化回路を示す図である。
【図１９】実施例１にかかるアドレス電極駆動回路を示す図である。
【図２０】上記アドレス電極駆動回路に用いるレベル変化回路を示す図である。
【図２１】上記アドレス電極駆動回路に用いるレベル変化回路を示す図である。
【図２２】実施例２にかかる各駆動回路がＰＤＰの各電極に印加する駆動電圧波形である。
【図２３】実施例２にかかる維持電極駆動回路を示す図である。
【図２４】実施例２にかかる維持電極駆動回路を示す図である。
【図２５】実施例２にかかる維持電極駆動回路を示す図である。
【図２６】実施例２にかかる維持電極駆動回路を示す図である。
【図２７】実施例２にかかるアドレス電極駆動回路を示す図である。
【図２８】実施例２にかかるアドレス電極駆動回路を示す図である。
【図２９】実施例２にかかるアドレス電極駆動回路を示す図である。
【図３０】実施例２にかかるアドレス電極駆動回路を示す図である。
【図３１】実施例２にかかるアドレス電極駆動回路を示す図である。
【図３２】実施例３にかかる各駆動回路がＰＤＰの各電極に印加する駆動電圧波形である。
【図３３】実施例３の駆動方法で実験した結果を示す特性図である。
【図３４】実施例４にかかる各駆動回路がＰＤＰの各電極に印加する駆動電圧波形である。
【図３５】実施例５にかかる各駆動回路がＰＤＰの各電極に印加する駆動電圧波形である。
【図３６】実施例６にかかる各駆動回路がＰＤＰの各電極に印加する駆動電圧波形である。
【図３７】横クロストークと点灯不良の発生に関する説明をする図表である。
【図３８】実施例７にかかる各駆動回路がＰＤＰの各電極に印加する駆動電圧波形である。
【図３９】横クロストークと点灯不良の発生に関する説明をする図表である。
【図４０】実施例８にかかる各駆動回路がＰＤＰの各電極に印加する駆動電圧波形である。
【図４１】実施例９にかかる各駆動回路がＰＤＰの各電極に印加する駆動電圧波形である。
【図４２】実施例１〜９にかかる各駆動回路がＰＤＰの各電極に印加する駆動電圧波形である。
【図４３】１ＴＶフィールドのサブフィールド構成を示す図である。
【図４４】従来例にかかるＰＤＰ駆動波形を示す図である。
【符号の説明】
【００４１】
ＰＡ１      前面パネル
ＰＡ２      背面パネル
１４      アドレス電極
１９ａ      走査電極
１９ｂ      維持電極
２０      放電空間
２１      走査電極駆動回路
２２      維持電極駆動回路
２３      アドレス電極駆動回路
２４      タイミング発生回路
Ｌ，Ｌ２，Ｌ３  レベル変化回路
【発明を実施するための最良の形態】
【００４２】
ＰＤＰ装置は、ＰＤＰと駆動回路とで構成されている。
図１は、本発明の一実施形態にかかるＰＤＰの構成を示す図である。
このＰＤＰ１は、従来の一般的なＰＤＰと同様の構成であって、前面パネルＰＡ１と背面パネルＰＡ２とが互いに貼り合わせられて構成されている。
前面パネルＰＡ１は、前面ガラス基板１１上に、走査電極１９ａ及び維持電極１９ｂからなる放電電極対が複数ストライプ状に配設され、走査電極１９ａおよび維持電極１９ｂを覆うように誘電体層１７および保護層１８が積層形成されて構成されている。走査電極１９ａは、透明電極１９ａ1および金属電極１９ａ2で形成され、維持電極１９ｂも透明電極１９ｂ1，金属電極１９ｂ2で形成されている。【００４３】
背面パネルＰＡ２は、背面ガラス基板１２上にアドレス電極１４が複数ストライプ状に配設され、アドレス電極１４を覆うように誘電体層１３が形成され、誘電体層１３上に隔壁１５が形成されて構成されている。
上記放電電極対とアドレス電極１４とは立体交差しており、各交差箇所に放電セルが形成されている。上記隔壁１５は、アドレス電極１４に沿ってストライプ状に形成されたり、各放電セルの放電空間２０を箱状に囲むように形成される。【００４４】
隔壁１５の内面には、蛍光体層１６が塗布されている。通常、カラー表示のために、赤、緑、青の三色の蛍光体層が順に配置される。
隔壁１５で区切られた放電空間２０には放電ガスが封入されている。
駆動回路として、走査電極を駆動する走査電極駆動回路、維持電極を駆動する維持電極駆動回路、アドレス電極を駆動するアドレス電極駆動回路を備え、これらの駆動回路が各電極に電圧を印加することによって、各放電セル内でガス放電により紫外線を発生させ、この紫外線でＲＧＢ各色の蛍光体を励起発光させてカラー表示を行う。【００４５】
（駆動部の全体構成）
図２は、ＰＤＰ１を駆動する駆動部の構成を示す図である。
図２に示すように、駆動部は、走査電極駆動回路２１、維持電極駆動回路２２、アドレス電極駆動回路２３、タイミング発生回路２４、Ａ／Ｄ（Ａｎａｌｏｇ／Ｄｉｇｉｔａｌ）変換部２５、走査数変換部２６、サブフィールド変換部２７、ＡＰＬ（Ａｖｅｒａｇｅｄ  Ｐｉｃｔｕｒｅ  Ｌｅｖｅｌ）検出部２８などを備えている。【００４６】
駆動部において、映像信号ＶＤは、Ａ／Ｄ変換部２５に入力され、水平同期信号Ｈおよび垂直同期信号Ｖは、Ａ／Ｄ変換部２５、走査数変換部２６およびサブフィールド変換部２７に入力される。また、垂直同期信号Ｖはタイミング発生回路２４にも入力される。
Ａ／Ｄ変換部２５は、入力された映像信号ＶＤをデジタル信号の画像データへと変換し、変換後の画像データを走査数変換部２６およびＡＰＬ検出部２８へと出力する。【００４７】
走査数変換部２６は、Ａ／Ｄ変換部２５から受け付けた画像データをＰＤＰ１の画素数に応じた画像データへと変換し、サブフィールド変換部２７へと出力する。サブフィールド変換部２７は、サブフィールドメモリ（不図示）を備え、走査数変換部２６から転送されてくる画像データをＰＤＰ１に階調表示させるための各サブフィールドでの放電セルの点灯／非点灯を示す２値データの集合であるサブフィールドデータに変換し、一旦サブフィールドメモリに格納する。そして、タイミング発生回路２４からのタイミング信号に基づきサブフィールドデータを走査電極駆動回路２１へと出力する。【００４８】
ＡＰＬ検出部２８は画像データの平均輝度レベルを検出する。駆動部では、検出した平均輝度レベルに基づいて駆動波形を制御するのに用いることができる。
タイミング発生回路２４は、垂直同期信号Ｖから一定時間経過した時点でフィールド開始信号を生成し、このフィールド開始信号を起点に各サブフィールドの初期化期間、アドレス期間、維持期間の開始を指示するタイミング信号を生成する。さらに、各期間の開始を指示するタイミング信号を起点としてクロックをカウントすることにより、各駆動回路２１〜２３にパルス発生のタイミングを指示するタイミング信号を生成し、これら各種タイミング信号を各駆動回路２１〜２３に出力する。【００４９】
そのため、タイミング発生回路２４には、各サブフィールドの開始から各パルス立ち上がりまでの時間及びパルス立下りまでの設定時間がクロックＣＬＫの数に換算されて格納されていて、サブフィールドの開始と同時に、時間カウンタＣＴをリセットして、時間カウンタＣＴが各設定時間になると、各駆動回路２１〜２３に、パルスの立ち上がりあるいは立下りの指示をする。【００５０】
各駆動回路２１〜２３は、公知のドライバＩＣなどを備え、タイミング発生回路２４から送られてくるタイミング信号に基づいて以下のようにＰＤＰ１に駆動パルスを印加する。
走査電極駆動回路２１は、タイミング発生回路２４から送られてくるタイミング信号に基づいて、走査電極ＳＣＮに、走査パルス、維持パルスなどを印加する。【００５１】
維持電極駆動回路２２は、タイミング発生回路２４から送られてくるタイミング信号に基づいて、維持電極ＳＵＳに維持パルスなどを印加する。
アドレス電極駆動回路２３は、アドレスＩＣ群を備え、アドレス期間に、タイミング発生回路２４から送られてくるタイミング信号に応じて、アドレス電極Ｄの中から、サブフィールドデータに基づいて選択したものにアドレスパルスを印加する。【００５２】
なお、走査電極駆動回路２１、維持電極駆動回路２２、及びアドレス電極駆動回路２３には、走査電極、維持電極及びアドレス電極の電位を多数レベルで変化させるレベル変化回路が備えられている。
以下、駆動回路が各電極に印加する駆動波形を説明する。
ＰＤＰを駆動するのに一般的にサブフィールド方式が用いられている。テレビ映像を表示するＮＴＳＣ方式における映像は、１秒間６０ＴＶフィールドで構成されており、１ＴＶフィールドを複数のサブフィールド（以下、「ＳＦ」と記載する）に分割することによって、赤、緑、青の各色の点灯時間を時分割し、その組み合わせによって中間色を表現する。【００５３】
本実施形態の駆動方法において、上記図４３に示す１ＴＶフィールドの構成と同様、１ＴＶフィールドが、輝度重みを持つ複数のサブフィールド（ＳＦ１，ＳＦ２，ＳＦ３‥）で構成されている。
ＳＦ１は階調１に相当する最低階調のＳＦである。
ＳＦ１を除く各ＳＦ（ＳＦ２以降のＳＦ）は、２以上の階調に相当するＳＦであって、初期化期間，アドレス期間及び維持期間を有している。そして、各維持期間において、ＳＦの重み付けにほぼ比例した数の維持パルスを印加する。すなわち、ＳＦ２では２階調目の輝度重み、ＳＦ３では３階調目の輝度重みに相当する数の維持パルスが印加される。【００５４】
本実施形態においては、１ＴＶフィールドを構成する複数のサブフィールド（ＳＦ１，ＳＦ２，ＳＦ３‥）を、輝度重みが最小のＳＦ１を含む比較的輝度重みの小さいサブフィールドからなる第１サブフィールド群と、それ以外のサブフィールドからなる第２サブフィールド群とに分けて、第１サブフィールド群と第２サブフィールド群とで各電極に印加する電圧が異なっている。すなわち、下記の特徴Ａを備えると共に、特徴Ｂ、特徴Ｃのいずれかあるいは両方を備えている。【００５５】
特徴Ａ：第１サブフィールド群の少なくとも輝度重み最小のサブフィールドにおいて、第２サブフィールド群と比べて、アドレス期間のアドレス放電の強度を小さくする。
特徴Ｂ：第１サブフィールド群の少なくとも輝度重み最小のサブフィールドにおいて、維持放電させるときにアドレス電極に正極性の電圧を印加する。
特徴Ｃ：複数のサブフィールドのうち少なくとも１つのサブフィールドに、初期化期間において、第１電極の電位が電圧勾配１０Ｖ／μｓ以下でランプ状に上昇する電位上昇期間を有する全セル初期化期間を設け、当該全セル初期化期間の電位上昇期間の少なくとも一部期間において、アドレス電極に正極性の電圧を印加する。【００５６】
上記特徴Ａを実現するには、第２サブフィールド群のアドレス期間には、維持電極を正極性の第１電位に保持し、第１サブフィールド群の中で少なくとも輝度重み最小のサブフィールドのアドレス期間には、維持電極の電位をグランド電位よりも高く且つ第１電位よりも低い第２電位に保持すればよい。
第１サブフィールド群には、輝度重みが最小のＳＦ１だけが含まれていても良いし、ＳＦ１とともに、ＳＦ２，ＳＦ３，ＳＦ４から選択された１以上のサブフィールドを含んでもよいが、以下の実施例では、第１サブフィールド群はＳＦ１で構成され、第２サブフィールド群はＳＦ２以降のサブフィールドで構成されるものとして説明する。【００５７】
以下の各実施例で駆動方法の具体例を説明する。
【実施例１】
【００５８】
図３は、実施例１にかかる各駆動回路がＰＤＰの各電極に印加する駆動電圧波形であり、１階調目〜３階調目（ＳＦ１〜ＳＦ３）について示している。
図３ではＳＦ４以降は示されていないが、ＳＦ３と同じ駆動波形を有し、維持パルスの個数が異なるだけである。
次に、初期化期間，アドレス期間，維持期間について各々説明する。【００５９】
初期化期間：
初期化期間においては、すべての走査電極に一括して初期化パルスを印加することによって弱放電を発生させ、それ以前の個々の放電セルに対する壁電荷の履歴を消すとともに、続くアドレス動作のために必要な壁電荷を形成する。
この初期化には２種類あって、走査電極に上昇するランプ波形電圧を加えて全ての放電セルで一斉に初期化放電する全セル初期化と、初期化前のＳＦで点灯した放電セルのみを選択的に初期化放電する選択的初期化がある。【００６０】
本実施例においては、１ＴＶフィールド内のＳＦ２では、初期化期間で、全セル初期化パルスを走査電極に印加してすべての放電セルに初期化放電を発生させ、それ以外のＳＦ（ＳＦ１とＳＦ３以降のＳＦ）では、初期化期間に、走査電極に選択初期化パルスを印加することによって、先行するＳＦで維持放電を経験した放電セルのみで初期化放電を発生させる。【００６１】
ＳＦ２で印加する全セル初期化パルスは、図３に示されるように、前半に、正の緩やかな傾き（電圧勾配１０Ｖ／μｓ以下）で、最高電位Ｖset（Ｖ）へ上昇する上昇ランプ波形部分Ｓ1を有する。この上昇ランプ波形部分Ｓ1では、維持電極およびアドレス電極は、基本的に接地電位０（Ｖ）に保持する。
上昇ランプ波形部分Ｓ1では、放電空間内の電位差が放電開始電圧よりも高くなって、放電空間に微弱な気体放電（電離増倍が時間的に緩やかに進展する弱放電）が発生し、当該気体放電で発生した電荷が、放電空間を囲む壁面におけるアドレス電極、走査電極、維持電極周辺に壁電荷として蓄積される。この壁電荷は、放電空間および電極表面の電界を弱めるように、走査電極付近の保護層表面には負電荷が、維持電極付近の保護層表面およびアドレス電極付近の蛍光体層１６表面には正電荷が蓄積される。【００６２】
全セル初期化パルスの後半には、負の緩やかな傾き（電圧勾配１０Ｖ／μ以下）で、最低電位Ｖset2（Ｖ）に向かって下降する下降ランプ波形部分Ｓ2を備える。
この下降ランプ波形部分Ｓ2では、走査電極の電位が正から負に入れ替わりながら、弱放電が発生することによって、走査電極付近の保護層表面に蓄積された負電荷および維持電極付近の保護層表面に蓄積された正壁電荷が弱められる。【００６３】
このように２回の微弱放電で全ての放電セルが均一的に初期化されて、走査電極とアドレス電極および維持電極との間に、書き込み動作に適した壁電位が形成される。
このようにＳＦ１に続くＳＦ２で、全セル初期化を行なうことよって、ＳＦ１で点灯した放電セルも点灯しなかった放電セルも、全てが均一的に初期化される。
ＳＦ１及びＳＦ３以降のＳＦにおいて、走査電極に印加する選択初期化パルスは、図３に示されるように、電位Ｖsus（Ｖ）から電位Ｖset2（Ｖ）に向かって緩やかな傾斜（電圧勾配１０Ｖ／μｓ以下）で下降する下降ランプ波形部分Ｓ3を有する。【００６４】
この選択初期化パルスによって、前のサブフィールドの維持期間で維持放電を行った放電セルで選択的に微弱放電が発生して走査電極とアドレス電極および維持電極との間の壁電圧が弱められて書込み動作に適した範囲に調整され、アドレス電極上の壁電圧も調整される。一方、前のサブフィールドで書込み放電および維持放電を行わなかった放電セルでは、放電することがなく、前のサブフィールドの初期化期間終了時における壁電荷がそのまま保たれる。【００６５】
各サブフィールドの初期化期間において、走査電極に下降ランプ波形部分Ｓ2，Ｓ3が印加されているときには、維持電極は電位Ｖｅ（Ｖ）に保持し、アドレス電極は基本的に接地電位０（Ｖ）に保持する。
ただし、後で詳述するように、第１サブフィールド群のＳＦ１の初期化期間における維持電極の電位を、第２サブフィールド群に属するＳＦ２以降のサブフィールドの初期化期間の電位Ｖｅよりも高い電位ＶｅＨ（Ｖ）に保持してもよい。このように初期化期間における維持電極の電位を調整することによって、各放電セルに形成する電荷量を調整することができ、それによって、低階調ＳＦにおけるアドレス放電に起因する輝度を調整することもできる。【００６６】
なお、初期化パルスの波形は、上記のようなものに限定されることはなく、走査電極とアドレス電極との間の電位差が緩やかに上昇あるいは下降して、微弱放電が連続的に発生する状態を実現できればよい。
アドレス期間：
アドレス期間には、維持電極を正電位に保った状態で、走査電極に対して負極性の走査パルス（電位Ｖad）を印加するとともに、点灯させようとする放電セルに対応するアドレス電極に対してのみ、正極性のアドレスパルス（電位Ｖda）を選択的に印加する。【００６７】
初期化期間終了時には、走査電極側に負極性の壁電荷、アドレス電極側に正極性の壁電荷が形成されているが、上記のように、走査電極，維持電極，アドレス電極に、壁電荷と同極性の電圧を形成することによって、走査電極とアドレス電極との間で選択的にアドレス放電が発生し、これをきっかけにして、走査電極と維持電極との間にもアドレス放電が広がって、続く維持動作するのに適した壁電荷が形成される。【００６８】
そして、アドレス放電が発生した放電セルでは、蛍光体層表面および維持電極付近の保護層表面には負電荷、走査電極付近の保護層表面には正電荷が壁電荷として蓄積される。そして、アドレス期間が終了し、すべての電極が接地された状態では、走査電極と維持電極間に維持放電を発生させるのに適した壁電位が形成される。
なお、後で詳述するが、第１サブフィールド群に属するＳＦ１のアドレス期間における維持電極の電位ＶeLは、第２サブフィールドに属するＳＦ２以降のアドレス期間における維持電極の電位（Ｖｅ＋Ｖe2）よりも低目に設定されている。それによって、ＳＦ１のアドレス期間におけるアドレス放電の広がりを、低階調輝度を表すのに適した大きさに調整できる。【００６９】
維持期間：
維持期間には、まず走査電極に正極性の維持パルス（電位Ｖsus）を印加し、続いて、維持電極と走査電極とに交互に正極性の維持パルス（電位Ｖsus）を印加する。これによって、アドレス期間にアドレス放電を行なった放電セルでは、維持パルスが印加される回数に応じて維持放電がなされる。ＳＦ２の維持期間には維持パルスが１回だけ印加され、ＳＦ３の維持期間には維持パルスが３回印加され、ＳＦ４以降の維持期間には維持パルスがより多い回数印加される。【００７０】
そして、ＳＦ３以降では、維持期間の最後の維持パルスが印加された後、消去動作がなされる。消去動作とは維持放電を途中で停止させることであって、本実施例では走査電極の電位を上げた後すぐに維持電極の電圧を上げることによって実現している。この消去により、続くＳＦの選択的初期化の後に蓄積される壁電荷の量を、続くＳＦの書き込み動作に適した状態にする。【００７１】
なお、消去動作は維持放電のときに壁電荷が多量に蓄積されていなければ実現できないが、ＳＦ３では、印加する維持パルス数が少ないので、壁電荷が蓄積されにくい。従って、ＳＦ３ではＳＦ４以降と比べて、消去動作を行なう時間を長くすることが確実に消去動作する上で好ましい。
（アドレス期間における維持電極の電位）
本実施例の駆動方法では、第１サブフィールド群に属するＳＦ１と、第２サブフィールド群に属するＳＦ２以降のＳＦとで、アドレス期間における維持電極の電位が異なっており、ＳＦ１のアドレス期間における維持電極の電位ＶeLは、ＳＦ２以降のＳＦのアドレス期間における維持電極の電位（Ｖｅ＋Ｖe2）よりも低く設定されている。【００７２】
このようにアドレス期間における維持電極の電位を設定することによって、以下のように低階調表示性能が向上する。
アドレス期間における維持電極の電位を低く設定するほど、走査電極と維持電極との間でアドレス放電の広がりが小さくなる。
すなわち、アドレス期間においては上記のように、点灯させる放電セルでは、走査電極に負の走査パルスを印加すると共にアドレス電極に正のアドレスパルスを印加することによって、走査電極とアドレス電極との間でアドレス放電を発生するが、このとき、維持電極は正電位に保持されているので、走査電極とアドレス電極との間で発生したアドレス放電は、走査電極と維持電極との間にまで広がる。ここで、維持電極の電位が低いほど、走査電極の電位Ｖadとの電位差が小さくなるので、走査電極と維持電極との間の放電が小さくなり、発光輝度も小さくなる。【００７３】
従って、ＳＦ１で、維持電極の電位ＶeLを低めに設定することによって、アドレス放電の広がりを小さくしてアドレス放電に伴う発光輝度を低減し、低階調（階調１）の輝度を低く抑えることができ、低階調（階調１）の輝度を、２階調目の輝度の半分程度に抑えることもできる(特徴Ａ)。
ＳＦ１でアドレス放電の広がりが小さい(特徴Ａを備える)と、壁電荷が十分に形成されにくいが、ＳＦ１では維持期間にアドレス電極に正極性の電圧を印加する（特徴Ｂと備える）ので、壁電荷が少なくても維持放電させることができる。この点については、後の維持期間のところで説明する。【００７４】
ＳＦ２以降のＳＦにおいては、維持電極の電位（Ｖｅ＋Ｖe2）を適度に高く設定することによってアドレス放電の広がりを大きくして書き込みを安定して行うことができる。ＳＦ２以降のＳＦでは、アドレス放電に伴う発光量は大きいが、ＳＦ２以降のＳＦは、低階調ではなく、２階調目以上を表示するＳＦなので、低階調表示性能には影響しない。
このように、ＳＦ１のアドレス期間における維持電極の電位ＶeLを、ＳＦ２以降のＳＦのアドレス期間における維持電極の電位（Ｖｅ＋Ｖe2）よりも低く設定することによって、低階調表示性能を向上させることができる。【００７５】
なお、ＳＦ１のアドレス期間の維持電極の電位ＶeLを、ＳＦ２以降の込み期間の維持電極の電位と同じにした場合は、低階調（階調１）の輝度を、階調２の輝度の半分程度に抑えることは難しい。一方、ＳＦ１のアドレス期間に維持電極をグランド電位にすると走査電極と維持電極との間でアドレス放電が広がらないので、維持放電しなくなり、低階調（階調１）の輝度が小さくなりすぎる傾向にある。【００７６】
また、実施例３の図３３（ａ）に示されるように、ＳＦ１のアドレス期間の維持電極の電位ＶeLを低くし過ぎると維持放電しなくなり、初期化ミスが発生しやすくなるので、その点も考慮して電位ＶeLを設定すればよい。
この具体例としては、ＳＦ２以降のＳＦのアドレス期間における維持電極の電位（Ｖｅ＋Ｖe2）が１６０Ｖ、ＳＦ１のアドレス期間における維持電極の電位ＶeLが１００Ｖである。【００７７】
なお、ＳＦ１では消去動作を行なわないので、続くＳＦの選択的初期化後に蓄積される壁電荷が少なくなり、次のＳＦ２では、緑色の放電セルでアドレス放電時に横クロストーク（隣の赤色と青色の放電セルに壁電荷が抜ける現象）が発生しやすく、それによって、次のＳＦ３では緑色放電セルの点灯不良が生じやすい（緑色放電セルに点灯不良が生じると白色がマゼンタ色になる）傾向がある。この点に対しては、ＳＦ２のアドレス期間における維持電極の電位Ｖｅを低目に設定することによって、アドレス放電の広がりを抑え、横クロストークを防止することができる。また、ＳＦ２で横クロストークして壁電荷が少なくなった放電セルにおいても、ＳＦ３のアドレス時間を延ばすことによって安定してアドレス放電することができる。【００７８】
（アドレスパルス、走査パルスによるアドレス放電の調整）
本実施例の駆動方法において、上記のように第１サブフィールド群に属するＳＦ１のアドレス期間における維持電極の電位ＶeLを、第２サブフィールド群に属するＳＦ２以降のＳＦのアドレス期間における維持電極の電位（Ｖｅ＋Ｖe2）よりも低く設定するのに加えて、アドレス期間にアドレス電極に印加するアドレスパルスの電位やパルス幅、あるいは走査電極に印加する走査パルスの電位を、ＳＦ２以降のＳＦとＳＦ１とで別々の値に設定してもよい。【００７９】
ここで、アドレスパルスの電位を低くするほど、またアドレスパルスのパルス幅を狭くするほど、また走査パルスの電位を高くするほど、アドレス放電が弱くなり、アドレス放電に伴う発光が弱くなるので、アドレスパルスの電位，アドレスパルスパルス幅、あるいは走査パルスの電位を調整することによっても、ＳＦ２以降のＳＦにおけるアドレス放電の広がりとＳＦ１におけるアドレス放電の広がりとを個別に調整することができる。【００８０】
従って、ＳＦ２以降のＳＦにおいて安定した書き込みを行ないながら、ＳＦ１（１階調目）の輝度を適度な大きさに調整するのに有効である。
アドレスパルスの電位，アドレスパルスパルス幅、あるいは走査パルスの電位と、アドレス放電の広がりとの関係を以下にまとめる。
ＳＦ２以降のＳＦのアドレス期間において、アドレス電極に印加するアドレスパルスの電位をＶda、パルス幅をＰw、走査電極に印加する走査パルスの電位Ｖadとする。【００８１】
ＳＦ１のアドレス期間において、アドレス電極に印加するアドレスパルスの電位をＶda1、パルス幅をＰw1、走査電極に印加する走査パルスの電位をＶad1とする。
このとき、アドレスパルス、走査パルスの設定の仕方によって、アドレス放電の強さが、以下のように変わる。
（１）アドレスパルスの電位差（Ｖda−Ｖda1）が大きいほど、ＳＦ２以降のＳＦと比べてＳＦ１におけるアドレス放電の広がりが小さくなり輝度が下がる。【００８２】
（２）アドレスパルスパルス幅差（Ｐw−Ｐw1）が大きいほど、ＳＦ２以降のＳＦと比べてＳＦ１におけるアドレス放電の広がりが小さくなり輝度が下がる。
（３）走査パルスの電位（|Ｖad|−|Ｖad1|）が大きいほど、ＳＦ２以降のＳＦと比べてＳＦ１におけるアドレス放電の広がりが小さくなり輝度が下がる。
なお、第１サブフィールド群に属するＳＦ１と、第２サブフィールド群に属するＳＦ２以降のＳＦとの間で、これら３つの設定項目（アドレスパルスの電位、アドレスパルスパルス幅、走査パルスの電位）の中、１項目だけを変えてもよいし、２項目、３項目を組み合わせて変えてもよい。  【００８３】
アドレスパルス幅を設定する具体例を挙げると、ＳＦ２以降のＳＦでは、アドレスパルス幅Ｐwを、通常のアドレスパルス幅の範囲内（４．０μsec〜２．０μsec程度）に設定することによって、アドレス放電を走査電極と維持電極との間に広げる。それによって確実に書き込みを行なうことができる。一方、ＳＦ１のアドレスパルス幅Ｐw1を、ＳＦ２より短く設定することによって、アドレス放電が走査電極と維持電極との間に広がる途中でアドレスパルスを終了して放電を停止する。それによって、低階調（ＳＦ１）の発光輝度を低く抑えることができる。反対に、ＳＦ１のアドレスパルス幅Pw1を、SF２のアドレスパルス幅より長く設定することによって、低階調（ＳＦ１）の発光輝度が上昇するが、安定してアドレス放電することができる。【００８４】
なお、ここでは、ＳＦ１のアドレス期間における維持電極の電位ＶeLを、ＳＦ２以降のＳＦのアドレス期間における維持電極の電位（Ｖｅ＋Ｖe2）よりも低く設定した上で、アドレスパルス、走査パルスによるアドレス放電の調整することとしたが、ＳＦ１とＳＦ２以降のＳＦとでアドレス期間における維持電極の電位が同じ場合でも、アドレスパルス、走査パルスによるアドレス放電を調整することは、低階調表示性能を向上させるのに有効である。【００８５】
（初期化期間に形成する壁電荷量によるアドレス放電の調整）
本実施例の駆動方法では、ＳＦ１のアドレス期間における維持電極の電位ＶeLを、ＳＦ２以降のＳＦのアドレス期間における維持電極の電位（Ｖｅ＋Ｖe2）よりも低く設定することでアドレス放電を調整したが、これに加えて、初期化期間に形成する壁電荷量がＳＦ２以降のＳＦとＳＦ１とで異なるように初期化期間の条件を設定することによりアドレス放電を調整してもよい。【００８６】
ここで、初期化期間における走査電極の最低電位Ｖset21，Ｖset2を高く設定するほど、また、初期化期間における維持電極の電位を高く設定するほど、初期化期間終了時における壁電荷量が多くなる。
そして、初期化期間に壁電荷が多く蓄積されるほど、続くアドレス期間にアドレス放電が強くなり、アドレス放電に伴う発光輝度が高くなる。ただし、初期化期間に壁電荷量が多いと、書き込み時のアドレス電圧Ｖdaが低くてもアドレス放電が発生するので、アドレス電圧Ｖdaを低く設定できる。アドレス電圧Ｖdaを低くすると、それだけアドレス放電は弱くなる。【００８７】
従って、上記のように、初期化期間における走査電極の最低電位Ｖset21，Ｖset2や維持電極の電位を調整することによって、ＳＦ２以降のＳＦにおけるアドレス放電の広がりとＳＦ１におけるアドレス放電の広がりとを個別に調整することができる。
よって、ＳＦ２以降のＳＦとＳＦ１とで壁電荷量を個別に調整することは、ＳＦ２以降のＳＦにおいて安定した書き込みを行ないながら、ＳＦ１（１階調目）の輝度を適度な大きさに調整するのに有効である。【００８８】
初期化期間における電極電位と形成される壁電荷量との関係を以下にまとめる。
（１）ＳＦ１の初期化期間下降ランプ波形時における維持電極の電位ＶeHを、ＳＦ２以降のＳＦの初期化期間下降ランプ波形時における維持電極の電位Ｖeよりも高く設定する。
初期化期間における下降ランプ波形部分では、維持電極の電位をＶｅに保った状態で、走査電極の電位を負電位Ｖset2まで下げるが、維持電極の電位Ｖeを高くするほど、初期化期間の終了時において維持電極と走査電極との電位差（Ｖｅ−｜Ｖad＋Ｖset2｜）は大きくなり、ランプ放電される時間も長くなる。従って、下降ランプ波形時における維持電極の電位Ｖeを高くすることによってＳＦ１の初期化期間終了時に、走査電極と維持電極との間に多くの壁電荷が蓄積される。壁電荷量が多いほど輝度が高くなる。【００８９】
（２）ＳＦ１ではＳＦ２以降のＳＦと比べて、初期化期間における走査電極の最低電位Ｖset21を高く設定すると、初期化期間の終わりに壁電荷として残る電荷量が多くなり、反対にＶset21を低く設定すると初期化期間の終わりに残る壁電荷量が少なくなる。壁電荷量が多いほど輝度が高くなる。
なお、ここで、ＳＦ１のアドレス期間における維持電極の電位ＶeLを、ＳＦ２以降のＳＦのアドレス期間における維持電極の電位（Ｖｅ＋Ｖe2）よりも低く設定した上で、初期化期間に形成する壁電荷量を調整することとしたが、ＳＦ１とＳＦ２以降のＳＦとでアドレス期間における維持電極の電位が同じ場合でも、初期化期間に形成する壁電荷量を調整することによってアドレス放電を調整することは、低階調表示性能を向上させるのに有効である。【００９０】
（維持期間）
図３に示すように、ＳＦ１の維持期間には、維持電極をグランド（ＧＮＤ）電位とし、走査電極の電位を正電位Ｖpr1に保持しながら、アドレス電極に正電圧（ＶdaまたはＶda1）を加える。この電圧の大きさは１５Ｖ以上、１５０Ｖ以下とするのが好ましい。
一般的に、アドレス期間にアドレス放電を小さくする（特徴Ａを備える）と、維持期間に十分な維持放電が行われにくくなり、次の全セル初期化期間に初期化ミスが発生しやすくなる。【００９１】
しかし、本実施例では、維持期間にアドレス電極に正極性の電圧（ＶdaまたはＶda1）を印加している（特徴Ｂを備える）ので、前面パネルＰＡ１の保護層１８表面（詳しくは、保護層１８表面のうち維持電極１９ｂが配設されている領域）からアドレス電極方向に電子が放出されやすくなる。この保護層１８表面から放出される電子を種火として、走査電極１９ａと維持電極１９ｂの間で発生する。  従って、アドレス期間にアドレス放電の規模が小さくても、維持期間に大きな放電遅れが生じることなく、維持放電がなされ、壁電荷の形成が正常になされる。【００９２】
よって、次のＳＦ２における全セル初期化期間の電位上昇期間Ｓ１において、初期化ミスが発生しにくくなる。
ＳＦ１の維持期間に走査電極に印加する正電圧Ｖpr1は、（１）維持パルスの電位Ｖsusと同程度の高さに設定してもよいし、（２）維持パルスの電位Ｖsusと比べて低く設定してもよい。【００９３】
（１）のように正電圧Ｖpr1を高めに設定すると、書き込みがなされた放電セルで維持放電がなされるので、ＳＦ１の発光輝度が比較的高く（１ｃｄ／ｍ2程度）なり、（２）のように正電圧Ｖpr1を低目に設定すると、書き込みがなされた放電セルで維持放電されないので、ＳＦ１の発光輝度が低く（０．５ｃｄ／ｍ2程度）となる。（２）は維持放電しないので初期化ミスしやすくなるが、（１）よりもさらにアドレス放電を弱めることで初期化ミスを防止することができる。【００９４】
（画像データの平均輝度レベル（ＡＰＬ）に基づくアドレス放電の調整）
上記説明では、ＳＦ１のアドレス放電の大きさを、画像データによって変動させることについては述べなかったが、ＡＰＬ検出部２８で検出した画像データの平均輝度レベルに基づいて変動させるようにしても良い。
例えば、ＳＦ１のアドレス期間における維持電極の電位ＶeLの大きさを変動させてもよい。そのために、ＡＰＬ検出部２８で1フレームごとにＡＰＬを検出し、ＡＰＬの値が比較的小さい場合は、コントラストを重視して維持電極の電位ＶeLを低めに調整し、ＡＰＬの値が比較的大きい場合は、階調と輝度のバランスを重視して、維持電極の電位ＶeLを高めに調整することが考えられる。【００９５】
このように調整することにより、画面の明るさに応じて、必要な画像特性が得られる。
（上記駆動波形を形成するための駆動回路）
図２に示したプラズマディスプレイ駆動回路中、走査電極駆動回路２１の詳細な構成を図４〜図７に、維持電極駆動回路２２の詳細な構成を図８〜１８に、アドレス電極駆動回路２３の詳細な構成を図１９〜２１に示す。以下、各回路について分説する。【００９６】
１．走査電極駆動回路
走査電極駆動回路は、初期化パルス（電圧Ｖset，Ｖset2）、走査パルス（電圧Ｖad、Ｖscn）、維持パルス（電圧Ｖsus）、電圧Ｖpr1を出力する回路であって、その構成の一例を示す。
図４〜７は、レベル変化回路を備えた走査電極駆動回路の一例を示す図である。【００９７】
図４に示すように、走査電極駆動回路には、電源電圧として、維持パルス用の正極性電源電圧（Ｖsus）、全セル初期化パルス用のＨｉ側正極性電源電圧（Ｖset）、書き込み用Ｈｉ側正極性電源電圧（Ｖscn）、Ｌo側負極性電源電圧（Ｖad）が設けられ、各電源電圧端子と、走査電極ＳＣＮへ出力する出力端子との間に、ＦＥＴ（電界効果トランジスタ）からなるスイッチング素子が設けられ、各スイッチング素子を制御することによって出力端子から出力する電圧を制御するようになっている。【００９８】
図４の回路は、レベル変化回路Ｌを除き、走査電極駆動回路として従来から用いられている回路であり、各サブフィールド期間ＳＦ１、ＳＦ２、ＳＦ３・・・において、維持期間の無効電力を回収しつつ、図３に示したような電圧波形を出力端子から発生し、ＰＤＰの走査電極に印加する。この回路（レベル変化回路を除く）の詳細な動作は、国際出願（出願番号：ＰＣＴ／ＪＰ０２／０６１８０）に述べられているので、ここでは詳細な説明を省略する。【００９９】
レベル変化回路Ｌは、サブフィールドＳＦ１の維持期間に、走査電極に正電圧Ｖpr1を印加する回路であり、具体例が図５，６に示されている。図５，６のいずれも固定電圧としての正電圧Ｖpr1のスイッチング素子をオンオフすることにより、図４のＡ点に印加・停止するものである。スイッチング素子のオンオフは、ゲートに供給されるタイミング信号PR1によって制御される。このタイミング信号PR1は、図３の波形図からもわかるように、ＳＦ１の維持期間の開始点よりも少し遅れたタイミングである。タイミング信号PR1を維持期間の開始点からどの程度の時間が経って発生するかは、経験的に定められる。【０１００】
ＰＤＰでは、全てのサブフィールドＳＦ１，ＳＦ２，ＳＦ３・・・の開始点、さらに各サブフィールド内の初期化期間、アドレス期間、維持期間の開始点は、全てタイミング発生回路２４内に設けられた高速クロックカウンタのカウント値によって決定される。前記タイミング信号ＰＲ１も維持期間の開始点よりも一定値だけ遅延させれば良いので、高速クロックカウンタのカウント値をモニタする回路をもう一つ増やすだけで対応できる。【０１０１】
図４の走査電極駆動回路に戻って、レベル変化回路Ｌが図５、または図６の構成に従って、Ａ点に正電圧Ｖpr1を印加し、スイッチング素子−ＣＰＨ，−ＣＥＬをオンすることで、パネルのスキャン電極に前記正電圧Ｖpr1が供給される。
図７は、走査電極駆動回路の他の例を示している。この例では、破線で囲んだ部分がレベル変化回路Ｌであり、その他の回路は図４と実質同一である。このレベル変化回路は、図６の変形例に相当し、Ｖpr1の電圧を蓄積するキャパシタＣ1をさらに備えている。【０１０２】
走査電極駆動回路は、タイミング発生回路２４から送られてくるタイミング信号に基づいて次のように動作する。
初期化期間の上りランプ波形部分Ｓ1では、スイッチング素子ＣＰＨ，−ＣEＬをオンすることによって、出力電圧を電圧Ｖsetまで上昇させる。下降ランプ波形部分Ｓ2，Ｓ3では、スイッチング素子ＣＥＬをオンすることによって、出力電圧を電圧Ｖadまで下降させる。【０１０３】
アドレス期間においては、スイッチング素子ＳＣＳＵ、ＣＥＬ２をオンし、スキャンＩＣ群のスイッチング素子を制御することによって、電圧Ｖscnまたは電圧Ｖadを出力する。
ＳＦ２以降の維持期間においては、スイッチング素子−ＣＰＨ、−ＣＥＬをオンし、ＣＭＨ、ＣＭＬを制御することによって、電圧Ｖsusまたはグランド電位を出力する。このとき、スキャンＩＣ群をノイズによる過電圧から保護するためにスイッチング素子−ＣＥＬ２をオンしてもよい。【０１０４】
ＳＦ１の維持期間においては、スイッチング素子−ＣＰＨ、−ＣＥＬをオンし、図５または６に示すレベル変化回路のスイッチング素子ＰＲ１をオンして、電圧Ｖpr1を出力する。
なお、ＳＦ１とＳＦ２以降とで走査パルスの最低電位Ｖadを変える場合は、電源Ｖadに電圧を変化させる回路を付加すればよい。【０１０５】
２．維持電極駆動回路
図８は、維持電極駆動回路を示す図である。
維持電極駆動回路は、維持期間に電位Ｖsus、ＳＦ２以降の初期化期間及びアドレス期間に電位Ｖe及び電位Ｖe2、ＳＦ１の初期化期間に電位ＶeH、アドレス期間に電位ＶeLを出力する回路であって、レベル変化回路Ｌ２を備えている。電位ＶeHは電位ＶeLよりも高く、ＶeH＞ＶeLとなっている。【０１０６】
レベル変化回路L２は、図９に示すように４つの電源（電圧ＶeH、ＶeL、Ｖe、Ｖe2）と、スイッチング素子ＵＥＨ，ＵＥＬ，ＵＥＭ２，ＵＥＳ、キャパシタＣ2を備え、各スイッチング素子をオンオフしたり、キャパシタＣ2を充放電することによって、必要な期間に所定のタイミングで維持電極に電圧を印加する。必要な期間、タイミングについては、図３の波形図から理解されるように、電圧ＶeHは、ＳＦ１の初期化期間に印加され、電圧ＶeLは、ＳＦ１のアドレス期間に印加され、電圧Ｖe及び電圧（Ｖe＋Ｖe2）は、ＳＦ２以降のサブフィールドにおいて、所定のタイミングで印加される。【０１０７】
キャパシタＣ2には、スイッチング素子−ＵＥＭ２がオンした際に図示する極性に電圧が充電される。従って、その後にスイッチング素子ＵＥＭ２がオンすると、電圧Ｖe2にキャパシタＣ2の充電電圧が加算されて、Ａ点に出力される。
これら各電圧を印加するタイミング信号は、既述した高速クロックカウンタのカウント値をモニタする回路により構成される。【０１０８】
図１０は、図９の変形例で、スイッチング素子の１部をダイオードに変更しただけであって、特性において差異は無い。
図１１は、さらに他の変形例で、このレベル変化回路Ｌ２は、ＶeH、ＶeL、Ｖe2の各電圧を出力する際に、キャパシタＣ２の充電電圧Ｖeが加算されるように接続されている。このため、電源電圧は、充電電圧を差し引いた電圧ＶeH−Ｖe、ＶeL−Ｖeとしている。なお、キャパシタＣ２の充電電圧として電圧Ｖeを選択する場合と、電圧ＶeLを選択する場合とが考えられる。パターン１は電圧Ｖeを選択した場合の電源電圧、パターン２は、電圧ＶeLを選択した場合の電源電圧の大きさを示している。【０１０９】
図１２は、図１１の変形例で、スイッチング素子の１部をダイオードに変更しただけであって、特性において差異は無い。
図１３は、キャパシタＣ２を全く用いない例であって、スイッチング素子ＵＥＨ，ＵＥＭ２，ＵＥＭ，ＵＥＬを選択的にオンすることによって、各電源の電圧ＶeH，Ｖe＋Ｖe2，Ｖｅ，ＶeLが、Ａ点に出力される。【０１１０】
図１４は図１３の変形例であって、スイッチング素子の１部をダイオードに変更しただけであり、特性において差異は無い。
図１５は、上記図１４において接続関係を多段化した例であり、キャパシタを用いない例の一つである。この場合、図１４までの例と異なり、各電源電圧をＡ点に出力するのに、Ａ点から遠い電源電圧ほど、多くのスイッチング素子をオンする必要がある。【０１１１】
図１６，１７，１８は、それぞれ図１５の変形例であって、スイッチング素子の接続関係を変更している。Ａ点に出力する電圧は図１５の場合と同じである。
なお、図９〜図１８のレベル変化回路では、ＳＦ１の初期化期間用の電源（ＶeH）を設けたが、維持パルス用の電源（Ｖsus）を、ＳＦ１の初期化期間にも共用して、ＳＦ１の初期化期間における維持電極電位をＶsusにしてもよい。その場合は、電源ＶeHを省略することができる。【０１１２】
また、ＳＦ１のアドレス期間における維持電極の電位を、ＳＦ２以降の初期化期間における維持電極の電位Ｖeと同じにする場合や、アドレス期間の電位（Ｖe＋Ｖe2）と同じにする場合には、電源（ＶeL）を省略することができる。
３．アドレス電極駆動回路
図１９は、アドレス電極駆動回路の構成を示す概略図である。このアドレス電極駆動回路は、ＳＦ１のアドレス期間に出力するアドレスパルスの電圧と、維持期間に出力するアドレス電圧と、ＳＦ２以降のアドレス期間に出力するアドレスパルスの電圧を調整するレベル変化回路を備えている。【０１１３】
図２０及び図２１は、このレベル変化回路を示す図である。
図２０のレベル変化回路には、１つのダイオードと１つのスイッチング素子ＤＡが設けられ、スイッチング素子ＤＡを制御することによって、２つの電圧Ｖda，ＶdaLが切り替えて出力される。
この電圧の大きさはＶdaL＜Ｖdaの関係にあって、スイッチング素子ＤＡがオンのとき電圧Ｖdaが出力されるようになっている。【０１１４】
図２１レベル変化回路には、２つのスイッチング素子ＤＡ，ＤＡＬが設けられ、このスイッチング素子ＤＡ，ＤＡＬを切り替えることにより、２つの電圧Ｖda，ＶdaLが切り替えて出力される。
スイッチング素子ＤＡ，ＤＡＬを制御するタイミングについては、ＳＦ１のアドレス期間には、正極性の電源電圧ＶdaLからアドレスＩＣ群に電圧供給されるように、ＳＦ２以降のアドレス期間には、正極性の電源電圧ＶdaからアドレスＩＣ群に電圧供給されるように行なう。【０１１５】
これによって、アドレスＩＣ群は、ＳＦ１のアドレス期間には、電圧ＶdaLのアドレスパルスを出力し、ＳＦ２以降のアドレス期間には、電圧Ｖdaのアドレスパルスを出力することができる。
また、アドレス電極駆動回路は、ＳＦ１の維持期間には、スイッチング素子ＤＡ，ＤＡＬを制御して、電源電圧Ｖdaまたは電源電圧ＶdaLを出力することができる。【０１１６】
（第１サブフィールド群と第２サブフィールド群との分け方に関して）
以上の説明では、第１サブフィールド群をＳＦ１で構成し、第２サブフィールド群をＳＦ２以降のサブフィールドで構成する場合について説明したが、１ＴＶを構成する複数のサブフィルドを第１サブフィールド群と第２サブフィールド群とに分けるときの分け方については、第１サブフィールド群を、ＳＦ１と、ＳＦ２，３，４から選択した１以上のサブフィールドとで構成し、第２サブフィールド群をそれ以外のサブフィールドで構成してもよい。その場合も、同様に実施可能であって、第１サブフィールド群に属するＳＦのアドレス期間における維持電極の電位ＶeLを、第２サブフィールド群に属するＳＦのアドレス期間における維持電極の電位（Ｖｅ＋Ｖe2）よりも低く設定したり、アドレス期間にアドレス電極に印加するアドレスパルスの電位やパルス幅、あるいは走査電極に印加する走査パルスの電位を別々の値に設定すればよい。【０１１７】
例えば、第１サブフィールド群をＳＦ１，ＳＦ２，ＳＦ３で構成して、第２サブフィールド群をＳＦ４，ＳＦ５，ＳＦ６‥で構成する場合、第１サブフィールド群に属するＳＦ１のアドレス期間とＳＦ２，ＳＦ３のアドレス期間における維持電極の電位ＶeLを、第２サブフィールド群に属するＳＦ４，ＳＦ５，ＳＦ６‥のアドレス期間における維持電極の電位（Ｖｅ＋Ｖe2）よりも低く設定すればよい。また、第１サブフィールド群に属するＳＦ１及びＳＦ２，ＳＦ３のアドレス期間にアドレス電極に印加するアドレスパルスの電位やパルス幅、あるいは走査電極に印加する走査パルスの電位を、ＳＦ４，ＳＦ５，ＳＦ６‥のＳＦと別々の値に設定してもよい。
【実施例２】
【０１１８】
図２２は、実施例２にかかる各駆動回路が各サブフィールドでＰＤＰの各電極に印加する駆動電圧波形を示す図である。
実施例２の駆動方法は、ＳＦ１の維持期間以外の駆動波形および動作は実施例１と同様である。ＳＦ１の維持期間においては、アドレス電極に正の電圧を加えた後、正電圧Ｖpr1を走査電極に加えて放電セルに維持放電を発生させ、初期化ミスを抑える点は実施例１と同様であるが、本実施例ではＳＦ１の維持期間におけるアドレス電極の電位Ｖpr2は、アドレス期間に印加するアドレスパルスの電位（Ｖda，ＶdaL）よりも高く設定されている。【０１１９】
また、実施例１ではＳＦ１の維持期間に維持電極の電位をグランド電位としたのに対して、本実施例では、維持電極の電位Ｖpr3を負電位とする。
このように、ＳＦ１の維持期間において、維持電極を負電位としながら、アドレス電極に正極性の電圧を印加することによって、弱いアドレス放電でも維持放電することができる。【０１２０】
また、ＳＦ１の維持期間におけるアドレス電極の電位Ｖpr2を、アドレス期間にアドレス電極に印加するアドレスパルスの電位よりも高くすることによって、弱いアドレス放電でも維持放電することができる。
また、維持電極の負電位とアドレス電極の電位Ｖpr2との電圧を大きくすることで、ＳＦ１で書き込みを行なった放電セルだけでなく、書き込みしなかった放電セルでも、弱い放電をさせることによって初期化ミスを抑えることができる。【０１２１】
一般的に、放電ガス中のＸｅ分圧が高い（例えばＸｅ比率６５％）ＰＤＰや高精細ＰＤＰでは、初期化ミスが起こりやすいが、本実施例のように書き込みしていない放電セルにも弱い放電を行なえば、放電ガス中のＸｅ分圧が高いＰＤＰや高精細ＰＤＰでもプライミング効果によって初期化ミスをなくすことができる。
図２３〜２６は、実施例２にかかる維持電極駆動回路の構成を示す図である。【０１２２】
これらの各維持電極駆動回路は、実施例１の維持電極駆動回路と同様であるが、負極性の電源電圧Ｖpr3とスイッチング素子ＰＲ3を備えている。
これらの維持電極駆動回路は、維持期間、初期化期間、アドレス期間には、実施例１の維持電極駆動回路と同様の動作を行なうが、ＳＦ１の維持期間には、スイッチング素子ＰＲ3を制御することによって電源電圧Ｖpr3から出力する。【０１２３】
図２７〜３１は、実施例２にかかるアドレス電極駆動回路の構成を示す図である。
図２７，２８のアドレス電極駆動回路は、電源電圧Ｖda，Ｖpr2を備えるとともに、電圧Ｖpr2の出力を制御するスイッチング素子ＰＲ２（−ＰＲ２）と、電圧Ｖdaの出力を制御するダイオードあるいはスイッチング素子ＤＡとを備えている。
そして、スイッチング素子ＤＡを制御することによって、アドレス期間には、電圧ＶdaがアドレスＩＣ群に印加されて、電圧Ｖdaのアドレスパルスが出力される。また、ＳＦ１の維持期間には、電圧Ｖpr2が出力される。【０１２４】
図２９，３０，３１の各アドレス電極駆動回路は、電源電圧ＶdaLと電源電圧Ｖdaを備えるとともに、その出力を制御するスイッチング素子ＤＡ，ＤＡＬあるいはダイオードを備えている。
また、これらの各アドレス電極駆動回路は、電源電圧Ｖpr2と、その出力を制御するスイッチング素子ＰＲ２（−ＰＲ２）を備えている。【０１２５】
そして、上記のスイッチング素子を制御することによって、ＳＦ１のアドレス期間には、電圧ＶdaLをアドレスＩＣ群に印加し、電圧ＶdaLのアドレスパルスを出力する。また、ＳＦ２以降のアドレス期間には、電圧ＶdaをアドレスＩＣ群に印加することによって、電圧Ｖdaのアドレスパルスを出力する。
また、ＳＦ１の維持期間には、電圧Ｖpr2を出力する。
【実施例３】
【０１２６】
図３２は、実施例３にかかる各駆動回路が各サブフィールドでＰＤＰの各電極に印加する駆動電圧波形を示す図である。
本実施例の駆動方法は、上記実施例２と同様であるが、実施例２では全セル初期化期間にアドレス電極の電位がＧＮＤ電位になっていたのに対して、本実施例では、ＳＦ１の維持期間に続くＳＦ２の全セル初期化期間の上昇ランプ波形部分でも、アドレス電極の電位が正極性の電位Ｖpr2に維持されている（すなわち特徴Ｂに加えて特徴Ｃを備えている）。また、この上昇ランプ波形部分において、維持電極は負極性の電位Ｖpr3に維持されている。【０１２７】
上記のように、全セル初期化期間の上昇ランプ波形部分でアドレス電極を正電位に維持する（特徴Ｃを備える）ことによって、走査電極とアドレス電極との間の電圧が小さくなるので、全セル初期化期間で初期化ミスが発生するのを低減できる。
特徴Ｃによる初期化ミス低減効果について説明する。
一般的なＰＤＰにおいて初期化ミスが発生する原因として、書き込みを行なった放電セルで維持放電が行なわれない場合に、続く全セル初期化期間の上りランプ波形部分Ｓ1で微弱放電が安定せずに初期化ミスが発生しやすく、また、全セル初期化期間の上り  ランプ波形部分Ｓ1において、走査電極とアドレス電極との間で微弱放電が開始されると初期化ミスが発生しやすいことがわかっている。【０１２８】
これに対して本実施例では、図３２のように、全セル初期化期間の上昇ランプ波形部分でアドレス電極を正電位に保持していることで走査電極とアドレス電極との間の電圧が小さくなっているので、走査電極とアドレス電極との間で微弱放電が開始されることがない。
さらに、全セル初期化期間の上昇ランプ波形部分で維持電極を負電極に保持していることで走査電極と維持電極との間の電圧が大きくなっているので、走査電極と維持電極との間で微弱放電が開始される。【０１２９】
従って、全セル初期化期間で初期化ミスが発生するのを低減できる。
本実施例の駆動方法において、次の実験を行なった。なお、実験はＸe比率６%のプラズマディスプレイパネルを使用し、Ｖset＝２３０Ｖ、Ｖad＝９０Ｖ、Ｖset2＝５Ｖ、Ｖscn＝１３０Ｖ、Ｖsus＝１８０Ｖ、Ｖe＝１５５Ｖ、Ｖe2＝５Ｖ、Ｖda＝７５Ｖで行った。また、実験はＸｅ比率６%のプラズマディスプレイパネルで行ったが、放電ガス中のＸｅ分圧が高い（例えばＸｅ比率６５％）ＰＤＰや高精細ＰＤＰでは、各電圧が１〜２倍程度増加する。【０１３０】
（１）ＳＦ１の維持期間における走査電極の電位Ｖpr1を維持パルスの電圧Ｖsusと同等（Ｖpr1＝Ｖsus）、ＳＦ１の維持期間におけるアドレス電極の電位Ｖpr2をアドレスパルスの電圧Ｖdaと同等（Ｖpr2＝Ｖda）、ＳＦ１の維持期間における維持電極の電位Ｖpr3をグランド電位（Ｖpr3＝GND）とし、ＳＦ１のアドレス期間における維持電極の電位ＶeLを、０〜１６０Ｖの範囲内で変化させながら、ＳＦ１の発光輝度を測定した。【０１３１】
図３３（ａ）は、その測定結果を示す特性図である。当図から、発光輝度は０．４〜１．３ｃｄ／ｍ2の範囲内であって、電位Ｖpr1を低く設定するほど、ＳＦ１の発光輝度が低くなることがわかる。なお、ＳＦ２の発光輝度は１．６ｃｄ／ｍ2であった。
また、電位ＶeLを６０Ｖ未満に設定したときには初期化ミスの発生がみられた。なお、電位ＶｅＬが６０Ｖ未満でも維持電極の電位Vpr3を負電位にすれば初期化ミスが低減される。【０１３２】
（２）ＳＦ１の維持期間における走査電極の電位Ｖpr1を走査パルスの電圧Ｖscnと同等（Ｖpr1＝Ｖscn）、ＳＦ１の維持期間におけるアドレス電極の電位Ｖpr2をアドレスパルスの電圧Ｖdaと同等（Ｖpr2＝Ｖda）、ＳＦ１の維持期間に維持電極の電位Ｖpr3をグランド電位（Ｖpr3＝GND）とし、ＳＦ１のアドレス期間における維持電極の電位ＶeLを、０〜７０Ｖの範囲内でさまざまな値に変化させながら、ＳＦ１の発光輝度を測定した。【０１３３】
図３３（ｂ）は、その測定結果を示す特性図である。当図から、発光輝度は０．４〜０．５ｃｄ／ｍ2の範囲内であって、電位ＶeLが３０〜６５Ｖの範囲内では、電位Ｖpr1を低く設定すると、ＳＦ１の発光輝度が若干低くなることがわかる。
また、電位ＶeLを３０Ｖ未満あるいは６５Ｖを越える値に設定したときには初期化ミスの発生がみられた。なお、電位ＶｅＬが３０Ｖ未満でも維持電極の電位Vpr3を負電位にすれば初期化ミスが低減され、電位ＶｅＬが６５Ｖを超える値でも維持電極の電位Vpr3を正電位にすれば初期化ミスが低減される。【０１３４】
（３）ＳＦ１の維持期間における走査電極の電位Ｖpr1を走査パルスの電圧Ｖscnと同等（Ｖpr1＝Ｖscn）、ＳＦ１の維持期間におけるアドレス電極の電位Ｖpr2をアドレスパルスの電圧Ｖdaと同等（Ｖpr2＝Ｖda）、ＳＦ１の維持期間における維持電極の電位Ｖpr3をグランド電位（Ｖpr3＝GND）とし、ＳＦ１のアドレス期間における維持電極の電位ＶeLを６５Ｖとして、ＳＦ１のアドレスパルスの電圧ＶdaLを、０〜７５Ｖの間で変化させながら、ＳＦ１の発光輝度を測定した。【０１３５】
図３３（ｃ）は、その測定結果を示す特性図である。当図から、発光輝度は０．２〜０．５ｃｄ／ｍ2の範囲内であって、電位ＶdaLが３０〜７５Ｖの範囲内では、電位ＶdaLを低く設定すると、ＳＦ１の発光輝度が若干低くなることがわかる。なお、７５ＶはアドレスＩＣ群の耐圧によって制限されているのであって、アドレスIC群の耐圧が高ければ７５Ｖ以上も範囲内に入る。【０１３６】
なお、Ｖpr2は１５Ｖ以上あれば初期化ミスを低減する効果があるが、１５０Ｖ以上とするとアドレス電極と維持電極間で放電が生じやすいので、１５０Ｖ以下が望ましい。ここでは、回路構成を簡素にするために電圧Ｖdaとしている。また、Ｖpr3はグランド電位以下であれば初期化ミスを低減する効果があるが、回路を簡素にするためにグランド電位としている。【０１３７】
これらの実験結果から、ＳＦ１において、アドレス期間における維持電極の電位ＶeLを調整したり、アドレスパルスの電圧ＶdaLを調整したりすることによって、１階調目の輝度を細かく調整でき、ＳＦ１の輝度をＳＦ２の輝度の半分程度に調整することも容易にできることがわかる。
なお、本実施例では、ＳＦ１の維持期間における走査電極の電位を、グランド電位から電位Ｖpr1まで急峻に（電圧勾配１００Ｖ／μｓ以上）上昇させており、維持期間の時間幅を短くできるが、次の実施例４のようにランプ状に上昇させてもよい。
【実施例４】
【０１３８】
図３４は、実施例４にかかる各駆動回路が各サブフィールドでＰＤＰの各電極に印加する駆動電圧波形を示す図である。
本実施例の駆動方法は、上記実施例３と同様であるが、本実施例では、ＳＦ１の維持期間における走査電極の電位を、グランド電位から電位Ｖpr1Lまでランプ状（電圧勾配１０Ｖ／μｓ以下で緩やかに電圧が変化）に上昇させて、その後に電位Ｖpr1まで上昇させている。ここで、上記電位Ｖpr1Lは、維持放電が開始しない電圧である。【０１３９】
走査電極の電位を一度に大きく立ち上げる場合と小さく立ち上げる場合とで、維持放電の強度を比べると、一度に大きく立ち上げる場合のほうが維持放電の強度が強くなり、発光強度が上がる。
よって、本実施例のように、ＳＦ１の維持期間に走査電極の電位を、グランド電位からＶpr1Lまでゆっくり上昇させてから電位Ｖpr1まで立ち上げれば、維持期間の時間幅は大きくなるものの、維持放電の発光強度を下げ、低階調ＳＦ１（１階調目）の輝度を適度な大きさに調整することができる。なお、電位Ｖpr1Lの頂上付近で微放電を発生させても同様の効果が得られる。
【実施例５】
【０１４０】
図３５は、実施例５にかかる各駆動回路が各サブフィールドでＰＤＰの各電極に印加する駆動電圧波形を示す図である。
本実施例の駆動方法は、上記実施例４と同様であるが、実施例４では走査電極の電位を、ＳＦ１の維持期間において電位Ｖpr1に立ち上げた後、ＳＦ２の全セル初期化期間に連続的に保持していたのに対して、本実施例では走査電極の電位を、ＳＦ１の維持期間において電位Ｖpr1まで上げた後すぐにグランド電位に下げ、ＳＦ２で再び上げている。【０１４１】
ＳＦ１の維持期間に走査電極の電位Ｖpr1を長く保持する場合と短く保持する場合とで維持放電の強度を比べると、保持する時間が長い方が維持放電の強度が強くなる。そのため、発光強度が高くなるとともに、続くＳＦの選択的初期化後の壁電荷が減ってＳＦ２のアドレス放電時に横クロストークが発生しやすくなる。
つまり、本実施例のように、ＳＦ１の維持期間に走査電極の電位をＶpr1に上げた後すぐにＧＮＤに下げることによってパルス状にし、その保持時間を短くすると、消去機能が働いて維持放電が途中で消去されるため、発光強度は低くなり、ＳＦ２のアドレス放電時に横クロストークが低減する。【０１４２】
よって、維持放電の発光強度を下げ、低階調ＳＦ１（１階調目）の輝度を適度な大きさに調整することができるとともに、ＳＦ２での横クロストークを低減できる。
【実施例６】
【０１４３】
図３６は、本実施形態にかかる各駆動回路が、ＳＦ１とＳＦ２においてＰＤＰの各電極に印加する駆動電圧波形を示している。
実施例１〜５では、ＳＦ１の維持期間の直後にＳＦ２の全セル初期化期間があった（図３２参照）が、本実施例では、ＳＦ１の維持期間の後に、ＳＦ２の選択的初期化期間を有し、その後に全セル初期化期間を有する。【０１４４】
本実施例では、実施例１〜５と共通の作用・効果を有するとともに、さらに安定した全セル初期化放電を実現できる。
詳述すると、実施例１〜５のようにＳＦ１の維持期間の直後に全セル初期化期間を設ける場合、ＳＦ１でアドレス放電した放電セルでは、維持放電後における壁電荷の状態で全セル初期化期間に全セル初期化放電が行われる。ＳＦ１でアドレス放電していない放電セルでは、１ＴＶフィールド前の全セル初期化で形成された壁電荷もしくは選択的初期化における壁電荷が保持された状態で全セル初期化放電が行われる。【０１４５】
従って、ＳＦ１でアドレス放電した放電セルとアドレス放電していない放電セルとでは、ＳＦ２の全セル初期化期間前で壁電荷の状態が異なるので、全セル初期化期間での微放電に違いが生じる。
さらに、ＳＦ１の維持期間で維持放電した後には、走査電極上に負電荷、維持電極上に正電荷が蓄積されるので、ＳＦ２における全セル初期化期間の電位上昇期間で全セル初期化放電が全ての放電セルでなされない可能性もある。そして、全セル初期化放電が起きない場合、ＳＦ３において横クロストークによって緑色放電セルに点灯不良が生じやすく、緑色の色抜けが生じると白色がマゼンタ色となるという問題がある。【０１４６】
図３７は、横クロストークと点灯不良の発生に関して説明するための図表であって、図表（ａ）は、実施例１〜５（ＳＦ１の維持期間の直後に選択的初期化がない場合）について示し、図表（ｂ）は、実施例６（ＳＦ１の維持期間の直後に選択的初期化がある場合）について示している。
ＳＦ３での色抜けについて、図表（ａ）と（ｂ）とを比べて説明する。【０１４７】
図表（ａ）と（ｂ）共に、消去動作が行なわれないＳＦ１において緑色放電セルが維持放電し、ＳＦ２において緑色放電セルが維持放電せずに赤色と青色の放電セルが維持放電しており、ＳＦ２のアドレス期間に緑色放電セルで横クロストーク（隣の赤色や青色の放電セルに壁電荷が抜ける現象）が発生している。
図表（ａ）ではＳＦ１の維持期間の直後に選択的初期化が行なわれないため、十分に全セル初期化放電されず、壁電荷が少なくなって、横クロストークの影響を受けやすく、緑色放電セルに点灯不良が生じやすい。これに対して、図表（ｂ）では、維持期間の直後に選択的初期化を行っているため、十分に全セル初期化放電され、壁電荷が補充されて、横クロストークの影響を受けにくく、緑色放電セルに点灯不良が生じにくい。【０１４８】
このような問題に対して、本実施例のようにＳＦ１の維持期間の直後に選択的初期化を行えば、書き込みミスを防止できる。
なお、本実施例において、ＳＦ２の選択的初期化期間での３電極（走査電極、維持電極、アドレス電極）間の電位差（Ｖset22、ＶeH）を増加すれば、ＳＦ１においてアドレス放電した放電セルとアドレス放電していない放電セルとの壁電荷の状態がさらに均一化される。【０１４９】
また、ＳＦ２の選択初期化期間に、アドレス電極に正電位Ｖpr2を印加して、アドレス電極と走査電極の間で積極的に微放電を行わせれば、アドレス電極上に負電荷を蓄積し、全セル初期化期間に走査電極に印加する電圧Ｖsetを低減することもできる。
また、図表（ａ）のようにＳＦ２で維持放電せず、ＳＦ３以降が再び維持放電するようなＳＦ点灯パターンでは、ＳＦ１を維持放電しないようにする、もしくはＳＦ１が維持放電するようなＳＦ点灯パターンではＳＦ２以降が連続して点灯することも、点灯不良による色抜けを防止するのに有効である。
【実施例７】
【０１５０】
図３８は、実施例７にかかる各駆動回路が各サブフィールドでＰＤＰの各電極に印加する駆動電圧波形を示す図である。
実施例６では、横クロストークの発生を低減するための手段をＳＦ１においた、本実施例ではＳＦ２を配置する位置を工夫することによって横クロストークの発生を低減する。
上記実施例１〜６では、先頭のＳＦ１が１階調目に相当し、次のＳＦ２が２階調目に相当していたが、本実施例では、ＳＦ１とＳＦ２の順序が入れ替わっており、先頭のＳＦ２が２階調目に相当し、次のＳＦ１が１階調目に相当している。【０１５１】
それに伴って、全セル初期化期間を設けるＳＦも変わっており、上記実施例１〜６では、ＳＦ２で全セル初期化を行なったが、本実施例では、ＳＦ３で全セル初期化を行なっている。
すなわち、本実施例では、先頭のＳＦ２は、アドレス放電の輝度を調節しないサブフィールドの中で輝度重みが最小のサブフィールドであって、次のＳＦ１は、アドレス放電の輝度を調節するサブフィールドであり、続くＳＦ３の初期化期間には、走査電極の電位をランプ状に上昇させる上昇波形部分を含む全セル初期化が行われるようになっている。【０１５２】
上記実施例１〜６の場合、ＳＦ４（ＳＦ２の２つ後ろのＳＦ）において横クロストークによって緑色放電セルに点灯不良が生じやすく、緑色の色抜けが生じると白色がマゼンタ色となるという問題があるが、本実施例の構成によって、以下に説明するように、緑色の色抜けが低減される。
図３９は、横クロストークと点灯不良の発生に関して説明するための図表であって、図表（ａ）は、実施例１〜６（ＳＦ１とＳＦ２の順番を入れ替えていない場合）について示し、図表（ｂ）は、実施例７（ＳＦ１とＳＦ２の順番を入れ替えた場合）について示している。【０１５３】
ＳＦ３、ＳＦ４（ＳＦ２の２つ後ろのＳＦ）での色抜けについて、（ａ）と（ｂ）とを比べて説明する。
図表（ａ）では、消去動作が行なわれないＳＦ２において緑色放電セルが維持放電し、ＳＦ３において緑色放電セルが維持放電せずに赤色と青色の放電セルが維持放電しており、ＳＦ３のアドレス期間に緑色放電セルで横クロストーク（隣の赤色や青色の放電セルに壁電荷が抜ける現象）が発生している。また図表（ｂ）においても、消去動作が行なわれないＳＦ２において緑色放電セルが維持放電し、ＳＦ１において緑色放電セルが維持放電せずに赤色と青色の放電セルが維持放電しており、ＳＦ１のアドレス期間に緑色放電セルで横クロストークが発生している。【０１５４】
ここまでは同様に横クロストークしているが、図表（ａ）では次のＳＦ３で全セル初期化が行なわれないので、緑色放電セルに点灯不良が生じているのに対して、図表（ｂ）では、次のＳＦ３で全セル初期化が行なわれているので横クロストークされた緑色放電セルの壁電荷が補充されて、緑色放電セルに点灯不良が生じない。
このように、本実施例では、ＳＦ１とＳＦ２の順番を入れ替えることによって、実施例１〜６と比べて、ＳＦ３で緑色放電セルに点灯不良が生じにくくなっている。【０１５５】
ところで、このような点灯不良による色抜けは、アドレスパルスのパルス幅を大きく設定することによっても防止することができる。例えば上記実施例１〜６において、ＳＦ４のアドレスパルスのパルス幅を大きく設定することによっても、色抜け防止効果を奏する。
また、図３８では、先頭のＳＦ２において維持パルスが１回だけ印加されているが、ＳＦ２において印加する維持パルスの数を３（ＳＦ３と同じ）としてもよい。
【実施例８】
【０１５６】
図４０は、実施例８にかかる各駆動回路が各サブフィールドでＰＤＰの各電極に印加する駆動電圧波形を示す図である。
本実施例の駆動方法は、上記実施例７と同様であるが、実施例７では全セル初期化期間後のＳＦ３でアドレス期間における維持電極の電位が電位（Ｖe＋Ｖe2）であったのに対して、本実施例ではＳＦ３のアドレス期間における維持電極の電位を低目の電位ＶeLに設定している。また、ＳＦ３の維持期間に、アドレス電極に正極性のパルス（電位Ｖpr2）を印加している。【０１５７】
図４０では、走査電極に維持パルスが印加されるときだけ、アドレス電極に正極性のパルス（電位Ｖpr2）を印加しているが、もっと長く印加してもよく、この長さは経験的に設定される。
上記実施例７で説明したように、ＳＦ１で維持放電した緑色放電セルにおいてはＳＦ３のアドレス期間で横クロストークが発生しやすいが、本実施例では、ＳＦ３の維持電極の電位を、低目の電位ＶeLに設定しているので、ＳＦ３でアドレス放電が弱められる。【０１５８】
このようにＳＦ３でアドレス放電を弱めると横クロストークが発生しにくくなるので、ＳＦ４において、点灯不良による色抜けがさらに抑えられる。
ところで、ＳＦ３でアドレス放電を弱めると、維持放電が発生しにくくなり点灯不良となる傾向があるが、本実施例では、上記のようにＳＦ３の維持期間にアドレス電極に正極性のパルスを印加しているので、維持放電の点灯不良が抑えられる。【０１５９】
また、図４０では、ＳＦ３の維持期間において先頭の維持パルスの電圧Ｖpr4は、ＳＦ４以降の維持期間における維持パルスの電圧ＶSUSよりも２Ｖ以上高く設定されている。このように維持パルスの電圧Ｖpr4を高目に設定することも、維持期間における維持放電の点灯不良を抑えるのに有効である。
なお、本実施例のように、アドレス期間における維持電極の電位を低目に設定することで横クロストークを防止する方法は、低階調駆動用途に限定されず、高Ｘｅや高精細パネルにおける横クロストーク対策としても使用できる。【０１６０】
例えば、元来から、全セル初期化後１回目のアドレス期間には、アドレス放電が強いので横クロストークが発生しており、特に高Ｘｅや高精細パネルではこの傾向は強くなっている。従って、全セル初期化後１回目のアドレス期間に、維持電極の電位を低目に設定することは、横クロストーク防止対策として有効である。
【実施例９】
【０１６１】
図４１は、実施例９にかかる各駆動回路が各サブフィールドでＰＤＰの各電極に印加する駆動電圧波形を示す図である。
本実施例の駆動方法は、上記実施例８と同様であるが、ＳＦ３だけでなくＳＦ２においても、アドレス期間における維持電極の電位を低目の電位ＶeLに設定し、また、アドレス電極に正極性のパルス（電位Ｖpr2）を印加している。【０１６２】
このように、ＳＦ２においても、維持電極の電位を低目の電位ＶeLに設定することによってアドレス放電が弱められるので、ＳＦ２の輝度を低目に調整することができる。
このようにＳＦ２の輝度を調整することは、ＳＦ１，ＳＦ２，ＳＦ３の輝度バランスを調整するのに有効である。
ＳＦ２でアドレス放電を弱めると、維持放電が発生しにくくなり放電不良となる傾向があるが、上記のようにＳＦ２の維持期間にアドレス電極に正極性のパルスを印加しているので、維持放電の放電不良が抑えられる。【０１６３】
また、図４１では、ＳＦ３の維持期間において先頭の維持パルスの電圧Ｖpr4は、ＳＦ４以降の維持期間における維持パルスの電圧ＶSUSよりも２V以上高く設定されている。このように維持パルスの電圧Ｖpr4を高目に設定することも、維持期間における維持放電の点灯不良を抑えるのに有効である。
なお、上記実施例１〜９では、ＳＦ２の全セル初期化期間における電位Ｖsetを、維持パルスの電位（Ｖsus又はＶpr1）によって持ち上げているが、ＳＦ２の全セル初期化期間における電位Ｖsetを、走査パルスの電圧Ｖscnによって持ち上げてもよい。すなわち、図４２のように維持期間の電位と、ＳＦ２の全セル初期化期間の電位を区切り、電位Ｖsetを電位Ｖscnによって持ち上げればよく、それによって、走査電極駆動回路に使用するスイッチング素子の数を少なくすることができる。
【産業上の利用可能性】
【０１６４】
本発明によれば、ＣＲＴと比べてＰＤＰ装置では劣るといわれている低輝度階調の表現能力を向上させることができ、ＰＤＰ装置の表示品質を向上させるのに役立つ。
【図１】
2008035648.tif 000003
【図２】
2008035648.tif 000004
【図３】
2008035648.tif 000005
【図４】
2008035648.tif 000006
【図５】
2008035648.tif 000007
【図６】
2008035648.tif 000008
【図７】
2008035648.tif 000009
【図８】
2008035648.tif 000010
【図９】
2008035648.tif 000011
【図１０】
2008035648.tif 000012
【図１１】
2008035648.tif 000013
【図１２】
2008035648.tif 000014
【図１３】
2008035648.tif 000015
【図１４】
2008035648.tif 000016
【図１５】
2008035648.tif 000017
【図１６】
2008035648.tif 000018
【図１７】
2008035648.tif 000019
【図１８】
2008035648.tif 000020
【図１９】
2008035648.tif 000021
【図２０】
2008035648.tif 000022
【図２１】
2008035648.tif 000023
【図２２】
2008035648.tif 000024
【図２３】
2008035648.tif 000025
【図２４】
2008035648.tif 000026
【図２５】
2008035648.tif 000027
【図２６】
2008035648.tif 000028
【図２７】
2008035648.tif 000029
【図２８】
2008035648.tif 000030
【図２９】
2008035648.tif 000031
【図３０】
2008035648.tif 000032
【図３１】
2008035648.tif 000033
【図３２】
2008035648.tif 000034
【図３３】
2008035648.tif 000035
【図３４】
2008035648.tif 000036
【図３５】
2008035648.tif 000037
【図３６】
2008035648.tif 000038
【図３７】
2008035648.tif 000039
【図３８】
2008035648.tif 000040
【図３９】
2008035648.tif 000041
【図４０】
2008035648.tif 000042
【図４１】
2008035648.tif 000043
【図４２】
2008035648.tif 000044
【図４３】
2008035648.tif 000045
【図４４】
2008035648.tif 000046
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルを駆動する方法であって、１ＴＶフィールドが、放電セルを初期化放電する初期化期間、点灯すべき放電セルをアドレス放電するアドレス期間、前記アドレス放電した放電セルを維持放電する維持期間を有する複数のサブフィールドから構成され、前記複数のサブフィールドは、輝度重みが最小のサブフィールドを含む第１サブフィールド群と、それ以外の第２サブフィールド群からなり、前記第２サブフィールド群のアドレス期間には、前記維持電極を正極性の第１電位に保時し、前記第１サブフィールド群の中で少なくとも前記輝度重み最小のサブフィールドのアドレス期間には、前記維持電極の電位をグランド電位よりも高く且つ前記第１電位よりも低い第２電位に保持し、かつ、維持放電させるときに前記アドレス電極に正極性の電圧を印加するプラズマディスプレイパネルの駆動方法。
【請求項２】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルを駆動する方法であって、１ＴＶフィールドが、放電セルを初期化放電する初期化期間、点灯すべき放電セルをアドレス放電するアドレス期間、前記アドレス放電した放電セルを維持放電する維持期間を有する複数のサブフィールドで構成され、前記複数のサブフィールドは、輝度重みが最小のサブフィールドを含む第１サブフィールド群と、それ以外の第２サブフィールド群からなり、前記複数のサブフィールドのうち少なくとも１つのサブフィールドは、初期化期間において、走査電極の電位が電圧勾配１０Ｖ／μｓ以下でランプ状に上昇する電位上昇期間を有する全セル初期化期間を有し、前記第２サブフィールド群のアドレス期間には、前記維持電極を正極性の第１電位に保時し、前記第１サブフィールド群の中で少なくとも前記輝度重み最小のサブフィールドのアドレス期間には、前記維持電極の電位をグランド電位よりも高く且つ前記第１電位よりも低い第２電位に保持し、かつ、前記全セル初期化期間の電位上昇期間の少なくとも一部期間において、アドレス電極に正極性の電圧を印加するプラズマディスプレイパネルの駆動方法。
【請求項３】
前記第１サブフィールド群の中で少なくとも前記輝度重み最小のサブフィールドでは、維持放電させるときに前記アドレス電極に正極性の電圧を印加する請求項２記載のプラズマディスプレイパネルの駆動方法。
【請求項４】
（削除）
【請求項５】
前記全セル初期化期間の電位上昇期間において、維持電極に負極性の電圧を印加する請求項１〜３のいずれか記載のプラズマディスプレイパネルの駆動方法。
【請求項６】
前記全セル初期化期間の電位上昇期間においてアドレス電極に印加する電位を、アドレス期間にアドレス電極に印加する電位よりも大きくする請求項１〜３のいずれか記載のプラズマディスプレイパネルの駆動方法。
【請求項７】
前記輝度重み最小のサブフィールドに続くサブフィールドの初期化期間は、全セル初期化期間である請求項１〜３のいずれか記載のプラズマディスプレイパネルの駆動方法。
【請求項８】
前記輝度重み最小のサブフィールドの次のサブフィールドの初期化期間において、走査電極の電位を電圧勾配１０Ｖ／μｓ以下でランプ状に下降させる電位下降期間を含む選択的初期化期間を有し、当該選択的初期化期間の後に前記全セル初期化期間を有する請求項１〜３のいずれか記載のプラズマディスプレイパネルの駆動方法。
【請求項９】
１ＴＶフィールドごとに画像データの平均輝度レベルを検出し、検出した平均輝度レベルに基づいて、前記第２電位の大きさを調整する請求項１〜３のいずれか記載のプラズマディスプレイパネルの駆動方法。
【請求項１０】
前記第１サブフィールド群の中で少なくとも前記輝度重み最小のサブフィールドと、前記第２サブフィールド群とでは、前記維持期間に維持放電させるときに、走査電極に印加する電圧が異なる請求項１〜３のいずれか記載のプラズマディスプレイパネルの駆動方法。
【請求項１１】
前記第１サブフィールド群の中で少なくとも前記輝度重み最小のサブフィールドと、前記第２サブフィールド群とでは、アドレス期間に前記アドレス電極に対して印加するアドレスパルスの電位またはパルス幅が異なる請求項１〜３のいずれか記載のプラズマディスプレイパネルの駆動方法。
【請求項１２】
前記第１サブフィールド群の中で少なくとも前記輝度重み最小のサブフィールドと、前記第２サブフィールド群とでは、前記アドレス期間に前記走査電極に対して印加する走査パルスの電位が異なる請求項１〜３のいずれか記載のプラズマディスプレイパネルの駆動方法。
【請求項１３】
前記第１サブフィールド群の中で少なくとも前記輝度重み最小のサブフィールドと、前記第２サブフィールド群とでは、前記初期化期間における前記走査電極の最低電位が異なる請求項１〜３のいずれか記載のプラズマディスプレイパネルの駆動方法。
【請求項１４】
前記第１サブフィールド群の中で少なくとも前記輝度重み最小のサブフィールドと、前記第２サブフィールド群とでは、前記初期化期間における前記維持電極の電位が異なる請求項１〜３のいずれか記載のプラズマディスプレイパネルの駆動方法。
【請求項１５】
前記第１サブフィールド群の中で少なくとも前記輝度重み最小のサブフィールドでは、維持期間に、前記維持電極に負極性の電圧を印加する請求項１〜３のいずれか記載のプラズマディスプレイパネルの駆動方法。
【請求項１６】
前記第１サブフィールド群の中で少なくとも前記輝度重み最小のサブフィールドにおいて維持期間にアドレス電極に印加する電位を、当該サブフィールドのアドレス期間においてアドレス電極に印加する電位よりも大きくする請求項１〜３のいずれか記載のプラズマディスプレイパネルの駆動方法。
【請求項１７】
前記第１サブフィールド群では、
維持期間に、前記走査電極に印加する最初の維持パルスのみ電位を上昇させる請求項１〜３のいずれか記載のプラズマディスプレイパネルの駆動方法。
【請求項１８】
前記第１サブフィールド群の中で前記輝度重み最小のサブフィールドでは、
維持期間に、前記走査電極の電位をランプ状に上昇させた後に急峻に上昇させる波形を含む請求項１〜３のいずれか記載のプラズマディスプレイパネルの駆動方法。
【請求項１９】
前記第１サブフィールド群の中で前記輝度重み最小のサブフィールドでは、
維持期間に、前記走査電極の電位を上昇させた後に下降させるパルス状の波形を１回のみ含む請求項１〜３のいずれか記載のプラズマディスプレイパネルの駆動方法。
【請求項２０】
前記第１サブフィールド群中の各サブフィールドで、維持期間の最終の維持パルスを印加するときに、
輝度重みが低いサブフィールドの方が、輝度重みが高いサブフィールドと比べて、
維持放電をより遅く停止させる請求項１〜３のいずれか記載のプラズマディスプレイパネルの駆動方法。
【請求項２１】
前記第１サブフィールド群の中で輝度重みが２番目に小さいサブフィールドの次に配置される初期化期間の最低電位は、前記第１サブフィールド群のそれ以外の初期化期間の最低電位よりも高い請求項１〜３のいずれか記載のプラズマディスプレイパネルの駆動方法。
【請求項２２】
各放電セルにおいて、前記輝度重み最小のサブフィールドで点灯した後、続くサブフィールドが不点灯になり、その後に再び点灯する点灯パターンを用いることなく駆動する請求項１〜３のいずれか記載のプラズマディスプレイパネルの駆動方法。
【請求項２３】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルと、１ＴＶフィールドが、初期化期間、アドレス期間、維持期間を有する複数のサブフィールドで構成される方式で前記プラズマディスプレイパネルを駆動して画像を表示する駆動部とを備えるプラズマディスプレイ装置において、前記複数のサブフィールドは、輝度重みが最小のサブフィールドを含む第１サブフィールド群と、それ以外の第２サブフィールド群からなり、前記駆動部は、前記第２サブフィールド群のアドレス期間には、前記維持電極を正極性の第１電位に保時し、前記第１サブフィールド群の中で少なくとも前記輝度重み最小のサブフィールドのアドレス期間には、前記維持電極の電位をグランド電位よりも高く且つ前記第１電位よりも低い第２電位に保持し、かつ、維持放電させるときに前記アドレス電極に正極性の電圧を印加するプラズマディスプレイ装置。
【請求項２４】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルと、１ＴＶフィールドが、初期化期間、アドレス期間、維持期間を有する複数のサブフィールドで構成される方式で前記プラズマディスプレイパネルを駆動して画像を表示する駆動部とを備えるプラズマディスプレイ装置において、前記複数のサブフィールドは、輝度重みが最小のサブフィールドを含む第１サブフィールド群と、それ以外の第２サブフィールド群からなり、前記複数のサブフィールドのうち少なくとも１つのサブフィールドは、初期化期間において、第１電極の電位が電圧勾配１０Ｖ／μｓ以下でランプ状に上昇する電位上昇期間を有する全セル初期化期間を有し、前記駆動部は、前記第２サブフィールド群のアドレス期間には、前記維持電極を正極性の第１電位に保時し、前記第１サブフィールド群の中で少なくとも前記輝度重み最小のサブフィールドのアドレス期間には、前記維持電極の電位をグランド電位よりも高く且つ前記第１電位よりも低い第２電位に保持し、前記全セル初期化期間の電位上昇期間の少なくとも一部期間において、アドレス電極に正極性の電圧を印加するプラズマディスプレイ装置。
【請求項２５】
前記駆動部は、前記第１サブフィールド群の中で少なくとも前記輝度重み最小のサブフィールドでは、維持放電させるときに前記アドレス電極に正極性の電圧を印加する請求項２４記載のプラズマディスプレイ装置。
【請求項２６】
（削除）
【請求項２７】
前記駆動部は、前記全セル初期化期間の電位上昇期間において、維持電極に負極性の電圧を印加する請求項２３〜２５のいずれか記載のプラズマディスプレイ装置。
【請求項２８】
前記駆動部は、前記全セル初期化期間の電位上昇期間においてアドレス電極に印加する電位を、アドレス期間にアドレス電極に印加する電位よりも大きくする請求項請求項２３〜２５のいずれか記載のプラズマディスプレイ装置。
【請求項２９】
前記輝度重み最小のサブフィールドに続くサブフィールドの初期化期間は、全セル初期化期間である請求項２３〜２５のいずれか記載のプラズマディスプレイ装置。
【請求項３０】
前記輝度重み最小のサブフィールドの次のサブフィールドの初期化期間において、第１電極の電位を電圧勾配１０Ｖ／μｓ以下でランプ状に下降させる電位下降期間を含む選択的初期化期間を有し、その選択的初期化期間の後に前記全セル初期化期間を有する請求項２３〜２５のいずれか記載のプラズマディスプレイ装置。
【請求項３１】
前記駆動部は、１ＴＶフィールドごとに画像データの平均輝度レベルを検出し、検出した平均輝度レベルに基づいて、前記第２電位の大きさを調整する請求項２３〜２５のいずれか記載のプラズマディスプレイ装置。
【請求項３２】
前記駆動部は、前記第１サブフィールド群の中で少なくとも前記輝度重み最小のサブフィールドと、前記第２サブフィールド群とで、前記維持期間に維持放電させるときに、走査電極に異なる電圧を印加する請求項２３〜２５のいずれか記載のプラズマディスプレイ装置。
【請求項３３】
前記駆動部は、前記第１サブフィールド群の中で少なくとも前記輝度重み最小のサブフィールドと、前記第２サブフィールド群とで、アドレス期間に前記アドレス電極に対して、電位またはパルス幅が異なるアドレスパルスを印加する請求項２３〜２５のいずれか記載のプラズマディスプレイ装置。
【請求項３４】
前記駆動部は、前記第１サブフィールド群の中で少なくとも前記輝度重み最小のサブフィールドと、前記第２サブフィールド群とで、前記アドレス期間に前記走査電極に対して、電位が異なる走査パルスを印加する請求項２３〜２５のいずれか記載のプラズマディスプレイ装置。
【請求項３５】
前記駆動部が前記初期化期間に前記走査電極に印加する最低電位は、前期第１サブフィールド群の中で少なくとも前記輝度重み最小のサブフィールドと、前記第２サブフィールド群とで異なる請求項２３〜２５のいずれか記載のプラズマディスプレイ装置。
【請求項３６】
前記駆動部が前記初期化期間における前記維持電極の電位は、
前記第１サブフィールド群の中で少なくとも前記輝度重み最小のサブフィールドと、前記第２サブフィールド群とで異なる請求項２３〜２５のいずれか記載のプラズマディスプレイ装置。
【請求項３７】
前記駆動部は、
前記第１サブフィールド群の中で少なくとも前記輝度重み最小のサブフィールドでは、維持期間に、前記維持電極に負極性の電圧を印加する請求項２３〜２５のいずれか記載のプラズマディスプレイ装置。
【請求項３８】
前記駆動部は、
前記第１サブフィールド群の中で少なくとも前記輝度重み最小のサブフィールドにおいてアドレス電極に印加する電位を、当該サブフィールドのアドレス期間においてアドレス電極に印加する電位よりも大きくする請求項２３〜２５のいずれか記載のプラズマディスプレイ装置。
【請求項３９】
前記駆動部は、
前記第１サブフィールド群で、維持期間に、前記走査電極に印加する最初の維持パルスのみ電位を上昇させる請求項２３〜２５のいずれか記載のプラズマディスプレイ装置。
【請求項４０】
前記駆動部は、
前記第１サブフィールド群の中で前記輝度重み最小のサブフィールドで、
維持期間に、前記走査電極の電位をランプ状に上昇させた後に急峻に上昇させる波形を印加する請求項２３〜２５のいずれか記載のプラズマディスプレイ装置。
【請求項４１】
前記駆動部は、
前記第１サブフィールド群の中で前記輝度重み最小のサブフィールドでは、維持期間に、前記走査電極の電位を上昇させた後に下降させるパルス状の波形を１回のみ印加する請求項２３〜２５のいずれか記載のプラズマディスプレイ装置。
【請求項４２】
前記駆動部は、
前記第１サブフィールド群中の各サブフィールドで、維持期間の最終の維持パルスを印加するときに、輝度重みが低いサブフィールドの方が、輝度重みが高いサブフィールドと比べて、維持放電をより遅く停止させる請求項２３〜２５のいずれか記載のプラズマディスプレイ装置。
【請求項４３】
前記駆動部が、前記第１サブフィールド群の中で輝度重みが２番目に小さいサブフィールドの次に配置される初期化期間に印加する最低電位は、前記第１サブフィールド群のそれ以外の初期化期間の最低電位よりも高い請求項２３〜２５のいずれか記載のプラズマディスプレイ装置。
【請求項４４】
前記駆動部は
各放電セルにおいて、前記輝度重み最小のサブフィールドで点灯した後、続くサブフィールドが不点灯になり、その後に再び点灯する点灯パターンを用いることなく駆動する請求項２３〜２５のいずれか記載のプラズマディスプレイ装置。
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルを駆動する方法であって、
１ＴＶフィールドが、放電セルを初期化放電する初期化期間、点灯すべき放電セルをアドレス放電するアドレス期間、前記アドレス放電した放電セルを維持放電する維持期間を有する複数のサブフィールドから構成され、
前記複数のサブフィールドは、輝度重みが最小のサブフィールドを含む第１サブフィールド群と、それ以外の第２サブフィールド群からなり、
前記第２サブフィールド群のアドレス期間には、前記維持電極を正極性の第１電位に保時し、前記第１サブフィールド群の中で少なくとも前記輝度重み最小のサブフィールドのアドレス期間には、前記維持電極の電位をグランド電位よりも高く且つ前記第1電位よりも低い第２電位に保持し、
かつ、維持放電させるときに前記アドレス電極に正極性の電圧を印加するプラズマディスプレイパネルの駆動方法。
【請求項２】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルを駆動する方法であって、
１ＴＶフィールドが、放電セルを初期化放電する初期化期間、点灯すべき放電セルをアドレス放電するアドレス期間、前記アドレス放電した放電セルを維持放電する維持期間を有する複数のサブフィールドで構成され、
前記複数のサブフィールドは、輝度重みが最小のサブフィールドを含む第１サブフィールド群と、それ以外の第２サブフィールド群からなり、
前記複数のサブフィールドのうち少なくとも１つのサブフィールドは、初期化期間において、走査電極の電位が電圧勾配１０Ｖ／μｓ以下でランプ状に上昇する電位上昇期間を有する全セル初期化期間を有し、
前記第２サブフィールド群のアドレス期間には、前記維持電極を正極性の第１電位に保時し、
前記第１サブフィールド群の中で少なくとも前記輝度重み最小のサブフィールドのアドレス期間には、前記維持電極の電位をグランド電位よりも高く且つ前記第1電位よりも低い第２電位に保持し、
かつ、前記全セル初期化期間の電位上昇期間の少なくとも一部期間において、アドレス電極に正極性の電圧を印加するプラズマディスプレイパネルの駆動方法。
【請求項３】
前記第１サブフィールド群の中で少なくとも前記輝度重み最小のサブフィールドでは、
維持放電させるときに前記アドレス電極に正極性の電圧を印加する請求項２記載のプラズマディスプレイパネルの駆動方法。
【請求項４】
前記全セル初期化期間の電位上昇期間において、維持電極に負極性の電圧を印加する請求項１〜３のいずれか記載のプラズマディスプレイパネルの駆動方法。
【請求項５】
前記全セル初期化期間の電位上昇期間においてアドレス電極に印加する電位を、アドレス期間にアドレス電極に印加する電位よりも大きくする請求項１〜３のいずれか記載のプラズマディスプレイパネルの駆動方法。
【請求項６】
前記輝度重み最小のサブフィールドに続くサブフィールドの初期化期間は、
全セル初期化期間である請求項１〜３のいずれか記載のプラズマディスプレイパネルの駆動方法。
【請求項７】
前記輝度重み最小のサブフィールドの次のサブフィールドの初期化期間において、走査電極の電位を電圧勾配１０Ｖ／μｓ以下でランプ状に下降させる電位下降期間を含む選択的初期化期間を有し、当該選択的初期化期間の後に前記全セル初期化期間を有する請求項１〜３のいずれか記載のプラズマディスプレイパネルの駆動方法。
【請求項８】
１ＴＶフィールドごとに画像データの平均輝度レベルを検出し、
検出した平均輝度レベルに基づいて、前記第２電位の大きさを調整する請求項７記載のプラズマディスプレイパネルの駆動方法。
【請求項９】
前記第１サブフィールド群の中で少なくとも前記輝度重み最小のサブフィールドと、前記第２サブフィールド群とでは、
前記維持期間に維持放電させるときに、走査電極に印加する電圧が異なる請求項１〜３のいずれか記載のプラズマディスプレイパネルの駆動方法。
【請求項１０】
前記第１サブフィールド群の中で少なくとも前記輝度重み最小のサブフィールドと、前記第２サブフィールド群とでは、
アドレス期間に前記アドレス電極に対して印加するアドレスパルスの電位またはパルス幅が異なる請求項１〜３のいずれか記載のプラズマディスプレイパネルの駆動方法。
【請求項１１】
前記第１サブフィールド群の中で少なくとも前記輝度重み最小のサブフィールドと、前記第２サブフィールド群とでは、
前記アドレス期間に前記走査電極に対して印加する走査パルスの電位が異なる請求項１〜３のいずれか記載のプラズマディスプレイパネルの駆動方法。
【請求項１２】
前記第１サブフィールド群の中で少なくとも前記輝度重み最小のサブフィールドと、前記第２サブフィールド群とでは、前記初期化期間における前記走査電極の最低電位が異なる請求項１〜３のいずれか記載のプラズマディスプレイパネルの駆動方法。
【請求項１３】
前記第１サブフィールド群の中で少なくとも前記輝度重み最小のサブフィールドと、前記第２サブフィールド群とでは、前記初期化期間における前記維持電極の電位が異なる請求項１〜３のいずれか記載のプラズマディスプレイパネルの駆動方法。
【請求項１４】
前記第１サブフィールド群の中で少なくとも前記輝度重み最小のサブフィールドでは、維持期間に、前記維持電極に負極性の電圧を印加する請求項１〜３のいずれか記載のプラズマディスプレイパネルの駆動方法。
【請求項１５】
前記第１サブフィールド群の中で少なくとも前記輝度重み最小のサブフィールドにおいて維持期間にアドレス電極に印加する電位を、当該サブフィールドのアドレス期間においてアドレス電極に印加する電位よりも大きくする請求項１〜３のいずれか記載のプラズマディスプレイパネルの駆動方法。
【請求項１６】
前記第１サブフィールド群では、
維持期間に、前記走査電極に印加する最初の維持パルスのみ電位を上昇させる請求項１〜３のいずれか記載のプラズマディスプレイパネルの駆動方法。
【請求項１７】
前記第１サブフィールド群の中で前記輝度重み最小のサブフィールドでは、
維持期間に、前記走査電極の電位をランプ状に上昇させた後に急峻に上昇させる波形を含む請求項１〜３のいずれか記載のプラズマディスプレイパネルの駆動方法。
【請求項１８】
前記第１サブフィールド群の中で前記輝度重み最小のサブフィールドでは、
維持期間に、前記走査電極の電位を上昇させた後に下降させるパルス状の波形を１回のみ含む請求項1〜３のいずれか記載のプラズマディスプレイパネルの駆動方法。
【請求項１９】
前記第１サブフィールド群中の各サブフィールドで、維持期間の最終の維持パルスを印加するときに、
輝度重みが低いサブフィールドの方が、輝度重みが高いサブフィールドと比べて、
維持放電をより遅く停止させる請求項１〜３のいずれか記載のプラズマディスプレイパネルの駆動方法。
【請求項２０】
前記第１サブフィールド群の中で輝度重みが２番目に小さいサブフィールドの次に配置される初期化期間の最低電位は、前記第１サブフィールド群のそれ以外の初期化期間の最低電位よりも高い請求項１〜３のいずれか記載のプラズマディスプレイパネルの駆動方法。
【請求項２１】
各放電セルにおいて、前記輝度重み最小のサブフィールドで点灯した後、続くサブフィールドが不点灯になり、その後に再び点灯する点灯パターンを用いることなく駆動する請求項１〜３のいずれか記載のプラズマディスプレイパネルの駆動方法。
【請求項２２】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルと、
１ＴＶフィールドが、初期化期間、アドレス期間、維持期間を有する複数のサブフィールドで構成される方式で前記プラズマディスプレイパネルを駆動して画像を表示する駆動部とを備えるプラズマディスプレイ装置において、
前記複数のサブフィールドは、輝度重みが最小のサブフィールドを含む第１サブフィールド群と、それ以外の第２サブフィールド群からなり、
前記駆動部は、
前記第２サブフィールド群のアドレス期間には、前記維持電極を正極性の第１電位に保時し、
前記第１サブフィールド群の中で少なくとも前記輝度重み最小のサブフィールドのアドレス期間には、前記維持電極の電位をグランド電位よりも高く且つ前記第1電位よりも低い第２電位に保持し、
かつ、維持放電させるときに前記アドレス電極に正極性の電圧を印加するプラズマディスプレイ装置。
【請求項２３】
走査電極及び維持電極からなる表示電極を有する第１基板と、アドレス電極を有する第２基板とが、前記表示電極に対して前記アドレス電極が交差するように対向に配置され、対向する基板の間に放電セルが構成されたプラズマディスプレイパネルと、
１ＴＶフィールドが、初期化期間、アドレス期間、維持期間を有する複数のサブフィールドで構成される方式で前記プラズマディスプレイパネルを駆動して画像を表示する駆動部とを備えるプラズマディスプレイ装置において、
前記複数のサブフィールドは、輝度重みが最小のサブフィールドを含む第１サブフィールド群と、それ以外の第２サブフィールド群からなり、
前記複数のサブフィールドのうち少なくとも１つのサブフィールドは、初期化期間において、第１電極の電位が電圧勾配１０Ｖ／μｓ以下でランプ状に上昇する電位上昇期間を有する全セル初期化期間を有し、
前記駆動部は、
前記第２サブフィールド群のアドレス期間には、前記維持電極を正極性の第１電位に保時し、
前記第１サブフィールド群の中で少なくとも前記輝度重み最小のサブフィールドのアドレス期間には、前記維持電極の電位をグランド電位よりも高く且つ前記第1電位よりも低い第２電位に保持し、
前記全セル初期化期間の電位上昇期間の少なくとも一部期間において、アドレス電極に正極性の電圧を印加するプラズマディスプレイ装置。
【請求項２４】
前記駆動部は、
前記第１サブフィールド群の中で少なくとも前記輝度重み最小のサブフィールドでは、
維持放電させるときに前記アドレス電極に正極性の電圧を印加する請求項２３記載のプラズマディスプレイ装置。
【請求項２５】
前記駆動部は、
前記全セル初期化期間の電位上昇期間において、維持電極に負極性の電圧を印加する請求項２２〜２４のいずれか記載のプラズマディスプレイ装置。
【請求項２６】
前記駆動部は、
前記全セル初期化期間の電位上昇期間においてアドレス電極に印加する電位を、アドレス期間にアドレス電極に印加する電位よりも大きくする請求項請求項２２〜２４のいずれか記載のプラズマディスプレイ装置。
【請求項２７】
前記輝度重み最小のサブフィールドに続くサブフィールドの初期化期間は、
全セル初期化期間である請求項２２〜２４のいずれか記載のプラズマディスプレイ装置。
【請求項２８】
前記輝度重み最小のサブフィールドの次のサブフィールドの初期化期間において、走査電極の電位を電圧勾配１０Ｖ／μｓ以下でランプ状に下降させる電位下降期間を含む選択的初期化期間を有し、その選択的初期化期間の後に前記全セル初期化期間を有する請求項２２〜２４のいずれか記載のプラズマディスプレイ装置。
【請求項２９】
前記駆動部は、
１ＴＶフィールドごとに画像データの平均輝度レベルを検出し、
検出した平均輝度レベルに基づいて、前記第２電位の大きさを調整する請求項２８記載のプラズマディスプレイ装置。
【請求項３０】
前記駆動部は、
前記第１サブフィールド群の中で少なくとも前記輝度重み最小のサブフィールドと、前記第２サブフィールド群とで、
前記維持期間に維持放電させるときに、走査電極に異なる電圧を印加する請求項２２〜２４のいずれか記載のプラズマディスプレイ装置。
【請求項３１】
前記駆動部は、
前記第１サブフィールド群の中で少なくとも前記輝度重み最小のサブフィールドと、前記第２サブフィールド群とで、
アドレス期間に前記アドレス電極に対して、電位またはパルス幅が異なるアドレスパルスを印加する請求項２２〜２４のいずれか記載のプラズマディスプレイ装置。
【請求項３２】
前記駆動部は、
前記第１サブフィールド群の中で少なくとも前記輝度重み最小のサブフィールドと、前記第２サブフィールド群とで、
前記アドレス期間に前記走査電極に対して、電位が異なる走査パルスを印加する請求項２２〜２４のいずれか記載のプラズマディスプレイ装置。
【請求項３３】
前記駆動部が前記初期化期間に前記走査電極に印加する最低電位は、
前期第１サブフィールド群の中で少なくとも前記輝度重み最小のサブフィールドと、前記第２サブフィールド群とで異なる請求項２２〜２４のいずれか記載のプラズマディスプレイ装置。
【請求項３４】
前記駆動部が前記初期化期間における前記維持電極の電位は、
前記第１サブフィールド群の中で少なくとも前記輝度重み最小のサブフィールドと、前記第２サブフィールド群とで異なる請求項２２〜２４のいずれか記載のプラズマディスプレイ装置。
【請求項３５】
前記駆動部は、
前記第１サブフィールド群の中で少なくとも前記輝度重み最小のサブフィールドでは、維持期間に、前記維持電極に負極性の電圧を印加する請求項２２〜２４のいずれか記載のプラズマディスプレイ装置。
【請求項３６】
前記駆動部は、
前記第１サブフィールド群の中で少なくとも前記輝度重み最小のサブフィールドにおいてアドレス電極に印加する電位を、当該サブフィールドのアドレス期間においてアドレス電極に印加する電位よりも大きくする請求項２２〜２４のいずれか記載のプラズマディスプレイ装置。
【請求項３７】
前記駆動部は、
前記第１サブフィールド群で、維持期間に、前記走査電極に印加する最初の維持パルスのみ電位を上昇させる請求項２２〜２４のいずれか記載のプラズマディスプレイ装置。
【請求項３８】
前記駆動部は、
前記第１サブフィールド群の中で前記輝度重み最小のサブフィールドで、
維持期間に、前記走査電極の電位をランプ状に上昇させた後に急峻に上昇させる波形を印加する請求項２２〜２４のいずれか記載のプラズマディスプレイ装置。
【請求項３９】
前記駆動部は、
前記第１サブフィールド群の中で前記輝度重み最小のサブフィールドでは、維持期間に、前記走査電極の電位を上昇させた後に下降させるパルス状の波形を１回のみ印加する請求項２２〜２４のいずれか記載のプラズマディスプレイ装置。
【請求項４０】
前記駆動部は、
前記第１サブフィールド群中の各サブフィールドで、維持期間の最終の維持パルスを印加するときに、輝度重みが低いサブフィールドの方が、輝度重みが高いサブフィールドと比べて、維持放電をより遅く停止させる請求項２２〜２４のいずれか記載のプラズマディスプレイ装置。
【請求項４１】
前記駆動部が、前記第１サブフィールド群の中で輝度重みが２番目に小さいサブフィールドの次に配置される初期化期間に印加する最低電位は、前記第１サブフィールド群のそれ以外の初期化期間の最低電位よりも高い請求項２２〜２４のいずれか記載のプラズマディスプレイ装置。
【請求項４２】
前記駆動部は
各放電セルにおいて、前記輝度重み最小のサブフィールドで点灯した後、続くサブフィールドが不点灯になり、その後に再び点灯する点灯パターンを用いることなく駆動する請求項２２〜２４のいずれか記載のプラズマディスプレイ装置。
【手続補正２】
【補正対象書類名】明細書
【補正対象項目名】全文
【補正方法】変更
【補正の内容】
【発明の詳細な説明】
【技術分野】
【０００１】
本発明は、プラズマディスプレイパネルの駆動方法、プラズマディスプレイパネル装置に関する。
【背景技術】
【０００２】
プラズマディスプレイパネル（以下、ＰＤＰ）装置は、画像を表示する領域に走査電極、維持電極、アドレス電極が配されたＰＤＰに対して、走査電極駆動回路、維持電極駆動回路、アドレス電極駆動回路が接続され、これらの駆動回路が各電極に電圧を印加することによって、各放電セル内でガス放電を発生させ、それに伴って発生される紫外線でＲＧＢ各色の蛍光体を励起発光させてカラー表示を行うようになっている。
【０００３】
元来ＰＤＰでは、基本的に各放電セルは点灯又は消灯しか表示できないので、階調表示するために、点灯時間を時分割するサブフィールド法、すなわち、１フィールド期間を複数のサブフィールドに分割した上で、発光させるサブフィールドの組み合わせによってＲＧＢ各色セルの階調表示を行う駆動方式が用いられている。
例えば、図４３に１ＴＶフィールドのサブフィールド構成を示している。この図では、１ＴＶフィールドが８個のサブフィールド（以下、ＳＦ）で構成され、相対輝度比が、昇順に１，２，４，８，１６，３２，６４，１２８のようにバイナリで重み付けされており、この８ビットの重み付けの組み合わせによって合計２５６階調（０階調〜２５５階調）を表現することができる。
【０００４】
図４４は、従来例にかかるＰＤＰ駆動波形を示す図であって、ＳＦ１とＳＦ２について示している。
各ＳＦには、初期化期間、アドレス期間および維持期間が設けられている。
初期化期間には、放電セルで初期化放電を行い、それ以前の個々の放電セルに対する壁電荷の履歴を消すとともに、続くアドレス動作のために必要な壁電荷を形成する。なお、初期化には２種類あり、走査電極に上昇するランプ波形を加えて全ての放電セルで一斉に初期化放電する全セル初期化と、初期化前のＳＦで点灯した放電セルのみを選択的に初期化放電する選択的初期化がある。  続く、アドレス期間では、走査電極に順次走査パルスを印加するとともに、表示すべき画像信号に対応したアドレス電極に対して選択的にアドレスパルスを印加する。これによって、走査電極とアドレス電極との間で選択的にアドレス放電が発生し、これをきっかけに走査電極と維持電極との間にもアドレス放電が広がって、続く維持動作のために必要な壁電荷が形成される。
【０００５】
続く維持期間では、走査電極と維持電極との間に維持パルスを所定回数だけ印加し、アドレス放電によって壁電荷形成を行った放電セルで選択的に維持放電させて発光させる。
各ＳＦで放電維持期間に印加する維持パルス数は、上記の重み付けにほぼ比例した数で且つ充分な明るさを確保できる数、例えば、３，７，１５，３１，６３，１２７，２５５，５１１に設定される。
【０００６】
ところで、一般的にディスプレイは、低階調になるほど相対輝度比が小さくなるよう表示することが、低階調を滑らかに表示するのに有効とされているが、ＰＤＰ装置においては、低階調における相対輝度比を小さくするのが難しく、低階調を滑らかに表示し難いという問題がある。
ＣＲＴでは、上記合計２５６階調のうち、０階調の輝度と１階調目の輝度差は０ｃｄ／ｍ2に近く、滑らかな階調表示が可能となっている（「０階調」，「１階調」，「２階調」などは、２５６階調中の階調を示す）。それに対してＰＤＰ装置では、１階調目の輝度が高いため、０階調と１階調の輝度差は２ｃｄ／ｍ2以上もあり、ＣＲＴのように滑らかな輝度変化を表現することが困難である。また、ＰＤＰはもともと輝度が低いので、誤差拡散処理（ディザ法）により擬似的に階調表示しようとしても、画面に誤差拡散ノイズのザラツキ感が目立ってしまい、誤差拡散効果が得られず、かえって画質が劣化しやすい。
【０００７】
このような問題に対して、特許文献１，２には、維持期間の放電に着目し、１階調目では維持放電を抑えることによって輝度を落とす技術が開示されている。
すなわち、特許文献１には、１階調目表示時の維持パルス数が従来３回であったのを、１階調目の維持パルスを２階調目以降よりも太幅にして１回に低減することによって、１階調目の輝度を低減する駆動方法が提案されている。
【０００８】
また、特許文献２には、１回の維持パルスを斜めランプにして維持放電を弱体化することによって、１階調目の輝度を低減する駆動方法が提案されている。これは、一般的に維持パルスを急峻に立ち上げるよりも滑らかに立ち上げる方が、維持放電が微放電になることを利用している。
さらに特許文献３では、１階調目表示時には維持放電をなくすことによって輝度を落とす方法が提案されている。すなわち、１階調目の輝度はアドレス放電のみで確保し、２階調目以降では維持放電で輝度を出すようにしている。１階調目では走査電極とアドレス電極のみのアドレス放電を行うことによって、１階調目の輝度が０．３６ｃｄ／ｍ2であり、２階調目の輝度が０．９７ｃｄ／ｍ2と記載されている。
【０００９】
このような駆動方法によれば、１階調目を表示する輝度を従来よりも低減することができ、低階調の表現力を向上するのに有効であり、現在、特許文献１の技術に基づいた製品化もなされている。
【特許文献１】特開２００２-０１４６５２号公報
【特許文献２】特開２００５-１０７４９５号公報
【特許文献３】特開２００５-１５７０６４号公報
【発明の開示】
【発明が解決しようとする課題】
【００１０】
ＰＤＰにおいて、低階調の表現力をさらに向上させるために、階調表示の輝度を低減するだけでなく、２階調目の輝度とのバランスも重要であって、例えば２階調目の輝度を１．５ｃｄ／ｍ2とすると、１階調目の輝度は、その半分程度（０．７ｃｄ／ｍ2程度）であることが望ましい。
しかし、特許文献１の技術では、１階調目でアドレス放電をしただけでも、この目標輝度（約０．７ｃｄ／ｍ2）を超えてしまうので、目標輝度を達成することは難しい。また、特許文献２，３の技術でも、１階調目の輝度を適度に調整することは難しい。
【００１１】
このような課題に対して、アドレス放電の強度を弱めて１階調目の輝度を低減することが考えられる。しかし、アドレス放電の強度を弱めると、維持放電の放電遅れが大きくなって十分に維持放電しなくなり、次の全セル初期化期間で強放電して初期化放電ミスが発生し、続くアドレス期間で誤放電が発生して画面のチラツキやザラツキが発生して画質が損われる問題があることがわかった。
【００１２】
本発明は、上記課題を鑑みてなされたものであって、ＰＤＰを駆動するときに、初期化放電ミスの発生を抑えながら、１階調目を表示する時の輝度を適度に調整することによって、低階調表現力を向上させることを目的とする。
【課題を解決するための手段】
【００１３】
上記目的を実現するため本発明では、ＰＤＰを駆動する際に、１ＴＶフィールドを、放電セルを初期化放電する初期化期間、点灯すべき放電セルをアドレス放電するアドレス期間、アドレス放電した放電セルを維持放電する維持期間を有する複数のサブフィールドで構成し、複数のサブフィールドのうち少なくとも１つのサブフィールドに、初期化期間において、第１電極の電位が電圧勾配１０Ｖ／μｓ以下でランプ状に上昇する電位上昇期間を有する全セル初期化期間を設け、次の特徴を備える。
特徴Ａ：この複数のサブフィールドを、輝度重みが最小のサブフィールドを含む第１サブフィールド群と、それ以外の第２サブフィールド群に分けて、第１サブフィールド群の少なくとも輝度重み最小のサブフィールドにおいて、第２サブフィールド群と比べて、アドレス期間のアドレス放電の強度を小さくする。
特徴Ａを備えると共に、下記特徴Ｂ、特徴Ｃのいずれかあるいは両方を備える。
特徴Ｂ：第１サブフィールド群の少なくとも輝度重み最小のサブフィールドにおいて、維持放電させるときにアドレス電極に正極性の電圧を印加する。
特徴Ｃ：全セル初期化期間の電位上昇期間の少なくとも一部期間において、アドレス電極に正極性の電圧を印加する。
ここで、アドレス電極に印加する正極性の電圧としては、１５Ｖ以上１５０Ｖ以下が好ましい。
【００１４】
上記「輝度重みが最小のブフィールドを含む第１サブフィールド群」には、（１）１ＴＶフィールドを構成する複数のサブフィールドの中で、「輝度重みが最小のサブフィールド」だけが含まれていても良いし、（２）１ＴＶフィールドを構成する複数のサブフィールドの中で、「輝度重みが最小のサブフィールド」とともに、それ以外のサブフィールドを含んでもよい。
【００１５】
ただし、後者（２）の場合も、第１サブフィールド群に含ませるサブフィールドは、輝度重みの比較的小さいサブフィールドから選ぶべきであって、２番目〜４番目に輝度重みの小さいサブフィールドから選択することが好ましい。
上記の特徴Ａを得るには、第２サブフィールド群のアドレス期間には、維持電極を正極性の第１電位に保時し、第１サブフィールド群の中で少なくとも輝度重み最小のサブフィールドのアドレス期間には、維持電極の電位をグランド電位よりも高く且つ第１電位よりも低い第２電位に保持すればよい。
上記本発明において、さらに以下の特徴を付加することが好ましい。
全セル初期化期間の電位上昇期間に、維持電極に負極性の電圧を印加する。
【００１６】
全セル初期化期間の電位上昇期間においてアドレス電極に印加する電位を、アドレス期間にアドレス電極に印加する電位よりも大きくする。
輝度重み最小のサブフィールドに続くサブフィールドの初期化期間を、全セル初期化期間とする。
輝度重み最小のサブフィールドの次のサブフィールドの初期化期間において、第１電極の電位を電圧勾配１０Ｖ／μｓ以下でランプ状に下降させる電位下降期間を含む選択的初期化期間を設け、当該選択的初期化期間の後に全セル初期化期間を設ける。
【００１７】
１ＴＶフィールドごとに画像データの平均輝度レベルを検出し、検出した平均輝度レベルに基づいて、第２電位の大きさを調整する。
第１サブフィールド群の中で少なくとも輝度重み最小のサブフィールドと、第２サブフィールド群とで、以下に挙げる内容で互いに異なる波形を印加することも好ましい。
維持期間に維持放電させるときに、走査電極に印加する電圧が異なるようにする。
アドレス期間にアドレス電極に対して印加するアドレスパルスの電位またはパルス幅が異なるようにする。
【００１８】
アドレス期間に走査電極に対して印加する走査パルスの電位が異なるようにする。
初期化期間における走査電極の最低電位が異なるようにする。
初期化期間における維持電極の電位が異なるようにする。
維持放電を安定させるために、第１サブフィールド群の中で少なくとも輝度重み最小のサブフィールドで、維持期間に、維持電極に負極性の電圧を印加したり、第１サブフィールド群の中で少なくとも輝度重み最小のサブフィールドにおいてアドレス電極に印加する電位を、当該サブフィールドのアドレス期間においてアドレス電極に印加する電位よりも大きくしたり、第１サブフィールド群の維持期間に、走査電極に印加する最初の維持パルスのみ電位を上昇させてもよい。
【００１９】
低階調の輝度を調整するため、第１サブフィールド群の中で輝度重み最小のサブフィールドの維持期間に、走査電極の電位をランプ状に上昇させた後に電圧勾配１００Ｖ／μｓ以上で急峻に上昇させる波形を用いたり、第１サブフィールド群の中で輝度重み最小のサブフィールドの維持期間に、走査電極の電位を上昇させた後に下降させるパルス状の波形を１回のみ含むようにしてもよい。
第１サブフィールド群中の各サブフィールドで、維持期間の最終の維持パルスを印加するときに、輝度重みが低いサブフィールドの方が、輝度重みが高いサブフィールドと比べて、維持放電をより遅く停止させてもよい。
【００２０】
第１サブフィールド群の中で輝度重みが２番目に小さいサブフィールドの次に配置される初期化期間の最低電位を、第１サブフィールド群のそれ以外の初期化期間の最低電位よりも高くすることも好ましい。
また、各放電セルで、輝度重み最小のサブフィールドで点灯した後、続くサブフィールドが不点灯になり、その後に再び点灯することがないような点灯パターンとすることが好ましい。
【発明の効果】
【００２１】
本発明では、１ＴＶフィールドに含まれる複数のサブフィールドを、輝度重みが最小のサブフィールドを含む第１サブフィールド群と、それ以外の第２サブフィールド群とで構成し、第１サブフィールド群の中で少なくとも輝度重み最小のサブフィールドにおいて、第２サブフィールド群と比べて、アドレス期間のアドレス放電の強度を小さくした（特徴Ａを備える）ので、当該サブフィールドにおける発光輝度を抑えて、低階調（１階調目）の輝度に適した大きさに設定することができる。
【００２２】
一方、上記のようにアドレス期間のアドレス放電の強度を小さくすると、一般的には、維持期間に放電遅れが大きくなって十分に維持放電しなくなる傾向にあり、それによって、その後の全セル初期化期間で初期化放電ミスが生じやすくなるが、本発明では、「課題を解決するための手段」の欄で述べた特徴Ｂあるいは特徴Ｃを持つので、全セル初期化期間で安定した初期化放電を行うことができる。
すなわち、維持期間にアドレス電極に正極性の電圧を印加する（特徴Ｂを備える）と、前面パネルの保護層表面から電子が引き出されやすくなるので、維持期間に安定した維持放電がなされ、その後の全セル初期化期間でも安定した初期化がなされる。
また、維持期間に維持放電がなされないと、その後の全セル初期化期間で初期化放電ミスが生じやすくなるのは、走査電極とアドレス電極との間から初期化放電が開始することが要因と考えられるが、全セル初期化期間の電位上昇期間の少なくとも一部期間において、アドレス電極に正極性の電圧を印加する（特徴Ｃを備える）と、走査電極とアドレス電極との間から初期化放電が開始されるのが抑えられるので、前のＳＦで十分に維持放電していなくても、安定した初期化放電を行うことができる。
【００２３】
上記特徴Ｂ、特徴Ｃのいずれか一方でも、初期化ミスが抑えられ、安定した階調表示を行ないながら、優れた低階調表示性能が得られる効果はあるが、両方行う（特徴Ｂと特徴Ｃの相乗効果を奏するので、より安定した低階調表示性能が得られる。
上記特徴Ａを実現するには、第２サブフィールド群のアドレス期間には、維持電極を正極性の第１電位に保時し、第１サブフィールド群の中で少なくとも輝度重み最小のサブフィールドのアドレス期間には、維持電極の電位をグランド電位よりも高く且つ第１電位よりも低い第２電位に保持すればよい。そうすれば、第２サブフィールド群では、アドレス期間に維持電極の電位を第１電位に保持することによってアドレス放電を十分に広げて安定した書き込みを行ない、且つ、第１サブフィールド群では、走査電極とアドレス電極との間のアドレス放電の広がりを、適度な大きさに抑えて、低階調（１階調目）の輝度を２階調目の半分程度にすることができるので、優れた低階調表示性能が得られる。
本発明において、以下に挙げる特徴を付加すれば、第２サブフィールド群において安定した書き込みを行ないながら、低階調（１階調目）の輝度を適度な大きさに調整する上で更なる効果が得られる。
【００２４】
全セル初期化期間の上昇波形部分において、維持電極に負極性の電圧を印加すれば、前面パネルの保護層表面からの電子引き出し効果が高まるので、初期化ミスの発生をさらに低減できる。
全セル初期化期間の電位上昇期間において、アドレス電極に印加する電位を、アドレス期間にアドレス電極に印加する電位よりも大きくすることによっても、前面パネルの保護層表面からの電子引き出し効果が高まるので初期化ミスの発生をさらに低減できる。
輝度重み最小のサブフィールドに続くサブフィールドの初期化期間で全セル初期化を行えば、輝度重み最小のサブフィールドで放電セル間で壁電荷のばらつきが生じても、その直後に全セル初期化で全ての放電セルを均一的に初期化できる。
ここで、輝度重み最小のサブフィールドの次のサブフィールドの初期化期間において、第１電極の電位を電圧勾配１０Ｖ／μｓ以下でランプ状に下降させる電位下降期間を含む選択的初期化期間を設け、当該選択的初期化期間の後に全セル初期化期間を配置すれば、当該全セル初期化期間においてより安定した全セル初期化放電を実現できる。
上記本発明において、１ＴＶフィールドごとに画像データの平均輝度レベルを検出し、  検出した平均輝度レベルに基づいて、第２電位の大きさを調整すれば、画面の明るさに応じて必要な画像特性が得られる。
第１サブフィールド群の中で少なくとも輝度重み最小のサブフィールドと、第２サブフィールド群とで、維持期間に維持放電させるときに、走査電極に印加する電圧を異ならせることによって、維持放電の強度を個別に調整することもできる。この場合、走査電極に印加する電圧を高めに設定したサブフィールドで、維持放電をより安定に行なうことができる。
【００２５】
第１サブフィールド群の中で少なくとも輝度重み最小のサブフィールドと第２サブフィールドとで、アドレス期間にアドレス電極に印加するアドレスパルスの電位またはパルス幅を異ならせることによって、アドレス放電の広がりを個別に調整することができる。この場合、アドレスパルスの電位を高く設定するほど、またパルス幅を広く設定するほど、アドレス放電が強くなり、アドレス放電に伴う発光輝度が高くなる。
【００２６】
また、第１サブフィールド群の中で少なくとも輝度重み最小のサブフィールドと第２サブフィールドとで、アドレス期間に走査電極に対して印加する走査パルスの電位を異ならせることによっても、アドレス放電の広がりを個別に調整することができる。この場合、走査パルスの電位を低くするほど、アドレス放電が強くなり、アドレス放電に伴う発光輝度が高くなる。
第１サブフィールド群の中で少なくとも輝度重み最小のサブフィールドと、第２サブフィールド群とで、初期化期間における走査電極の最低電位を異ならせることによっても、アドレス放電の広がりを個別に調整することができる。
【００２７】
また、第１サブフィールド群の中で少なくとも輝度重み最小のサブフィールドと、第２サブフィールド群とで、初期化期間における維持電極の電位を異ならせることによって、アドレス放電の広がりを個別に調整することができる。
第１サブフィールド群の中で少なくとも輝度重み最小のサブフィールドで、維持期間に維持電極に負極性の電圧を印加すれば、維持放電をより安定して行うことができる。
【００２８】
第１サブフィールド群の中で少なくとも輝度重み最小のサブフィールドにおいて、維持期間にアドレス電極に印加する電位を、当該サブフィールドのアドレス期間においてアドレス電極に印加する電位よりも大きくすることも、維持放電をより安定して行う上で好ましい。
第１サブフィールド群において、維持期間に、走査電極に印加する最初の維持パルスのみ電位を上昇させることも、維持放電を安定して発生させる上で有効である。
【００２９】
第１サブフィールド群の中で輝度重み最小のサブフィールドの維持期間に、走査電極の電位をランプ状に上昇させた後に急峻に上昇させる波形を用いれば、ランプ状の部分で維持期間の時間幅が大きくなるものの、維持放電の発光強度を下げ、低階調の輝度を適度な大きさに調整することができる。
第１サブフィールド群の中で輝度重み最小のサブフィールドの維持期間に、走査電極の電位を上昇させた後に下降させるパルス状の波形を１回のみ含むようにすれば、パルスの立下りとともに維持放電が消去されるので、低階調の輝度を低く調整できる。
【００３０】
輝度重みが小さいサブフィールドでは、印加する維持パルス数が少ないので比較的壁電荷の蓄積が少なく、そのため消去動作がされにくいが、第１サブフィールド群中の各サブフィールドで、維持期間の最終の維持パルスを印加するときに、輝度重みが低いサブフィールドで、輝度重みが高いサブフィールドと比べて、維持放電をより遅く停止させれば、消去動作を行なう時間が長くなるので、確実に消去動作ができる。
第１サブフィールド群の中で輝度重みが２番目に小さいサブフィールドの次に配置される初期化期間の最低電位を、第１サブフィールド群のそれ以外の初期化期間の最低電位よりも高くすれば、緑色放電セルの点灯不良を軽減するのに有効である。
【００３１】
各放電セルで、輝度重み最小のサブフィールドで点灯した後、続くサブフィールドが不点灯になり、その後に再び点灯するような点灯パターンがないようにすれば、点灯不良による色抜けを防止するのに有効である。
【発明を実施するための最良の形態】
【００３２】
ＰＤＰ装置は、ＰＤＰと駆動回路とで構成されている。
図１は、本発明の一実施形態にかかるＰＤＰの構成を示す図である。
このＰＤＰ１は、従来の一般的なＰＤＰと同様の構成であって、前面パネルＰＡ１と背面パネルＰＡ２とが互いに貼り合わせられて構成されている。
前面パネルＰＡ１は、前面ガラス基板１１上に、走査電極１９ａ及び維持電極１９ｂからなる放電電極対が複数ストライプ状に配設され、走査電極１９ａおよび維持電極１９ｂを覆うように誘電体層１７および保護層１８が積層形成されて構成されている。走査電極１９ａは、透明電極１９ａ1および金属電極１９ａ2で形成され、維持電極１９ｂも透明電極１９ｂ1，金属電極１９ｂ2で形成されている。
【００３３】
背面パネルＰＡ２は、背面ガラス基板１２上にアドレス電極１４が複数ストライプ状に配設され、アドレス電極１４を覆うように誘電体層１３が形成され、誘電体層１３上に隔壁１５が形成されて構成されている。
上記放電電極対とアドレス電極１４とは立体交差しており、各交差箇所に放電セルが形成されている。上記隔壁１５は、アドレス電極１４に沿ってストライプ状に形成されたり、各放電セルの放電空間２０を箱状に囲むように形成される。
【００３４】
隔壁１５の内面には、蛍光体層１６が塗布されている。通常、カラー表示のために、赤、緑、青の三色の蛍光体層が順に配置される。
隔壁１５で区切られた放電空間２０には放電ガスが封入されている。
駆動回路として、走査電極を駆動する走査電極駆動回路、維持電極を駆動する維持電極駆動回路、アドレス電極を駆動するアドレス電極駆動回路を備え、これらの駆動回路が各電極に電圧を印加することによって、各放電セル内でガス放電により紫外線を発生させ、この紫外線でＲＧＢ各色の蛍光体を励起発光させてカラー表示を行う。
【００３５】
（駆動部の全体構成）
図２は、ＰＤＰ１を駆動する駆動部の構成を示す図である。
図２に示すように、駆動部は、走査電極駆動回路２１、維持電極駆動回路２２、アドレス電極駆動回路２３、タイミング発生回路２４、Ａ／Ｄ（Ａｎａｌｏｇ／Ｄｉｇｉｔａｌ）変換部２５、走査数変換部２６、サブフィールド変換部２７、ＡＰＬ（Ａｖｅｒａｇｅｄ  Ｐｉｃｔｕｒｅ  Ｌｅｖｅｌ）検出部２８などを備えている。
【００３６】
駆動部において、映像信号ＶＤは、Ａ／Ｄ変換部２５に入力され、水平同期信号Ｈおよび垂直同期信号Ｖは、Ａ／Ｄ変換部２５、走査数変換部２６およびサブフィールド変換部２７に入力される。また、垂直同期信号Ｖはタイミング発生回路２４にも入力される。
Ａ／Ｄ変換部２５は、入力された映像信号ＶＤをデジタル信号の画像データへと変換し、変換後の画像データを走査数変換部２６およびＡＰＬ検出部２８へと出力する。
【００３７】
走査数変換部２６は、Ａ／Ｄ変換部２５から受け付けた画像データをＰＤＰ１の画素数に応じた画像データへと変換し、サブフィールド変換部２７へと出力する。サブフィールド変換部２７は、サブフィールドメモリ（不図示）を備え、走査数変換部２６から転送されてくる画像データをＰＤＰ１に階調表示させるための各サブフィールドでの放電セルの点灯／非点灯を示す２値データの集合であるサブフィールドデータに変換し、一旦サブフィールドメモリに格納する。そして、タイミング発生回路２４からのタイミング信号に基づきサブフィールドデータを走査電極駆動回路２１へと出力する。
【００３８】
ＡＰＬ検出部２８は画像データの平均輝度レベルを検出する。駆動部では、検出した平均輝度レベルに基づいて駆動波形を制御するのに用いることができる。
タイミング発生回路２４は、垂直同期信号Ｖから一定時間経過した時点でフィールド開始信号を生成し、このフィールド開始信号を起点に各サブフィールドの初期化期間、アドレス期間、維持期間の開始を指示するタイミング信号を生成する。さらに、各期間の開始を指示するタイミング信号を起点としてクロックをカウントすることにより、各駆動回路２１〜２３にパルス発生のタイミングを指示するタイミング信号を生成し、これら各種タイミング信号を各駆動回路２１〜２３に出力する。
【００３９】
そのため、タイミング発生回路２４には、各サブフィールドの開始から各パルス立ち上がりまでの時間及びパルス立下りまでの設定時間がクロックＣＬＫの数に換算されて格納されていて、サブフィールドの開始と同時に、時間カウンタＣＴをリセットして、時間カウンタＣＴが各設定時間になると、各駆動回路２１〜２３に、パルスの立ち上がりあるいは立下りの指示をする。
【００４０】
各駆動回路２１〜２３は、公知のドライバＩＣなどを備え、タイミング発生回路２４から送られてくるタイミング信号に基づいて以下のようにＰＤＰ１に駆動パルスを印加する。
走査電極駆動回路２１は、タイミング発生回路２４から送られてくるタイミング信号に基づいて、走査電極ＳＣＮに、走査パルス、維持パルスなどを印加する。
【００４１】
維持電極駆動回路２２は、タイミング発生回路２４から送られてくるタイミング信号に基づいて、維持電極ＳＵＳに維持パルスなどを印加する。
アドレス電極駆動回路２３は、アドレスＩＣ群を備え、アドレス期間に、タイミング発生回路２４から送られてくるタイミング信号に応じて、アドレス電極Ｄの中から、サブフィールドデータに基づいて選択したものにアドレスパルスを印加する。
【００４２】
なお、走査電極駆動回路２１、維持電極駆動回路２２、及びアドレス電極駆動回路２３には、走査電極、維持電極及びアドレス電極の電位を多数レベルで変化させるレベル変化回路が備えられている。
以下、駆動回路が各電極に印加する駆動波形を説明する。
ＰＤＰを駆動するのに一般的にサブフィールド方式が用いられている。テレビ映像を表示するＮＴＳＣ方式における映像は、１秒間６０ＴＶフィールドで構成されており、１ＴＶフィールドを複数のサブフィールド（以下、「ＳＦ」と記載する）に分割することによって、赤、緑、青の各色の点灯時間を時分割し、その組み合わせによって中間色を表現する。
【００４３】
本実施形態の駆動方法において、上記図４３に示す１ＴＶフィールドの構成と同様、１ＴＶフィールドが、輝度重みを持つ複数のサブフィールド（ＳＦ１，ＳＦ２，ＳＦ３‥）で構成されている。
ＳＦ１は階調１に相当する最低階調のＳＦである。
ＳＦ１を除く各ＳＦ（ＳＦ２以降のＳＦ）は、２以上の階調に相当するＳＦであって、初期化期間，アドレス期間及び維持期間を有している。そして、各維持期間において、ＳＦの重み付けにほぼ比例した数の維持パルスを印加する。すなわち、ＳＦ２では２階調目の輝度重み、ＳＦ３では３階調目の輝度重みに相当する数の維持パルスが印加される。
【００４４】
本実施形態においては、１ＴＶフィールドを構成する複数のサブフィールド（ＳＦ１，ＳＦ２，ＳＦ３‥）を、輝度重みが最小のＳＦ１を含む比較的輝度重みの小さいサブフィールドからなる第１サブフィールド群と、それ以外のサブフィールドからなる第２サブフィールド群とに分けて、第１サブフィールド群と第２サブフィールド群とで各電極に印加する電圧が異なっている。すなわち、下記の特徴Ａを備えると共に、特徴Ｂ、特徴Ｃのいずれかあるいは両方を備えている。
【００４５】
特徴Ａ：第１サブフィールド群の少なくとも輝度重み最小のサブフィールドにおいて、第２サブフィールド群と比べて、アドレス期間のアドレス放電の強度を小さくする。
特徴Ｂ：第１サブフィールド群の少なくとも輝度重み最小のサブフィールドにおいて、維持放電させるときにアドレス電極に正極性の電圧を印加する。
特徴Ｃ：複数のサブフィールドのうち少なくとも１つのサブフィールドに、初期化期間において、第１電極の電位が電圧勾配１０Ｖ／μｓ以下でランプ状に上昇する電位上昇期間を有する全セル初期化期間を設け、当該全セル初期化期間の電位上昇期間の少なくとも一部期間において、アドレス電極に正極性の電圧を印加する。
上記特徴Ａを実現するには、第２サブフィールド群のアドレス期間には、維持電極を正極性の第１電位に保時し、第１サブフィールド群の中で少なくとも輝度重み最小のサブフィールドのアドレス期間には、維持電極の電位をグランド電位よりも高く且つ第１電位よりも低い第２電位に保持すればよい。
第１サブフィールド群には、輝度重みが最小のＳＦ１だけが含まれていても良いし、ＳＦ１とともに、ＳＦ２，ＳＦ３，ＳＦ４から選択された１以上のサブフィールドを含んでもよいが、以下の実施例では、第１サブフィールド群はＳＦ１で構成され、第２サブフィールド群はＳＦ２以降のサブフィールドで構成されるものとして説明する。
以下の各実施例で駆動方法の具体例を説明する。
【実施例１】
【００４６】
図３は、実施例１にかかる各駆動回路がＰＤＰの各電極に印加する駆動電圧波形であり、１階調目〜３階調目（ＳＦ１〜ＳＦ３）について示している。
図３ではＳＦ４以降は示されていないが、ＳＦ３と同じ駆動波形を有し、維持パルスの個数が異なるだけである。
次に、初期化期間，アドレス期間，維持期間について各々説明する。
【００４７】
初期化期間：
初期化期間においては、すべての走査電極に一括して初期化パルスを印加することによって弱放電を発生させ、それ以前の個々の放電セルに対する壁電荷の履歴を消すとともに、続くアドレス動作のために必要な壁電荷を形成する。
この初期化には２種類あって、走査電極に上昇するランプ波形電圧を加えて全ての放電セルで一斉に初期化放電する全セル初期化と、初期化前のＳＦで点灯した放電セルのみを選択的に初期化放電する選択的初期化がある。
【００４８】
本実施例においては、１ＴＶフィールド内のＳＦ２では、初期化期間で、全セル初期化パルスを走査電極に印加してすべての放電セルに初期化放電を発生させ、それ以外のＳＦ（ＳＦ１とＳＦ３以降のＳＦ）では、初期化期間に、走査電極に選択初期化パルスを印加することによって、先行するＳＦで維持放電を経験した放電セルのみで初期化放電を発生させる。
【００４９】
ＳＦ２で印加する全セル初期化パルスは、図３に示されるように、前半に、正の緩やかな傾き（電圧勾配１０Ｖ／μｓ以下）で、最高電位Ｖset（Ｖ）へ上昇する上昇ランプ波形部分Ｓ1を有する。この上昇ランプ波形部分Ｓ1では、維持電極およびアドレス電極は、基本的に接地電位０（Ｖ）に保持する。
上昇ランプ波形部分Ｓ1では、放電空間内の電位差が放電開始電圧よりも高くなって、放電空間に微弱な気体放電（電離増倍が時間的に緩やかに進展する弱放電）が発生し、当該気体放電で発生した電荷が、放電空間を囲む壁面におけるアドレス電極、走査電極、維持電極周辺に壁電荷として蓄積される。この壁電荷は、放電空間および電極表面の電界を弱めるように、走査電極付近の保護層表面には負電荷が、維持電極付近の保護層表面およびアドレス電極付近の蛍光体層１６表面には正電荷が蓄積される。
【００５０】
全セル初期化パルスの後半には、負の緩やかな傾き（電圧勾配１０Ｖ／μ以下）で、最低電位Ｖset2（Ｖ）に向かって下降する下降ランプ波形部分Ｓ2を備える。
この下降ランプ波形部分Ｓ2では、走査電極の電位が正から負に入れ替わりながら、弱放電が発生することによって、走査電極付近の保護層表面に蓄積された負電荷および維持電極付近の保護層表面に蓄積された正壁電荷が弱められる。
【００５１】
このように２回の微弱放電で全ての放電セルが均一的に初期化されて、走査電極とアドレス電極および維持電極との間に、書き込み動作に適した壁電位が形成される。
このようにＳＦ１に続くＳＦ２で、全セル初期化を行なうことよって、ＳＦ１で点灯した放電セルも点灯しなかった放電セルも、全てが均一的に初期化される。
ＳＦ１及びＳＦ３以降のＳＦにおいて、走査電極に印加する選択初期化パルスは、図３に示されるように、電位Ｖsus（Ｖ）から電位Ｖset2（Ｖ）に向かって緩やかな傾斜（電圧勾配１０Ｖ／μｓ以下）で下降する下降ランプ波形部分Ｓ3を有する。
【００５２】
この選択初期化パルスによって、前のサブフィールドの維持期間で維持放電を行った放電セルで選択的に微弱放電が発生して走査電極とアドレス電極および維持電極との間の壁電圧が弱められて書込み動作に適した範囲に調整され、アドレス電極上の壁電圧も調整される。一方、前のサブフィールドで書込み放電および維持放電を行わなかった放電セルでは、放電することがなく、前のサブフィールドの初期化期間終了時における壁電荷がそのまま保たれる。
【００５３】
各サブフィールドの初期化期間において、走査電極に下降ランプ波形部分Ｓ2，Ｓ3が印加されているときには、維持電極は電位Ｖｅ（Ｖ）に保持し、アドレス電極は基本的に接地電位０（Ｖ）に保持する。
ただし、後で詳述するように、第１サブフィールド群のＳＦ１の初期化期間における維持電極の電位を、第２サブフィールド群に属するＳＦ２以降のサブフィールドの初期化期間の電位Ｖｅよりも高い電位ＶｅＨ（Ｖ）に保持してもよい。このように初期化期間における維持電極の電位を調整することによって、各放電セルに形成する電荷量を調整することができ、それによって、低階調ＳＦにおけるアドレス放電に起因する輝度を調整することもできる。
【００５４】
なお、初期化パルスの波形は、上記のようなものに限定されることはなく、走査電極とアドレス電極との間の電位差が緩やかに上昇あるいは下降して、微弱放電が連続的に発生する状態を実現できればよい。
アドレス期間：
アドレス期間には、維持電極を正電位に保った状態で、走査電極に対して負極性の走査パルス（電位Ｖad）を印加するとともに、点灯させようとする放電セルに対応するアドレス電極に対してのみ、正極性のアドレスパルス（電位Ｖda）を選択的に印加する。
【００５５】
初期化期間終了時には、走査電極側に負極性の壁電荷、アドレス電極側に正極性の壁電荷が形成されているが、上記のように、走査電極，維持電極，アドレス電極に、壁電荷と同極性の電圧を形成することによって、走査電極とアドレス電極との間で選択的にアドレス放電が発生し、これをきっかけにして、走査電極と維持電極との間にもアドレス放電が広がって、続く維持動作するのに適した壁電荷が形成される。
【００５６】
そして、アドレス放電が発生した放電セルでは、蛍光体層表面および維持電極付近の保護層表面には負電荷、走査電極付近の保護層表面には正電荷が壁電荷として蓄積される。そして、アドレス期間が終了し、すべての電極が接地された状態では、走査電極と維持電極間に維持放電を発生させるのに適した壁電位が形成される。
なお、後で詳述するが、第１サブフィールド群に属するＳＦ１のアドレス期間における維持電極の電位ＶeLは、第２サブフィールドに属するＳＦ２以降のアドレス期間における維持電極の電位（Ｖｅ＋Ｖe2）よりも低目に設定されている。それによって、ＳＦ１のアドレス期間におけるアドレス放電の広がりを、低階調輝度を表すのに適した大きさに調整できる。
【００５７】
維持期間：
維持期間には、まず走査電極に正極性の維持パルス（電位Ｖsus）を印加し、続いて、維持電極と走査電極とに交互に正極性の維持パルス（電位Ｖsus）を印加する。これによって、アドレス期間にアドレス放電を行なった放電セルでは、維持パルスが印加される回数に応じて維持放電がなされる。ＳＦ２の維持期間には維持パルスが１回だけ印加され、ＳＦ３の維持期間には維持パルスが３回印加され、ＳＦ４以降の維持期間には維持パルスがより多い回数印加される。
【００５８】
そして、ＳＦ３以降では、維持期間の最後の維持パルスが印加された後、消去動作がなされる。消去動作とは維持放電を途中で停止させることであって、本実施例では走査電極の電位を上げた後すぐに維持電極の電圧を上げることによって実現している。この消去により、続くＳＦの選択的初期化の後に蓄積される壁電荷の量を、続くＳＦの書き込み動作に適した状態にする。
【００５９】
なお、消去動作は維持放電のときに壁電荷が多量に蓄積されていなければ実現できないが、ＳＦ３では、印加する維持パルス数が少ないので、壁電荷が蓄積されにくい。従って、ＳＦ３ではＳＦ４以降と比べて、消去動作を行なう時間を長くすることが確実に消去動作する上で好ましい。
（アドレス期間における維持電極の電位）
本実施例の駆動方法では、第１サブフィールド群に属するＳＦ１と、第２サブフィールド群に属するＳＦ２以降のＳＦとで、アドレス期間における維持電極の電位が異なっており、ＳＦ１のアドレス期間における維持電極の電位ＶeLは、ＳＦ２以降のＳＦのアドレス期間における維持電極の電位（Ｖｅ＋Ｖe2）よりも低く設定されている。
【００６０】
このようにアドレス期間における維持電極の電位を設定することによって、以下のように低階調表示性能が向上する。
アドレス期間における維持電極の電位を低く設定するほど、走査電極と維持電極との間でアドレス放電の広がりが小さくなる。
すなわち、アドレス期間においては上記のように、点灯させる放電セルでは、走査電極に負の走査パルスを印加すると共にアドレス電極に正のアドレスパルスを印加することによって、走査電極とアドレス電極との間でアドレス放電を発生するが、このとき、維持電極は正電位に保持されているので、走査電極とアドレス電極との間で発生したアドレス放電は、走査電極と維持電極との間にまで広がる。ここで、維持電極の電位が低いほど、走査電極の電位Ｖadとの電位差が小さくなるので、走査電極と維持電極との間の放電が小さくなり、発光輝度も小さくなる。
【００６１】
従って、ＳＦ１で、維持電極の電位ＶeLを低めに設定することによって、アドレス放電の広がりを小さくしてアドレス放電に伴う発光輝度を低減し、低階調（階調１）の輝度を低く抑えることができ、低階調（階調１）の輝度を、２階調目の輝度の半分程度に抑えることもできる(特徴Ａ)。
ＳＦ１でアドレス放電の広がりが小さい(特徴Ａを備える)と、壁電荷が十分に形成されにくいが、ＳＦ１では維持期間にアドレス電極に正極性の電圧を印加する（特徴Ｂと備える）ので、壁電荷が少なくても維持放電させることができる。この点については、後の維持期間のところで説明する。
【００６２】
ＳＦ２以降のＳＦにおいては、維持電極の電位（Ｖｅ＋Ｖe2）を適度に高く設定することによってアドレス放電の広がりを大きくして書き込みを安定して行うことができる。ＳＦ２以降のＳＦでは、アドレス放電に伴う発光量は大きいが、ＳＦ２以降のＳＦは、低階調ではなく、２階調目以上を表示するＳＦなので、低階調表示性能には影響しない。
このように、ＳＦ１のアドレス期間における維持電極の電位ＶeLを、ＳＦ２以降のＳＦのアドレス期間における維持電極の電位（Ｖｅ＋Ｖe2）よりも低く設定することによって、低階調表示性能を向上させることができる。
【００６３】
なお、ＳＦ１のアドレス期間の維持電極の電位ＶeLを、ＳＦ２以降の込み期間の維持電極の電位と同じにした場合は、低階調（階調１）の輝度を、階調２の輝度の半分程度に抑えることは難しい。一方、ＳＦ１のアドレス期間に維持電極をグランド電位にすると走査電極と維持電極との間でアドレス放電が広がらないので、維持放電しなくなり、低階調（階調１）の輝度が小さくなりすぎる傾向にある。
【００６４】
また、実施例３の図３３（ａ）に示されるように、ＳＦ１のアドレス期間の維持電極の電位ＶeLを低くし過ぎると維持放電しなくなり、初期化ミスが発生しやすくなるので、その点も考慮して電位ＶeLを設定すればよい。
この具体例としては、ＳＦ２以降のＳＦのアドレス期間における維持電極の電位（Ｖｅ＋Ｖe2）が１６０Ｖ、ＳＦ１のアドレス期間における維持電極の電位ＶeLが１００Ｖである。
【００６５】
なお、ＳＦ１では消去動作を行なわないので、続くＳＦの選択的初期化後に蓄積される壁電荷が少なくなり、次のＳＦ２では、緑色の放電セルでアドレス放電時に横クロストーク（隣の赤色と青色の放電セルに壁電荷が抜ける現象）が発生しやすく、それによって、次のＳＦ３では緑色放電セルの点灯不良が生じやすい（緑色放電セルに点灯不良が生じると白色がマゼンタ色になる）傾向がある。この点に対しては、ＳＦ２のアドレス期間における維持電極の電位Ｖｅを低目に設定することによって、アドレス放電の広がりを抑え、横クロストークを防止することができる。また、ＳＦ２で横クロストークして壁電荷が少なくなった放電セルにおいても、ＳＦ３のアドレス時間を延ばすことによって安定してアドレス放電することができる。
【００６６】
（アドレスパルス、走査パルスによるアドレス放電の調整）
本実施例の駆動方法において、上記のように第１サブフィールド群に属するＳＦ１のアドレス期間における維持電極の電位ＶeLを、第２サブフィールド群に属するＳＦ２以降のＳＦのアドレス期間における維持電極の電位（Ｖｅ＋Ｖe2）よりも低く設定するのに加えて、アドレス期間にアドレス電極に印加するアドレスパルスの電位やパルス幅、あるいは走査電極に印加する走査パルスの電位を、ＳＦ２以降のＳＦとＳＦ１とで別々の値に設定してもよい。
【００６７】
ここで、アドレスパルスの電位を低くするほど、またアドレスパルスのパルス幅を狭くするほど、また走査パルスの電位を高くするほど、アドレス放電が弱くなり、アドレス放電に伴う発光が弱くなるので、アドレスパルスの電位，アドレスパルスパルス幅、あるいは走査パルスの電位を調整することによっても、ＳＦ２以降のＳＦにおけるアドレス放電の広がりとＳＦ１におけるアドレス放電の広がりとを個別に調整することができる。
【００６８】
従って、ＳＦ２以降のＳＦにおいて安定した書き込みを行ないながら、ＳＦ１（１階調目）の輝度を適度な大きさに調整するのに有効である。
アドレスパルスの電位，アドレスパルスパルス幅、あるいは走査パルスの電位と、アドレス放電の広がりとの関係を以下にまとめる。
ＳＦ２以降のＳＦのアドレス期間において、アドレス電極に印加するアドレスパルスの電位をＶda、パルス幅をＰw、走査電極に印加する走査パルスの電位Ｖadとする。
【００６９】
ＳＦ１のアドレス期間において、アドレス電極に印加するアドレスパルスの電位をＶda1、パルス幅をＰw1、走査電極に印加する走査パルスの電位をＶad1とする。
このとき、アドレスパルス、走査パルスの設定の仕方によって、アドレス放電の強さが、以下のように変わる。
（１）アドレスパルスの電位差（Ｖda−Ｖda1）が大きいほど、ＳＦ２以降のＳＦと比べてＳＦ１におけるアドレス放電の広がりが小さくなり輝度が下がる。
【００７０】
（２）アドレスパルスパルス幅差（Ｐw−Ｐw1）が大きいほど、ＳＦ２以降のＳＦと比べてＳＦ１におけるアドレス放電の広がりが小さくなり輝度が下がる。
（３）走査パルスの電位（|Ｖad|−|Ｖad1|）が大きいほど、ＳＦ２以降のＳＦと比べてＳＦ１におけるアドレス放電の広がりが小さくなり輝度が下がる。
なお、第１サブフィールド群に属するＳＦ１と、第２サブフィールド群に属するＳＦ２以降のＳＦとの間で、これら３つの設定項目（アドレスパルスの電位、アドレスパルスパルス幅、走査パルスの電位）の中、１項目だけを変えてもよいし、２項目、３項目を組み合わせて変えてもよい。  
【００７１】
アドレスパルス幅を設定する具体例を挙げると、ＳＦ２以降のＳＦでは、アドレスパルス幅Ｐwを、通常のアドレスパルス幅の範囲内（４．０μsec〜２．０μsec程度）に設定することによって、アドレス放電を走査電極と維持電極との間に広げる。それによって確実に書き込みを行なうことができる。一方、ＳＦ１のアドレスパルス幅Ｐw1を、ＳＦ２より短く設定することによって、アドレス放電が走査電極と維持電極との間に広がる途中でアドレスパルスを終了して放電を停止する。それによって、低階調（ＳＦ１）の発光輝度を低く抑えることができる。反対に、ＳＦ１のアドレスパルス幅Pw1を、SF２のアドレスパルス幅より長く設定することによって、低階調（ＳＦ１）の発光輝度が上昇するが、安定してアドレス放電することができる。
【００７２】
なお、ここでは、ＳＦ１のアドレス期間における維持電極の電位ＶeLを、ＳＦ２以降のＳＦのアドレス期間における維持電極の電位（Ｖｅ＋Ｖe2）よりも低く設定した上で、アドレスパルス、走査パルスによるアドレス放電の調整することとしたが、ＳＦ１とＳＦ２以降のＳＦとでアドレス期間における維持電極の電位が同じ場合でも、アドレスパルス、走査パルスによるアドレス放電を調整することは、低階調表示性能を向上させるのに有効である。
【００７３】
（初期化期間に形成する壁電荷量によるアドレス放電の調整）
本実施例の駆動方法では、ＳＦ１のアドレス期間における維持電極の電位ＶeLを、ＳＦ２以降のＳＦのアドレス期間における維持電極の電位（Ｖｅ＋Ｖe2）よりも低く設定することでアドレス放電を調整したが、これに加えて、初期化期間に形成する壁電荷量がＳＦ２以降のＳＦとＳＦ１とで異なるように初期化期間の条件を設定することによりアドレス放電を調整してもよい。
【００７４】
ここで、初期化期間における走査電極の最低電位Ｖset21，Ｖset2を高く設定するほど、また、初期化期間における維持電極の電位を高く設定するほど、初期化期間終了時における壁電荷量が多くなる。
そして、初期化期間に壁電荷が多く蓄積されるほど、続くアドレス期間にアドレス放電が強くなり、アドレス放電に伴う発光輝度が高くなる。ただし、初期化期間に壁電荷量が多いと、書き込み時のアドレス電圧Ｖdaが低くてもアドレス放電が発生するので、アドレス電圧Ｖdaを低く設定できる。アドレス電圧Ｖdaを低くすると、それだけアドレス放電は弱くなる。
【００７５】
従って、上記のように、初期化期間における走査電極の最低電位Ｖset21，Ｖset2や維持電極の電位を調整することによって、ＳＦ２以降のＳＦにおけるアドレス放電の広がりとＳＦ１におけるアドレス放電の広がりとを個別に調整することができる。
よって、ＳＦ２以降のＳＦとＳＦ１とで壁電荷量を個別に調整することは、ＳＦ２以降のＳＦにおいて安定した書き込みを行ないながら、ＳＦ１（１階調目）の輝度を適度な大きさに調整するのに有効である。
【００７６】
初期化期間における電極電位と形成される壁電荷量との関係を以下にまとめる。
（１）ＳＦ１の初期化期間下降ランプ波形時における維持電極の電位ＶeHを、ＳＦ２以降のＳＦの初期化期間下降ランプ波形時における維持電極の電位Ｖeよりも高く設定する。
初期化期間における下降ランプ波形部分では、維持電極の電位をＶｅに保った状態で、走査電極の電位を負電位Ｖset2まで下げるが、維持電極の電位Ｖeを高くするほど、初期化期間の終了時において維持電極と走査電極との電位差（Ｖｅ−｜Ｖad＋Ｖset2｜）は大きくなり、ランプ放電される時間も長くなる。従って、下降ランプ波形時における維持電極の電位Ｖeを高くすることによってＳＦ１の初期化期間終了時に、走査電極と維持電極との間に多くの壁電荷が蓄積される。壁電荷量が多いほど輝度が高くなる。
【００７７】
（２）ＳＦ１ではＳＦ２以降のＳＦと比べて、初期化期間における走査電極の最低電位Ｖset21を高く設定すると、初期化期間の終わりに壁電荷として残る電荷量が多くなり、反対にＶset21を低く設定すると初期化期間の終わりに残る壁電荷量が少なくなる。壁電荷量が多いほど輝度が高くなる。
なお、ここで、ＳＦ１のアドレス期間における維持電極の電位ＶeLを、ＳＦ２以降のＳＦのアドレス期間における維持電極の電位（Ｖｅ＋Ｖe2）よりも低く設定した上で、初期化期間に形成する壁電荷量を調整することとしたが、ＳＦ１とＳＦ２以降のＳＦとでアドレス期間における維持電極の電位が同じ場合でも、初期化期間に形成する壁電荷量を調整することによってアドレス放電を調整することは、低階調表示性能を向上させるのに有効である。
【００７８】
（維持期間）
図３に示すように、ＳＦ１の維持期間には、維持電極をグランド（ＧＮＤ）電位とし、走査電極の電位を正電位Ｖpr1に保持しながら、アドレス電極に正電圧（ＶdaまたはＶda1）を加える。この電圧の大きさは１５Ｖ以上、１５０Ｖ以下とするのが好ましい。
一般的に、アドレス期間にアドレス放電を小さくする（特徴Ａを備える）と、維持期間に十分な維持放電が行われにくくなり、次の全セル初期化期間に初期化ミスが発生しやすくなる。
しかし、本実施例では、維持期間にアドレス電極に正極性の電圧（ＶdaまたはＶda1）を印加している（特徴Ｂを備える）ので、前面パネルＰＡ１の保護層１８表面（詳しくは、保護層１８表面のうち維持電極１９ｂが配設されている領域）からアドレス電極方向に電子が放出されやすくなる。この保護層１８表面から放出される電子を種火として、走査電極１９ａと維持電極１９ｂの間で発生する。  従って、アドレス期間にアドレス放電の規模が小さくても、維持期間に大きな放電遅れが生じることなく、維持放電がなされ、壁電荷の形成が正常になされる。
よって、次のＳＦ２における全セル初期化期間の電位上昇期間Ｓ１において、初期化ミスが発生しにくくなる。
ＳＦ１の維持期間に走査電極に印加する正電圧Ｖpr1は、（１）維持パルスの電位Ｖsusと同程度の高さに設定してもよいし、（２）維持パルスの電位Ｖsusと比べて低く設定してもよい。
【００７９】
（１）のように正電圧Ｖpr1を高めに設定すると、書き込みがなされた放電セルで維持放電がなされるので、ＳＦ１の発光輝度が比較的高く（１ｃｄ／ｍ2程度）なり、（２）のように正電圧Ｖpr1を低目に設定すると、書き込みがなされた放電セルで維持放電されないので、ＳＦ１の発光輝度が低く（０．５ｃｄ／ｍ2程度）となる。（２）は維持放電しないので初期化ミスしやすくなるが、（１）よりもさらにアドレス放電を弱めることで初期化ミスを防止することができる。
【００８０】
（画像データの平均輝度レベル（ＡＰＬ）に基づくアドレス放電の調整）
上記説明では、ＳＦ１のアドレス放電の大きさを、画像データによって変動させることについては述べなかったが、ＡＰＬ検出部２８で検出した画像データの平均輝度レベルに基づいて変動させるようにしても良い。
例えば、ＳＦ１のアドレス期間における維持電極の電位ＶeLの大きさを変動させてもよい。そのために、ＡＰＬ検出部２８で1フレームごとにＡＰＬを検出し、ＡＰＬの値が比較的小さい場合は、コントラストを重視して維持電極の電位ＶeLを低めに調整し、ＡＰＬの値が比較的大きい場合は、階調と輝度のバランスを重視して、維持電極の電位ＶeLを高めに調整することが考えられる。
【００８１】
このように調整することにより、画面の明るさに応じて、必要な画像特性が得られる。
（上記駆動波形を形成するための駆動回路）
図２に示したプラズマディスプレイ駆動回路中、走査電極駆動回路２１の詳細な構成を図４〜図７に、維持電極駆動回路２２の詳細な構成を図８〜１８に、アドレス電極駆動回路２３の詳細な構成を図１９〜２１に示す。以下、各回路について分説する。
【００８２】
１．走査電極駆動回路
走査電極駆動回路は、初期化パルス（電圧Ｖset，Ｖset2）、走査パルス（電圧Ｖad、Ｖscn）、維持パルス（電圧Ｖsus）、電圧Ｖpr1を出力する回路であって、その構成の一例を示す。
図４〜７は、レベル変化回路を備えた走査電極駆動回路の一例を示す図である。
【００８３】
図４に示すように、走査電極駆動回路には、電源電圧として、維持パルス用の正極性電源電圧（Ｖsus）、全セル初期化パルス用のＨｉ側正極性電源電圧（Ｖset）、書き込み用Ｈｉ側正極性電源電圧（Ｖscn）、Ｌo側負極性電源電圧（Ｖad）が設けられ、各電源電圧端子と、走査電極ＳＣＮへ出力する出力端子との間に、ＦＥＴ（電界効果トランジスタ）からなるスイッチング素子が設けられ、各スイッチング素子を制御することによって出力端子から出力する電圧を制御するようになっている。
【００８４】
図４の回路は、レベル変化回路Ｌを除き、走査電極駆動回路として従来から用いられている回路であり、各サブフィールド期間ＳＦ１、ＳＦ２、ＳＦ３・・・において、維持期間の無効電力を回収しつつ、図３に示したような電圧波形を出力端子から発生し、ＰＤＰの走査電極に印加する。この回路（レベル変化回路を除く）の詳細な動作は、国際出願（出願番号：ＰＣＴ／ＪＰ０２／０６１８０）に述べられているので、ここでは詳細な説明を省略する。
【００８５】
レベル変化回路Ｌは、サブフィールドＳＦ１の維持期間に、走査電極に正電圧Ｖpr1を印加する回路であり、具体例が図５，６に示されている。図５，６のいずれも固定電圧としての正電圧Ｖpr1のスイッチング素子をオンオフすることにより、図４のＡ点に印加・停止するものである。スイッチング素子のオンオフは、ゲートに供給されるタイミング信号PR1によって制御される。このタイミング信号PR1は、図３の波形図からもわかるように、ＳＦ１の維持期間の開始点よりも少し遅れたタイミングである。タイミング信号PR1を維持期間の開始点からどの程度の時間が経って発生するかは、経験的に定められる。
【００８６】
ＰＤＰでは、全てのサブフィールドＳＦ１，ＳＦ２，ＳＦ３・・・の開始点、さらに各サブフィールド内の初期化期間、アドレス期間、維持期間の開始点は、全てタイミング発生回路２４内に設けられた高速クロックカウンタのカウント値によって決定される。前記タイミング信号ＰＲ１も維持期間の開始点よりも一定値だけ遅延させれば良いので、高速クロックカウンタのカウント値をモニタする回路をもう一つ増やすだけで対応できる。
【００８７】
図４の走査電極駆動回路に戻って、レベル変化回路Ｌが図５、または図６の構成に従って、Ａ点に正電圧Ｖpr1を印加し、スイッチング素子−ＣＰＨ，−ＣＥＬをオンすることで、パネルのスキャン電極に前記正電圧Ｖpr1が供給される。
図７は、走査電極駆動回路の他の例を示している。この例では、破線で囲んだ部分がレベル変化回路Ｌであり、その他の回路は図４と実質同一である。このレベル変化回路は、図６の変形例に相当し、Ｖpr1の電圧を蓄積するキャパシタＣ1をさらに備えている。
【００８８】
走査電極駆動回路は、タイミング発生回路２４から送られてくるタイミング信号に基づいて次のように動作する。
初期化期間の上りランプ波形部分Ｓ1では、スイッチング素子ＣＰＨ，−ＣEＬをオンすることによって、出力電圧を電圧Ｖsetまで上昇させる。下降ランプ波形部分Ｓ2，Ｓ3では、スイッチング素子ＣＥＬをオンすることによって、出力電圧を電圧Ｖadまで下降させる。
【００８９】
アドレス期間においては、スイッチング素子ＳＣＳＵ、ＣＥＬ２をオンし、スキャンＩＣ群のスイッチング素子を制御することによって、電圧Ｖscnまたは電圧Ｖadを出力する。
ＳＦ２以降の維持期間においては、スイッチング素子−ＣＰＨ、−ＣＥＬをオンし、ＣＭＨ、ＣＭＬを制御することによって、電圧Ｖsusまたはグランド電位を出力する。このとき、スキャンＩＣ群をノイズによる過電圧から保護するためにスイッチング素子−ＣＥＬ２をオンしてもよい。
【００９０】
ＳＦ１の維持期間においては、スイッチング素子−ＣＰＨ、−ＣＥＬをオンし、図５または６に示すレベル変化回路のスイッチング素子ＰＲ１をオンして、電圧Ｖpr1を出力する。
なお、ＳＦ１とＳＦ２以降とで走査パルスの最低電位Ｖadを変える場合は、電源Ｖadに電圧を変化させる回路を付加すればよい。
【００９１】
２．維持電極駆動回路
図８は、維持電極駆動回路を示す図である。
維持電極駆動回路は、維持期間に電位Ｖsus、ＳＦ２以降の初期化期間及びアドレス期間に電位Ｖe及び電位Ｖe2、ＳＦ１の初期化期間に電位ＶeH、アドレス期間に電位ＶeLを出力する回路であって、レベル変化回路Ｌ２を備えている。電位ＶeHは電位ＶeLよりも高く、ＶeH＞ＶeLとなっている。
【００９２】
レベル変化回路L２は、図９に示すように４つの電源（電圧ＶeH、ＶeL、Ｖe、Ｖe2）と、スイッチング素子ＵＥＨ，ＵＥＬ，ＵＥＭ２，ＵＥＳ、キャパシタＣ2を備え、各スイッチング素子をオンオフしたり、キャパシタＣ2を充放電することによって、必要な期間に所定のタイミングで維持電極に電圧を印加する。必要な期間、タイミングについては、図３の波形図から理解されるように、電圧ＶeHは、ＳＦ１の初期化期間に印加され、電圧ＶeLは、ＳＦ１のアドレス期間に印加され、電圧Ｖe及び電圧（Ｖe＋Ｖe2）は、ＳＦ２以降のサブフィールドにおいて、所定のタイミングで印加される。
【００９３】
キャパシタＣ2には、スイッチング素子−ＵＥＭ２がオンした際に図示する極性に電圧が充電される。従って、その後にスイッチング素子ＵＥＭ２がオンすると、電圧Ｖe2にキャパシタＣ2の充電電圧が加算されて、Ａ点に出力される。
これら各電圧を印加するタイミング信号は、既述した高速クロックカウンタのカウント値をモニタする回路により構成される。
【００９４】
図１０は、図９の変形例で、スイッチング素子の１部をダイオードに変更しただけであって、特性において差異は無い。
図１１は、さらに他の変形例で、このレベル変化回路Ｌ２は、ＶeH、ＶeL、Ｖe2の各電圧を出力する際に、キャパシタＣ２の充電電圧Ｖeが加算されるように接続されている。このため、電源電圧は、充電電圧を差し引いた電圧ＶeH−Ｖe、ＶeL−Ｖeとしている。なお、キャパシタＣ２の充電電圧として電圧Ｖeを選択する場合と、電圧ＶeLを選択する場合とが考えられる。パターン１は電圧Ｖeを選択した場合の電源電圧、パターン２は、電圧ＶeLを選択した場合の電源電圧の大きさを示している。
【００９５】
図１２は、図１１の変形例で、スイッチング素子の１部をダイオードに変更しただけであって、特性において差異は無い。
図１３は、キャパシタＣ２を全く用いない例であって、スイッチング素子ＵＥＨ，ＵＥＭ２，ＵＥＭ，ＵＥＬを選択的にオンすることによって、各電源の電圧ＶeH，Ｖe＋Ｖe2，Ｖｅ，ＶeLが、Ａ点に出力される。
【００９６】
図１４は図１３の変形例であって、スイッチング素子の１部をダイオードに変更しただけであり、特性において差異は無い。
図１５は、上記図１４において接続関係を多段化した例であり、キャパシタを用いない例の一つである。この場合、図１４までの例と異なり、各電源電圧をＡ点に出力するのに、Ａ点から遠い電源電圧ほど、多くのスイッチング素子をオンする必要がある。
【００９７】
図１６，１７，１８は、それぞれ図１５の変形例であって、スイッチング素子の接続関係を変更している。Ａ点に出力する電圧は図１５の場合と同じである。
なお、図９〜図１８のレベル変化回路では、ＳＦ１の初期化期間用の電源（ＶeH）を設けたが、維持パルス用の電源（Ｖsus）を、ＳＦ１の初期化期間にも共用して、ＳＦ１の初期化期間における維持電極電位をＶsusにしてもよい。その場合は、電源ＶeHを省略することができる。
【００９８】
また、ＳＦ１のアドレス期間における維持電極の電位を、ＳＦ２以降の初期化期間における維持電極の電位Ｖeと同じにする場合や、アドレス期間の電位（Ｖe＋Ｖe2）と同じにする場合には、電源（ＶeL）を省略することができる。
３．アドレス電極駆動回路
図１９は、アドレス電極駆動回路の構成を示す概略図である。このアドレス電極駆動回路は、ＳＦ１のアドレス期間に出力するアドレスパルスの電圧と、維持期間に出力するアドレス電圧と、ＳＦ２以降のアドレス期間に出力するアドレスパルスの電圧を調整するレベル変化回路を備えている。
【００９９】
図２０及び図２１は、このレベル変化回路を示す図である。
図２０のレベル変化回路には、１つのダイオードと１つのスイッチング素子ＤＡが設けられ、スイッチング素子ＤＡを制御することによって、２つの電圧Ｖda，ＶdaLが切り替えて出力される。
この電圧の大きさはＶdaL＜Ｖdaの関係にあって、スイッチング素子ＤＡがオンのとき電圧Ｖdaが出力されるようになっている。
【０１００】
図２１レベル変化回路には、２つのスイッチング素子ＤＡ，ＤＡＬが設けられ、このスイッチング素子ＤＡ，ＤＡＬを切り替えることにより、２つの電圧Ｖda，ＶdaLが切り替えて出力される。
スイッチング素子ＤＡ，ＤＡＬを制御するタイミングについては、ＳＦ１のアドレス期間には、正極性の電源電圧ＶdaLからアドレスＩＣ群に電圧供給されるように、ＳＦ２以降のアドレス期間には、正極性の電源電圧ＶdaからアドレスＩＣ群に電圧供給されるように行なう。
【０１０１】
これによって、アドレスＩＣ群は、ＳＦ１のアドレス期間には、電圧ＶdaLのアドレスパルスを出力し、ＳＦ２以降のアドレス期間には、電圧Ｖdaのアドレスパルスを出力することができる。
また、アドレス電極駆動回路は、ＳＦ１の維持期間には、スイッチング素子ＤＡ，ＤＡＬを制御して、電源電圧Ｖdaまたは電源電圧ＶdaLを出力することができる。
【０１０２】
（第１サブフィールド群と第２サブフィールド群との分け方に関して）
以上の説明では、第１サブフィールド群をＳＦ１で構成し、第２サブフィールド群をＳＦ２以降のサブフィールドで構成する場合について説明したが、１ＴＶを構成する複数のサブフィルドを第１サブフィールド群と第２サブフィールド群とに分けるときの分け方については、第１サブフィールド群を、ＳＦ１と、ＳＦ２，３，４から選択した１以上のサブフィールドとで構成し、第２サブフィールド群をそれ以外のサブフィールドで構成してもよい。その場合も、同様に実施可能であって、第１サブフィールド群に属するＳＦのアドレス期間における維持電極の電位ＶeLを、第２サブフィールド群に属するＳＦのアドレス期間における維持電極の電位（Ｖｅ＋Ｖe2）よりも低く設定したり、アドレス期間にアドレス電極に印加するアドレスパルスの電位やパルス幅、あるいは走査電極に印加する走査パルスの電位を別々の値に設定すればよい。
【０１０３】
例えば、第１サブフィールド群をＳＦ１，ＳＦ２，ＳＦ３で構成して、第２サブフィールド群をＳＦ４，ＳＦ５，ＳＦ６‥で構成する場合、第１サブフィールド群に属するＳＦ１のアドレス期間とＳＦ２，ＳＦ３のアドレス期間における維持電極の電位ＶeLを、第２サブフィールド群に属するＳＦ４，ＳＦ５，ＳＦ６‥のアドレス期間における維持電極の電位（Ｖｅ＋Ｖe2）よりも低く設定すればよい。また、第１サブフィールド群に属するＳＦ１及びＳＦ２，ＳＦ３のアドレス期間にアドレス電極に印加するアドレスパルスの電位やパルス幅、あるいは走査電極に印加する走査パルスの電位を、ＳＦ４，ＳＦ５，ＳＦ６‥のＳＦと別々の値に設定してもよい。
【実施例２】
【０１０４】
図２２は、実施例２にかかる各駆動回路が各サブフィールドでＰＤＰの各電極に印加する駆動電圧波形を示す図である。
実施例２の駆動方法は、ＳＦ１の維持期間以外の駆動波形および動作は実施例１と同様である。ＳＦ１の維持期間においては、アドレス電極に正の電圧を加えた後、正電圧Ｖpr1を走査電極に加えて放電セルに維持放電を発生させ、初期化ミスを抑える点は実施例１と同様であるが、本実施例ではＳＦ１の維持期間におけるアドレス電極の電位Ｖpr2は、アドレス期間に印加するアドレスパルスの電位（Ｖda，ＶdaL）よりも高く設定されている。
【０１０５】
また、実施例１ではＳＦ１の維持期間に維持電極の電位をグランド電位としたのに対して、本実施例では、維持電極の電位Ｖpr3を負電位とする。
このように、ＳＦ１の維持期間において、維持電極を負電位としながら、アドレス電極に正極性の電圧を印加することによって、弱いアドレス放電でも維持放電することができる。
【０１０６】
また、ＳＦ１の維持期間におけるアドレス電極の電位Ｖpr2を、アドレス期間にアドレス電極に印加するアドレスパルスの電位よりも高くすることによって、弱いアドレス放電でも維持放電することができる。
また、維持電極の負電位とアドレス電極の電位Ｖpr2との電圧を大きくすることで、ＳＦ１で書き込みを行なった放電セルだけでなく、書き込みしなかった放電セルでも、弱い放電をさせることによって初期化ミスを抑えることができる。
【０１０７】
一般的に、放電ガス中のＸｅ分圧が高い（例えばＸｅ比率６５％）ＰＤＰや高精細ＰＤＰでは、初期化ミスが起こりやすいが、本実施例のように書き込みしていない放電セルにも弱い放電を行なえば、放電ガス中のＸｅ分圧が高いＰＤＰや高精細ＰＤＰでもプライミング効果によって初期化ミスをなくすことができる。
図２３〜２６は、実施例２にかかる維持電極駆動回路の構成を示す図である。
【０１０８】
これらの各維持電極駆動回路は、実施例１の維持電極駆動回路と同様であるが、負極性の電源電圧Ｖpr3とスイッチング素子ＰＲ3を備えている。
これらの維持電極駆動回路は、維持期間、初期化期間、アドレス期間には、実施例１の維持電極駆動回路と同様の動作を行なうが、ＳＦ１の維持期間には、スイッチング素子ＰＲ3を制御することによって電源電圧Ｖpr3から出力する。
【０１０９】
図２７〜３１は、実施例２にかかるアドレス電極駆動回路の構成を示す図である。
図２７，２８のアドレス電極駆動回路は、電源電圧Ｖda，Ｖpr2を備えるとともに、電圧Ｖpr2の出力を制御するスイッチング素子ＰＲ２（−ＰＲ２）と、電圧Ｖdaの出力を制御するダイオードあるいはスイッチング素子ＤＡとを備えている。
そして、スイッチング素子ＤＡを制御することによって、アドレス期間には、電圧ＶdaがアドレスＩＣ群に印加されて、電圧Ｖdaのアドレスパルスが出力される。また、ＳＦ１の維持期間には、電圧Ｖpr2が出力される。
【０１１０】
図２９，３０，３１の各アドレス電極駆動回路は、電源電圧ＶdaLと電源電圧Ｖdaを備えるとともに、その出力を制御するスイッチング素子ＤＡ，ＤＡＬあるいはダイオードを備えている。
また、これらの各アドレス電極駆動回路は、電源電圧Ｖpr2と、その出力を制御するスイッチング素子ＰＲ２（−ＰＲ２）を備えている。
【０１１１】
そして、上記のスイッチング素子を制御することによって、ＳＦ１のアドレス期間には、電圧ＶdaLをアドレスＩＣ群に印加し、電圧ＶdaLのアドレスパルスを出力する。また、ＳＦ２以降のアドレス期間には、電圧ＶdaをアドレスＩＣ群に印加することによって、電圧Ｖdaのアドレスパルスを出力する。
また、ＳＦ１の維持期間には、電圧Ｖpr2を出力する。
【実施例３】
【０１１２】
図３２は、実施例３にかかる各駆動回路が各サブフィールドでＰＤＰの各電極に印加する駆動電圧波形を示す図である。
本実施例の駆動方法は、上記実施例２と同様であるが、実施例２では全セル初期化期間にアドレス電極の電位がＧＮＤ電位になっていたのに対して、本実施例では、ＳＦ１の維持期間に続くＳＦ２の全セル初期化期間の上昇ランプ波形部分でも、アドレス電極の電位が正極性の電位Ｖpr2に維持されている（すなわち特徴Ｂに加えて特徴Ｃを備えている）。また、この上昇ランプ波形部分において、維持電極は負極性の電位Ｖpr3に維持されている。
【０１１３】
上記のように、全セル初期化期間の上昇ランプ波形部分でアドレス電極を正電位に維持する（特徴Ｃを備える）ことによって、走査電極とアドレス電極との間の電圧が小さくなるので、全セル初期化期間で初期化ミスが発生するのを低減できる。
特徴Ｃによる初期化ミス低減効果について説明する。
一般的なＰＤＰにおいて初期化ミスが発生する原因として、書き込みを行なった放電セルで維持放電が行なわれない場合に、続く全セル初期化期間の上りランプ波形部分Ｓ1で微弱放電が安定せずに初期化ミスが発生しやすく、また、全セル初期化期間の上り  ランプ波形部分Ｓ1において、走査電極とアドレス電極との間で微弱放電が開始されると初期化ミスが発生しやすいことがわかっている。
これに対して本実施例では、図３２のように、全セル初期化期間の上昇ランプ波形部分でアドレス電極を正電位に保持していることで走査電極とアドレス電極との間の電圧が小さくなっているので、走査電極とアドレス電極との間で微弱放電が開始されることがない。
【０１１４】
さらに、全セル初期化期間の上昇ランプ波形部分で維持電極を負電極に保持していることで走査電極と維持電極との間の電圧が大きくなっているので、走査電極と維持電極との間で微弱放電が開始される。
従って、全セル初期化期間で初期化ミスが発生するのを低減できる。
本実施例の駆動方法において、次の実験を行なった。なお、実験はＸe比率６%のプラズマディスプレイパネルを使用し、Ｖset＝２３０Ｖ、Ｖad＝９０Ｖ、Ｖset2＝５Ｖ、Ｖscn＝１３０Ｖ、Ｖsus＝１８０Ｖ、Ｖe＝１５５Ｖ、Ｖe2＝５Ｖ、Ｖda＝７５Ｖで行った。また、実験はＸｅ比率６%のプラズマディスプレイパネルで行ったが、放電ガス中のＸｅ分圧が高い（例えばＸｅ比率６５％）ＰＤＰや高精細ＰＤＰでは、各電圧が１〜２倍程度増加する。
【０１１５】
（１）ＳＦ１の維持期間における走査電極の電位Ｖpr1を維持パルスの電圧Ｖsusと同等（Ｖpr1＝Ｖsus）、ＳＦ１の維持期間におけるアドレス電極の電位Ｖpr2をアドレスパルスの電圧Ｖdaと同等（Ｖpr2＝Ｖda）、ＳＦ１の維持期間における維持電極の電位Ｖpr3をグランド電位（Ｖpr3＝GND）とし、ＳＦ１のアドレス期間における維持電極の電位ＶeLを、０〜１６０Ｖの範囲内で変化させながら、ＳＦ１の発光輝度を測定した。
【０１１６】
図３３（ａ）は、その測定結果を示す特性図である。当図から、発光輝度は０．４〜１．３ｃｄ／ｍ2の範囲内であって、電位Ｖpr1を低く設定するほど、ＳＦ１の発光輝度が低くなることがわかる。なお、ＳＦ２の発光輝度は１．６ｃｄ／ｍ2であった。
また、電位ＶeLを６０Ｖ未満に設定したときには初期化ミスの発生がみられた。なお、電位ＶｅＬが６０Ｖ未満でも維持電極の電位Vpr3を負電位にすれば初期化ミスが低減される。
【０１１７】
（２）ＳＦ１の維持期間における走査電極の電位Ｖpr1を走査パルスの電圧Ｖscnと同等（Ｖpr1＝Ｖscn）、ＳＦ１の維持期間におけるアドレス電極の電位Ｖpr2をアドレスパルスの電圧Ｖdaと同等（Ｖpr2＝Ｖda）、ＳＦ１の維持期間に維持電極の電位Ｖpr3をグランド電位（Ｖpr3＝GND）とし、ＳＦ１のアドレス期間における維持電極の電位ＶeLを、０〜７０Ｖの範囲内でさまざまな値に変化させながら、ＳＦ１の発光輝度を測定した。
【０１１８】
図３３（ｂ）は、その測定結果を示す特性図である。当図から、発光輝度は０．４〜０．５ｃｄ／ｍ2の範囲内であって、電位ＶeLが３０〜６５Ｖの範囲内では、電位Ｖpr1を低く設定すると、ＳＦ１の発光輝度が若干低くなることがわかる。
また、電位ＶeLを３０Ｖ未満あるいは６５Ｖを越える値に設定したときには初期化ミスの発生がみられた。なお、電位ＶｅＬが３０Ｖ未満でも維持電極の電位Vpr3を負電位にすれば初期化ミスが低減され、電位ＶｅＬが６５Ｖを超える値でも維持電極の電位Vpr3を正電位にすれば初期化ミスが低減される。
【０１１９】
（３）ＳＦ１の維持期間における走査電極の電位Ｖpr1を走査パルスの電圧Ｖscnと同等（Ｖpr1＝Ｖscn）、ＳＦ１の維持期間におけるアドレス電極の電位Ｖpr2をアドレスパルスの電圧Ｖdaと同等（Ｖpr2＝Ｖda）、ＳＦ１の維持期間における維持電極の電位Ｖpr3をグランド電位（Ｖpr3＝GND）とし、ＳＦ１のアドレス期間における維持電極の電位ＶeLを６５Ｖとして、ＳＦ１のアドレスパルスの電圧ＶdaLを、０〜７５Ｖの間で変化させながら、ＳＦ１の発光輝度を測定した。
【０１２０】
図３３（ｃ）は、その測定結果を示す特性図である。当図から、発光輝度は０．２〜０．５ｃｄ／ｍ2の範囲内であって、電位ＶdaLが３０〜７５Ｖの範囲内では、電位ＶdaLを低く設定すると、ＳＦ１の発光輝度が若干低くなることがわかる。なお、７５ＶはアドレスＩＣ群の耐圧によって制限されているのであって、アドレスIC群の耐圧が高ければ７５Ｖ以上も範囲内に入る。
【０１２１】
なお、Ｖpr2は１５Ｖ以上あれば初期化ミスを低減する効果があるが、１５０Ｖ以上とするとアドレス電極と維持電極間で放電が生じやすいので、１５０Ｖ以下が望ましい。ここでは、回路構成を簡素にするために電圧Ｖdaとしている。また、Ｖpr3はグランド電位以下であれば初期化ミスを低減する効果があるが、回路を簡素にするためにグランド電位としている。
【０１２２】
これらの実験結果から、ＳＦ１において、アドレス期間における維持電極の電位ＶeLを調整したり、アドレスパルスの電圧ＶdaLを調整したりすることによって、１階調目の輝度を細かく調整でき、ＳＦ１の輝度をＳＦ２の輝度の半分程度に調整することも容易にできることがわかる。
なお、本実施例では、ＳＦ１の維持期間における走査電極の電位を、グランド電位から電位Ｖpr1まで急峻に（電圧勾配１００Ｖ／μｓ以上）上昇させており、維持期間の時間幅を短くできるが、次の実施例４のようにランプ状に上昇させてもよい。
【実施例４】
【０１２３】
図３４は、実施例４にかかる各駆動回路が各サブフィールドでＰＤＰの各電極に印加する駆動電圧波形を示す図である。
本実施例の駆動方法は、上記実施例３と同様であるが、本実施例では、ＳＦ１の維持期間における走査電極の電位を、グランド電位から電位Ｖpr1Lまでランプ状（電圧勾配１０Ｖ／μｓ以下で緩やかに電圧が変化）に上昇させて、その後に電位Ｖpr1まで上昇させている。ここで、上記電位Ｖpr1Lは、維持放電が開始しない電圧である。
【０１２４】
走査電極の電位を一度に大きく立ち上げる場合と小さく立ち上げる場合とで、維持放電の強度を比べると、一度に大きく立ち上げる場合のほうが維持放電の強度が強くなり、発光強度が上がる。
よって、本実施例のように、ＳＦ１の維持期間に走査電極の電位を、グランド電位からＶpr1Lまでゆっくり上昇させてから電位Ｖpr1まで立ち上げれば、維持期間の時間幅は大きくなるものの、維持放電の発光強度を下げ、低階調ＳＦ１（１階調目）の輝度を適度な大きさに調整することができる。なお、電位Ｖpr1Lの頂上付近で微放電を発生させても同様の効果が得られる。
【実施例５】
【０１２５】
図３５は、実施例５にかかる各駆動回路が各サブフィールドでＰＤＰの各電極に印加する駆動電圧波形を示す図である。
本実施例の駆動方法は、上記実施例４と同様であるが、実施例４では走査電極の電位を、ＳＦ１の維持期間において電位Ｖpr1に立ち上げた後、ＳＦ２の全セル初期化期間に連続的に保持していたのに対して、本実施例では走査電極の電位を、ＳＦ１の維持期間において電位Ｖpr1まで上げた後すぐにグランド電位に下げ、ＳＦ２で再び上げている。
【０１２６】
ＳＦ１の維持期間に走査電極の電位Ｖpr1を長く保持する場合と短く保持する場合とで維持放電の強度を比べると、保持する時間が長い方が維持放電の強度が強くなる。そのため、発光強度が高くなるとともに、続くＳＦの選択的初期化後の壁電荷が減ってＳＦ２のアドレス放電時に横クロストークが発生しやすくなる。
つまり、本実施例のように、ＳＦ１の維持期間に走査電極の電位をＶpr1に上げた後すぐにＧＮＤに下げることによってパルス状にし、その保持時間を短くすると、消去機能が働いて維持放電が途中で消去されるため、発光強度は低くなり、ＳＦ２のアドレス放電時に横クロストークが低減する。
【０１２７】
よって、維持放電の発光強度を下げ、低階調ＳＦ１（１階調目）の輝度を適度な大きさに調整することができるとともに、ＳＦ２での横クロストークを低減できる。
【実施例６】
【０１２８】
図３６は、本実施形態にかかる各駆動回路が、ＳＦ１とＳＦ２においてＰＤＰの各電極に印加する駆動電圧波形を示している。
実施例１〜５では、ＳＦ１の維持期間の直後にＳＦ２の全セル初期化期間があった（図３２参照）が、本実施例では、ＳＦ１の維持期間の後に、ＳＦ２の選択的初期化期間を有し、その後に全セル初期化期間を有する。
【０１２９】
本実施例では、実施例１〜５と共通の作用・効果を有するとともに、さらに安定した全セル初期化放電を実現できる。
詳述すると、実施例１〜５のようにＳＦ１の維持期間の直後に全セル初期化期間を設ける場合、ＳＦ１でアドレス放電した放電セルでは、維持放電後における壁電荷の状態で全セル初期化期間に全セル初期化放電が行われる。ＳＦ１でアドレス放電していない放電セルでは、１ＴＶフィールド前の全セル初期化で形成された壁電荷もしくは選択的初期化における壁電荷が保持された状態で全セル初期化放電が行われる。
【０１３０】
従って、ＳＦ１でアドレス放電した放電セルとアドレス放電していない放電セルとでは、ＳＦ２の全セル初期化期間前で壁電荷の状態が異なるので、全セル初期化期間での微放電に違いが生じる。
さらに、ＳＦ１の維持期間で維持放電した後には、走査電極上に負電荷、維持電極上に正電荷が蓄積されるので、ＳＦ２における全セル初期化期間の電位上昇期間で全セル初期化放電が全ての放電セルでなされない可能性もある。そして、全セル初期化放電が起きない場合、ＳＦ３において横クロストークによって緑色放電セルに点灯不良が生じやすく、緑色の色抜けが生じると白色がマゼンタ色となるという問題がある。
【０１３１】
図３７は、横クロストークと点灯不良の発生に関して説明するための図表であって、図表（ａ）は、実施例１〜５（ＳＦ１の維持期間の直後に選択的初期化がない場合）について示し、図表（ｂ）は、実施例６（ＳＦ１の維持期間の直後に選択的初期化がある場合）について示している。
ＳＦ３での色抜けについて、図表（ａ）と（ｂ）とを比べて説明する。
【０１３２】
図表（ａ）と（ｂ）共に、消去動作が行なわれないＳＦ１において緑色放電セルが維持放電し、ＳＦ２において緑色放電セルが維持放電せずに赤色と青色の放電セルが維持放電しており、ＳＦ２のアドレス期間に緑色放電セルで横クロストーク（隣の赤色や青色の放電セルに壁電荷が抜ける現象）が発生している。
図表（ａ）ではＳＦ１の維持期間の直後に選択的初期化が行なわれないため、十分に全セル初期化放電されず、壁電荷が少なくなって、横クロストークの影響を受けやすく、緑色放電セルに点灯不良が生じやすい。これに対して、図表（ｂ）では、維持期間の直後に選択的初期化を行っているため、十分に全セル初期化放電され、壁電荷が補充されて、横クロストークの影響を受けにくく、緑色放電セルに点灯不良が生じにくい。
【０１３３】
このような問題に対して、本実施例のようにＳＦ１の維持期間の直後に選択的初期化を行えば、書き込みミスを防止できる。
なお、本実施例において、ＳＦ２の選択的初期化期間での３電極（走査電極、維持電極、アドレス電極）間の電位差（Ｖset22、ＶeH）を増加すれば、ＳＦ１においてアドレス放電した放電セルとアドレス放電していない放電セルとの壁電荷の状態がさらに均一化される。
【０１３４】
また、ＳＦ２の選択初期化期間に、アドレス電極に正電位Ｖpr2を印加して、アドレス電極と走査電極の間で積極的に微放電を行わせれば、アドレス電極上に負電荷を蓄積し、全セル初期化期間に走査電極に印加する電圧Ｖsetを低減することもできる。
また、図表（ａ）のようにＳＦ２で維持放電せず、ＳＦ３以降が再び維持放電するようなＳＦ点灯パターンでは、ＳＦ１を維持放電しないようにする、もしくはＳＦ１が維持放電するようなＳＦ点灯パターンではＳＦ２以降が連続して点灯することも、点灯不良による色抜けを防止するのに有効である。
【実施例７】
【０１３５】
図３８は、実施例７にかかる各駆動回路が各サブフィールドでＰＤＰの各電極に印加する駆動電圧波形を示す図である。
実施例６では、横クロストークの発生を低減するための手段をＳＦ１においた、本実施例ではＳＦ２を配置する位置を工夫することによって横クロストークの発生を低減する。
上記実施例１〜６では、先頭のＳＦ１が１階調目に相当し、次のＳＦ２が２階調目に相当していたが、本実施例では、ＳＦ１とＳＦ２の順序が入れ替わっており、先頭のＳＦ２が２階調目に相当し、次のＳＦ１が１階調目に相当している。
【０１３６】
それに伴って、全セル初期化期間を設けるＳＦも変わっており、上記実施例１〜６では、ＳＦ２で全セル初期化を行なったが、本実施例では、ＳＦ３で全セル初期化を行なっている。
すなわち、本実施例では、先頭のＳＦ２は、アドレス放電の輝度を調節しないサブフィールドの中で輝度重みが最小のサブフィールドであって、次のＳＦ１は、アドレス放電の輝度を調節するサブフィールドであり、続くＳＦ３の初期化期間には、走査電極の電位をランプ状に上昇させる上昇波形部分を含む全セル初期化が行われるようになっている。
【０１３７】
上記実施例１〜６の場合、ＳＦ４（ＳＦ２の２つ後ろのＳＦ）において横クロストークによって緑色放電セルに点灯不良が生じやすく、緑色の色抜けが生じると白色がマゼンタ色となるという問題があるが、本実施例の構成によって、以下に説明するように、緑色の色抜けが低減される。
図３９は、横クロストークと点灯不良の発生に関して説明するための図表であって、図表（ａ）は、実施例１〜６（ＳＦ１とＳＦ２の順番を入れ替えていない場合）について示し、図表（ｂ）は、実施例７（ＳＦ１とＳＦ２の順番を入れ替えた場合）について示している。
【０１３８】
ＳＦ３、ＳＦ４（ＳＦ２の２つ後ろのＳＦ）での色抜けについて、（ａ）と（ｂ）とを比べて説明する。
図表（ａ）では、消去動作が行なわれないＳＦ２において緑色放電セルが維持放電し、ＳＦ３において緑色放電セルが維持放電せずに赤色と青色の放電セルが維持放電しており、ＳＦ３のアドレス期間に緑色放電セルで横クロストーク（隣の赤色や青色の放電セルに壁電荷が抜ける現象）が発生している。また図表（ｂ）においても、消去動作が行なわれないＳＦ２において緑色放電セルが維持放電し、ＳＦ１において緑色放電セルが維持放電せずに赤色と青色の放電セルが維持放電しており、ＳＦ１のアドレス期間に緑色放電セルで横クロストークが発生している。
【０１３９】
ここまでは同様に横クロストークしているが、図表（ａ）では次のＳＦ３で全セル初期化が行なわれないので、緑色放電セルに点灯不良が生じているのに対して、図表（ｂ）では、次のＳＦ３で全セル初期化が行なわれているので横クロストークされた緑色放電セルの壁電荷が補充されて、緑色放電セルに点灯不良が生じない。
このように、本実施例では、ＳＦ１とＳＦ２の順番を入れ替えることによって、実施例１〜６と比べて、ＳＦ３で緑色放電セルに点灯不良が生じにくくなっている。
ところで、このような点灯不良による色抜けは、アドレスパルスのパルス幅を大きく設定することによっても防止することができる。例えば上記実施例１〜６において、ＳＦ４のアドレスパルスのパルス幅を大きく設定することによっても、色抜け防止効果を奏する。
【０１４０】
また、図３８では、先頭のＳＦ２において維持パルスが１回だけ印加されているが、ＳＦ２において印加する維持パルスの数を３（ＳＦ３と同じ）としてもよい。
【実施例８】
【０１４１】
図４０は、実施例８にかかる各駆動回路が各サブフィールドでＰＤＰの各電極に印加する駆動電圧波形を示す図である。
本実施例の駆動方法は、上記実施例７と同様であるが、実施例７では全セル初期化期間後のＳＦ３でアドレス期間における維持電極の電位が電位（Ｖe＋Ｖe2）であったのに対して、本実施例ではＳＦ３のアドレス期間における維持電極の電位を低目の電位ＶeLに設定している。また、ＳＦ３の維持期間に、アドレス電極に正極性のパルス（電位Ｖpr2）を印加している。
【０１４２】
図４０では、走査電極に維持パルスが印加されるときだけ、アドレス電極に正極性のパルス（電位Ｖpr2）を印加しているが、もっと長く印加してもよく、この長さは経験的に設定される。
上記実施例７で説明したように、ＳＦ１で維持放電した緑色放電セルにおいてはＳＦ３のアドレス期間で横クロストークが発生しやすいが、本実施例では、ＳＦ３の維持電極の電位を、低目の電位ＶeLに設定しているので、ＳＦ３でアドレス放電が弱められる。
【０１４３】
このようにＳＦ３でアドレス放電を弱めると横クロストークが発生しにくくなるので、ＳＦ４において、点灯不良による色抜けがさらに抑えられる。
ところで、ＳＦ３でアドレス放電を弱めると、維持放電が発生しにくくなり点灯不良となる傾向があるが、本実施例では、上記のようにＳＦ３の維持期間にアドレス電極に正極性のパルスを印加しているので、維持放電の点灯不良が抑えられる。
【０１４４】
また、図４０では、ＳＦ３の維持期間において先頭の維持パルスの電圧Ｖpr4は、ＳＦ４以降の維持期間における維持パルスの電圧ＶSUSよりも２Ｖ以上高く設定されている。このように維持パルスの電圧Ｖpr4を高目に設定することも、維持期間における維持放電の点灯不良を抑えるのに有効である。
なお、本実施例のように、アドレス期間における維持電極の電位を低目に設定することで横クロストークを防止する方法は、低階調駆動用途に限定されず、高Ｘｅや高精細パネルにおける横クロストーク対策としても使用できる。
【０１４５】
例えば、元来から、全セル初期化後１回目のアドレス期間には、アドレス放電が強いので横クロストークが発生しており、特に高Ｘｅや高精細パネルではこの傾向は強くなっている。従って、全セル初期化後１回目のアドレス期間に、維持電極の電位を低目に設定することは、横クロストーク防止対策として有効である。
【実施例９】
【０１４６】
図４１は、実施例９にかかる各駆動回路が各サブフィールドでＰＤＰの各電極に印加する駆動電圧波形を示す図である。
本実施例の駆動方法は、上記実施例８と同様であるが、ＳＦ３だけでなくＳＦ２においても、アドレス期間における維持電極の電位を低目の電位ＶeLに設定し、また、アドレス電極に正極性のパルス（電位Ｖpr2）を印加している。
【０１４７】
このように、ＳＦ２においても、維持電極の電位を低目の電位ＶeLに設定することによってアドレス放電が弱められるので、ＳＦ２の輝度を低目に調整することができる。
このようにＳＦ２の輝度を調整することは、ＳＦ１，ＳＦ２，ＳＦ３の輝度バランスを調整するのに有効である。
ＳＦ２でアドレス放電を弱めると、維持放電が発生しにくくなり放電不良となる傾向があるが、上記のようにＳＦ２の維持期間にアドレス電極に正極性のパルスを印加しているので、維持放電の放電不良が抑えられる。
【０１４８】
また、図４１では、ＳＦ３の維持期間において先頭の維持パルスの電圧Ｖpr4は、ＳＦ４以降の維持期間における維持パルスの電圧ＶSUSよりも２V以上高く設定されている。このように維持パルスの電圧Ｖpr4を高目に設定することも、維持期間における維持放電の点灯不良を抑えるのに有効である。
なお、上記実施例１〜９では、ＳＦ２の全セル初期化期間における電位Ｖsetを、維持パルスの電位（Ｖsus又はＶpr1）によって持ち上げているが、ＳＦ２の全セル初期化期間における電位Ｖsetを、走査パルスの電圧Ｖscnによって持ち上げてもよい。すなわち、図４２のように維持期間の電位と、ＳＦ２の全セル初期化期間の電位を区切り、電位Ｖsetを電位Ｖscnによって持ち上げればよく、それによって、走査電極駆動回路に使用するスイッチング素子の数を少なくすることができる。
【産業上の利用可能性】
【０１４９】
本発明によれば、ＣＲＴと比べてＰＤＰ装置では劣るといわれている低輝度階調の表現能力を向上させることができ、ＰＤＰ装置の表示品質を向上させるのに役立つ。
【図面の簡単な説明】
【０１５０】
【図１】本発明の一実施形態にかかるＰＤＰの構成を示す図である。
【図２】ＰＤＰ１を駆動する駆動部の構成を示す図である。
【図３】実施例１にかかる各駆動回路がＰＤＰの各電極に印加する駆動電圧波形である。
【図４】実施例１にかかる走査電極駆動回路を示す図である。
【図５】走査電極駆動回路に用いるレベル変化回路を示す図である。
【図６】走査電極駆動回路に用いるレベル変化回路を示す図である。
【図７】実施例１にかかる走査電極駆動回路を示す図である。
【図８】実施例１にかかる維持電極駆動回路を示す図である。
【図９】上記維持電極駆動回路に用いるレベル変化回路を示す図である。
【図１０】上記維持電極駆動回路に用いるレベル変化回路を示す図である。
【図１１】上記維持電極駆動回路に用いるレベル変化回路を示す図である。
【図１２】上記維持電極駆動回路に用いるレベル変化回路を示す図である。
【図１３】上記維持電極駆動回路に用いるレベル変化回路を示す図である。
【図１４】上記維持電極駆動回路に用いるレベル変化回路を示す図である。
【図１５】上記維持電極駆動回路に用いるレベル変化回路を示す図である。
【図１６】上記維持電極駆動回路に用いるレベル変化回路を示す図である。
【図１７】上記維持電極駆動回路に用いるレベル変化回路を示す図である。
【図１８】上記維持電極駆動回路に用いるレベル変化回路を示す図である。
【図１９】実施例１にかかるアドレス電極駆動回路を示す図である。
【図２０】上記アドレス電極駆動回路に用いるレベル変化回路を示す図である。
【図２１】上記アドレス電極駆動回路に用いるレベル変化回路を示す図である。
【図２２】実施例２にかかる各駆動回路がＰＤＰの各電極に印加する駆動電圧波形である。
【図２３】実施例２にかかる維持電極駆動回路を示す図である。
【図２４】実施例２にかかる維持電極駆動回路を示す図である。
【図２５】実施例２にかかる維持電極駆動回路を示す図である。
【図２６】実施例２にかかる維持電極駆動回路を示す図である。
【図２７】実施例２にかかるアドレス電極駆動回路を示す図である。
【図２８】実施例２にかかるアドレス電極駆動回路を示す図である。
【図２９】実施例２にかかるアドレス電極駆動回路を示す図である。
【図３０】実施例２にかかるアドレス電極駆動回路を示す図である。
【図３１】実施例２にかかるアドレス電極駆動回路を示す図である。
【図３２】実施例３にかかる各駆動回路がＰＤＰの各電極に印加する駆動電圧波形である。
【図３３】実施例３の駆動方法で実験した結果を示す特性図である。
【図３４】実施例４にかかる各駆動回路がＰＤＰの各電極に印加する駆動電圧波形である。
【図３５】実施例５にかかる各駆動回路がＰＤＰの各電極に印加する駆動電圧波形である。
【図３６】実施例６にかかる各駆動回路がＰＤＰの各電極に印加する駆動電圧波形である。
【図３７】横クロストークと点灯不良の発生に関する説明をする図表である。
【図３８】実施例７にかかる各駆動回路がＰＤＰの各電極に印加する駆動電圧波形である。
【図３９】横クロストークと点灯不良の発生に関する説明をする図表である。
【図４０】実施例８にかかる各駆動回路がＰＤＰの各電極に印加する駆動電圧波形である。
【図４１】実施例９にかかる各駆動回路がＰＤＰの各電極に印加する駆動電圧波形である。
【図４２】実施例１〜９にかかる各駆動回路がＰＤＰの各電極に印加する駆動電圧波形である。
【図４３】１ＴＶフィールドのサブフィールド構成を示す図である。
【図４４】従来例にかかるＰＤＰ駆動波形を示す図である。
【符号の説明】
【０１５１】
ＰＡ１      前面パネル
ＰＡ２      背面パネル
１４      アドレス電極
１９ａ      走査電極
１９ｂ      維持電極
２０      放電空間
２１      走査電極駆動回路
２２      維持電極駆動回路
２３      アドレス電極駆動回路
２４      タイミング発生回路
Ｌ，Ｌ２，Ｌ３  レベル変化回路
【手続補正３】
【補正対象書類名】図面
【補正対象項目名】全図
【補正方法】変更
【補正の内容】
【図１】
2008035648.tif 000047
【図２】
2008035648.tif 000048
【図３】
2008035648.tif 000049
【図４】
2008035648.tif 000050
【図５】
2008035648.tif 000051
【図６】
2008035648.tif 000052
【図７】
2008035648.tif 000053
【図８】
2008035648.tif 000054
【図９】
2008035648.tif 000055
【図１０】
2008035648.tif 000056
【図１１】
2008035648.tif 000057
【図１２】
2008035648.tif 000058
【図１３】
2008035648.tif 000059
【図１４】
2008035648.tif 000060
【図１５】
2008035648.tif 000061
【図１６】
2008035648.tif 000062
【図１７】
2008035648.tif 000063
【図１８】
2008035648.tif 000064
【図１９】
2008035648.tif 000065
【図２０】
2008035648.tif 000066
【図２１】
2008035648.tif 000067
【図２２】
2008035648.tif 000068
【図２３】
2008035648.tif 000069
【図２４】
2008035648.tif 000070
【図２５】
2008035648.tif 000071
【図２６】
2008035648.tif 000072
【図２７】
2008035648.tif 000073
【図２８】
2008035648.tif 000074
【図２９】
2008035648.tif 000075
【図３０】
2008035648.tif 000076
【図３１】
2008035648.tif 000077
【図３２】
2008035648.tif 000078
【図３３】
2008035648.tif 000079
【図３４】
2008035648.tif 000080
【図３５】
2008035648.tif 000081
【図３６】
2008035648.tif 000082
【図３７】
2008035648.tif 000083
【図３８】
2008035648.tif 000084
【図３９】
2008035648.tif 000085
【図４０】
2008035648.tif 000086
【図４１】
2008035648.tif 000087
【図４２】
2008035648.tif 000088
【図４３】
2008035648.tif 000089
【図４４】
2008035648.tif 000090
【国際調査報告】
2008035648.tif 000091
2008035648.tif 000092
2008035648.tif 000093
2008035648.tif 000094